(57)【要約】  第２の光学系を構成する光学部品の損傷や性能劣化を防止し、光ピックアップ装置の記録再生性能の劣化を低減する。  第１のレーザ光源１は、第１の波長を有する第１の光ビームを放射し、第１の光学系１７は、第１のレーザ光源１から放射された第１の光ビームを第１の光ディスクに導き、ＤＶＤ集積ユニット１１は、第１の波長とは異なる第２の波長を有する第２の光ビームを放射し、第２の光学系１８は、ＤＶＤ集積ユニット１１から放射された第２の光ビームを、第１の光ディスクとは記録密度の異なる第２の光ディスクに導き、フィルタ２０は、第１の光学系１７から漏出する第１の波長を有する不要な光ビームが、第２の光学系１８を構成する光学部品に照射されるのを遮る位置に配置され、第１の波長を有する第１の光ビームを遮光する。
2008044601.tif 000002
【特許請求の範囲】
【請求項１】
第１の波長を有する第１の光ビームを放射する第１の光源と、
前記第１の光源から放射された前記第１の光ビームを第１の光ディスクに導く第１の光学系と、
前記第１の波長とは異なる第２の波長を有する第２の光ビームを放射する第２の光源と、
前記第２の光源から放射された前記第２の光ビームを、前記第１の光ディスクとは記録密度の異なる第２の光ディスクに導く第２の光学系と、
前記第１の光学系から漏出する前記第１の波長を有する不要な光ビームが、前記第２の光学系を構成する光学部品に照射されるのを遮る位置に配置され、前記第１の波長を有する第１の光ビームを遮光する遮光部とを備えることを特徴とする光ピックアップ装置。
【請求項２】
前記第１の光学系は、前記第１の光源から放射された前記第１の光ビームを、前記第１の光ディスクの記録面に略垂直になるよう折り曲げる第１の立ち上げミラーを含み、
前記第２の光学系は、前記第２の光源から放射された前記第２の光ビームを、前記第２の光ディスクの記録面に略垂直になるよう折り曲げる第２の立ち上げミラーを含み、
前記第１の立ち上げミラーに前記第１の光源側から入射する第１の光ビームの光軸と、前記第２の立ち上げミラーに前記第２の光源側から入射する第２の光ビームの光軸とが、略平行であることを特徴とする請求項１記載の光ピックアップ装置。
【請求項３】
前記第１の光源と前記第２の光源とは互いに対向する位置に配置され、
前記第１の立ち上げミラーと前記第２の立ち上げミラーとは、前記第１の光ディスク及び前記第２の光ディスクの半径方向に垂直な方向に並んで配置されることを特徴とする請求項２記載の光ピックアップ装置。
【請求項４】
前記遮光部は、前記第１の立ち上げミラーと前記第２の立ち上げミラーとの間に配置され、前記第１の波長を有する第１の光ビームを遮光するフィルタを含むことを特徴とする請求項３記載の光ピックアップ装置。
【請求項５】
前記遮光部は、前記第１の立ち上げミラーの前記第１の光ビームの折り曲げ面に配置され、前記第１の波長を有する第１の光ビームを遮光するフィルタを含むことを特徴とする請求項３記載の光ピックアップ装置。
【請求項６】
前記遮光部は、前記第２の立ち上げミラーの前記第２の光ビームの折り曲げ面に配置され、前記第１の波長を有する第１の光ビームを遮光するフィルタを含むことを特徴とする請求項３記載の光ピックアップ装置。
【請求項７】
前記フィルタは、前記第１の波長を有する第１の光ビームの透過率が５％以下であることを特徴とする請求項４〜６のいずれかに記載の光ピックアップ装置。
【請求項８】
前記第１の立ち上げミラー及び前記第２の立ち上げミラーは、それぞれ平板で形成された光学部品であり、
前記遮光部は、前記第１の立ち上げミラー及び前記第２の立ち上げミラーを保持するとともに、前記第１の波長を有する光ビームを透過しない材料で形成されたホルダを含むことを特徴とする請求項３記載の光ピックアップ装置。
【請求項９】
前記ホルダは、光学部品を支持する光学基台上に形成されていることを特徴とする請求項７記載の光ピックアップ装置。
【請求項１０】
前記遮光部は、前記第１の立ち上げミラーにおける前記第１の光ビームの折り曲げ面以外の面の少なくとも１つの面に配置され、前記第１の波長を有する第１の光ビームを吸収し、吸収されずに透過又は反射される成分が吸収前の５％以下であることを特徴とする請求項３記載の光ピックアップ装置。
【請求項１１】
前記遮光部は、前記第１の立ち上げミラーにおける前記第１の光ビームの折り曲げ面以外の面の少なくとも１つの面に配置され、前記第１の波長を有する第１の光ビームを反射させ、その反射率が５％以下であることを特徴とする請求項３記載の光ピックアップ装置。
【請求項１２】
前記第１の光学系は、前記第１の光ビームを前記第１の光ディスクに合焦させる第１の対物レンズを含み、
前記第２の光学系は、前記第２の光ビームを前記第２の光ディスクに合焦させる第２の対物レンズを含み、
前記第１の対物レンズと前記第２の対物レンズとを同時に保持するレンズホルダをさらに備え、
前記遮光部は、前記レンズホルダ内において、前記第１の光ビームが通過する光路と、前記第２の光ビームが通過する光路とを分離する壁を含み、
前記壁は、前記第１の波長を有する第１の光ビームを遮光することを特徴とする請求項１記載の光ピックアップ装置。
【請求項１３】
前記遮光部は、前記レンズホルダ内の前記第２の光ビームが通過する光路中における前記第２の対物レンズと前記第２の立ち上げミラーとの間に配置され、前記第１の波長を有する第１の光ビームを遮断し、前記第２の波長を有する第２の光ビームを透過させる波長選択フィルタをさらに含むことを特徴とする請求項１２記載の光ピックアップ装置。
【請求項１４】
前記第１の光学系は、前記第１の光源から放射された前記第１の光ビームを、前記第１の光ディスクの記録面に略垂直になるよう折り曲げる第１の立ち上げミラーを含み、
前記第２の光学系は、前記第２の光源から放射された前記第２の光ビームを、前記第２の光ディスクの記録面に略垂直になるよう折り曲げる第２の立ち上げミラーを含み、
前記第１の光源と前記第２の光源とは互いに対向する位置に配置され、
前記第１の立ち上げミラーと前記第２の立ち上げミラーとは、前記第１の光ディスク及び前記第２の光ディスクの半径方向に並んで配置されることを特徴とする請求項１記載の光ピックアップ装置。
【請求項１５】
前記遮光部は、前記第１の光ビームの光軸方向に交わるとともに、前記第１の立ち上げミラーの第１の光ビームの入射面とは異なる面側に配置され、前記第１の波長を有する第１の光ビームを遮光するフィルタを含むことを特徴とする請求項１４記載の光ピックアップ装置。
【請求項１６】
前記遮光部は、前記第１の立ち上げミラーと前記第２の立ち上げミラーとの間に配置され、前記第１の波長を有する第１の光ビームを遮光するフィルタを含むことを特徴とする請求項１４記載の光ピックアップ装置。
【請求項１７】
前記第１の光ビームと前記第２の光ビームとは同一方向から照射され、
前記第１の立ち上げミラーに入射する第１の光ビームの光軸と、前記第２の立ち上げミラーに入射する第２の光ビームの光軸とが一致することを特徴とする請求項２記載の光ピックアップ装置。
【請求項１８】
前記第１の立ち上げミラーは、前記第１の光源から放射された前記第１の光ビームを、前記第１の光ディスクの記録面に略垂直になるよう折り曲げるとともに、前記第２の光ビームを透過させ、
前記第２の立ち上げミラーは、前記第１の立ち上げミラーを透過した前記第２の光ビームを、前記第２の光ディスクの記録面に略垂直になるよう折り曲げ、
前記遮光部は、前記第１の立ち上げミラーと前記第２の立ち上げミラーとの間に配置され、前記第１の波長を有する第１の光ビームを遮光するフィルタを含むことを特徴とする請求項１７記載の光ピックアップ装置。
【請求項１９】
前記第１の立ち上げミラーは、前記第１の光源から放射された前記第１の光ビームを、前記第１の光ディスクの記録面に略垂直になるよう折り曲げるとともに、前記第２の光ビームを透過させ、
前記第２の立ち上げミラーは、前記第１の立ち上げミラーを透過した前記第２の光ビームを、前記第２の光ディスクの記録面に略垂直になるよう折り曲げ、
前記第２の光学系は、前記第２の立ち上げミラーによって折り曲げられた前記第２の光ビームを前記第２の光ディスクに合焦させる第２の対物レンズを含み、
前記遮光部は、前記第２の立ち上げミラーと前記第２の対物レンズとの間に配置され、前記第１の波長を有する第１の光ビームを遮光するフィルタを含むことを特徴とする請求項１７記載の光ピックアップ装置。
【請求項２０】
前記第２の光学系は、樹脂材料で形成された少なくとも１つ以上の光学部品を有することを特徴とする請求項１〜１９のいずれかに記載の光ピックアップ装置。
【請求項２１】
前記第１の波長は、３９０ｎｍ〜４２０ｎｍであることを特徴とする請求項１〜２０のいずれかに記載の光ピックアップ装置。
【請求項２２】
請求項１〜２１のいずれかに記載の光ピックアップ装置と、
光ディスクを回転するモータと、
前記光ピックアップ装置から得られる信号を受け、前記信号に基づいて、フォーカス制御、トラッキング制御、情報再生制御及び前記モータの回転制御を行う制御部とを備えることを特徴とする光情報装置。
【請求項２３】
請求項２２記載の光情報装置と、
情報を入力するための入力部と、
前記入力部から入力された情報及び前記光情報装置から再生された情報に基づいて演算を行う演算装置と、
前記入力部から入力された情報、前記光情報装置から再生された情報、及び前記演算装置によって演算された結果を出力する出力部とを備えることを特徴とするコンピュータ。
【請求項２４】
請求項２２記載の光情報装置と、
前記光情報装置から得られる情報信号を画像に変換するデコーダとを備えることを特徴とする光ディスクプレーヤ。
【請求項２５】
請求項２２記載の光情報装置と、
前記光情報装置から得られる情報信号を画像に変換するデコーダとを備えることを特徴とするカーナビゲーションシステム。
【請求項２６】
請求項２２記載の光情報装置と、
画像情報を前記光情報装置によって記録する情報に変換するエンコーダとを備えることを特徴とする光ディスクレコーダ。
【請求項２７】
請求項２２記載の光情報装置と、
前記光情報装置によって記録又は再生される情報の入出力を外部と行う入出力部とを備えることを特徴とする光ディスクサーバ。
【発明の詳細な説明】
【技術分野】
【０００１】
本発明は、光ディスクに情報を記録する及び／又は光ディスクから情報を再生する光ピックアップ装置、光情報装置、コンピュータ、光ディスクプレーヤ、カーナビゲーションシステム、光ディスクレコーダ及び光ディスクサーバに関するものである。
【背景技術】
【０００２】
ディジタルオーディオや画像、動画、コンピュータ等で作成された文書ファイルやデータファイルを記録、保存するための記録媒体は多種多様だが、その一つに光ディスクがある。中でもＤＶＤ（Ｄｉｇｉｔａｌ  Ｖｅｒｓａｔｉｌｅ  Ｄｉｓｋ）は従来のＣＤ（Ｃｏｍｐａｃｔ  Ｄｉｓｃ）と比較して高密度かつ大容量であり、録画機の分野においても、ＶＴＲ（Ｖｉｄｅｏ  Ｔａｐｅ  Ｒｅｃｏｒｄｅｒ）に替わる記録媒体として普及してきている。さらに近年、青色半導体レーザを用い、記録密度をより一層高めた次世代の光ディスクの開発が各所で進められており、早期の普及が待たれている。【０００３】
光ディスクを大容量にするためには、光ディスクに情報を記録する際および光ディスクに記録された情報を再生する際に光ディスクに照射される光が形成する光スポットを小さくすることにより、情報の記録密度を高くする必要がある。光源のレーザ光を短波長にし、かつ、対物レンズの開口数（ＮＡ）を大きくすることによって、光スポットを小さくすることができる。ＤＶＤでは、波長が６６０ｎｍの光源と、開口数（ＮＡ）が０．６の対物レンズとが使用されている。例えば、波長が４０５ｎｍの青色レーザと、ＮＡが０．８５の対物レンズとを使用することによって、現在のＤＶＤの記録密度の５倍の記録密度が達成される。また、これらの光ディスクにおいて、データの記録・再生を行うためには光情報装置が必要である。【０００４】
ところで、青色レーザによる短波長のレーザを用いて高密度の記録再生を実現する光情報装置において、既存の光ディスクとの互換機能を備えることにより、さらに装置としての有用性を高め、コストパフォーマンスを向上することが可能となる。この場合、対物レンズの開口数を０．８５と高めつつ、作動距離をＤＶＤやＣＤ用の対物レンズのように長くすることは困難である。そのため、高密度の記録再生が可能な互換型光情報装置では、ＣＤまたはＤＶＤを記録再生するのに使われる少なくとも一枚の対物レンズと、これより高開口数を有する高密度記録用の対物レンズとを別途に備えることが望ましい。【０００５】
第１の従来技術に係る光ピックアップ装置は、記録密度が相異なる複数の光ディスクに対して記録再生が可能な互換型光情報装置を実現するために、複数の対物レンズを可動部に搭載している（例えば、特許文献１参照）。図１９は、第１の従来技術に係る光ピックアップ装置の構成を示す図である。【０００６】
第１の光源６１から放射された第１の光ビームは、コリメートレンズ６２によって略平行光に変換され、ハーフミラー６３によって光軸が折り曲げられ、立ち上げミラー６４によって光軸が記録密度の高い第１の光ディスク（不図示）に対して直角の方向に折り曲げられる。第１の対物レンズ６５は第１の光ビームを第１の光ディスクの記録面上に収束させる。同様に、第２の光源７１から放射された第２の光ビームは、コリメートレンズ７２によって略平行光に変換され、ビームスプリッタ７３によって光軸が折り曲げられ、立ち上げミラー６４によって光軸が第１の光ディスクより記録密度の低い第２の光ディスク（不図示）に対して直角の方向に折り曲げられる。第２の対物レンズ７５は第２の光ビームを第２の光ディスクの記録面上に収束させる。【０００７】
このように、第１の従来技術に係る光ピックアップ装置は、第１の光源６１から出射される第１の光ビームを第１の光ディスクの情報記録面上に集光させる第１の対物レンズ６５と、第２の光源７１から出射される第２の光ビームを第２の光ディスクの情報記録面上に集光させる第２の対物レンズ７５との少なくとも２つの対物レンズを備えると共に、第１の光ビームを反射して第１の対物レンズ６５に入射させる反射面と、第２の光ビームを反射して第２の対物レンズ７５に入射させる反射面との少なくとも２つの反射面を有する立ち上げミラーを備える。これにより、記録密度が相異なる複数の光ディスクに対して記録再生が可能な互換型光ピックアップ装置を実現している。【０００８】
また、第２の従来技術に係る青色半導体レーザを用いた光ピックアップ装置において、樹脂製の光学部品や、透光性材料を紫外線硬化型の接着剤などで接合した光学素子が用いられる。この場合、青色レーザ光の照射により、光学部品の透過率が劣化したり、材料の組成に影響を及ぼし光学素子が損傷したりするなどの課題があり、材料の青色耐光性を向上させるために、様々な検討がなされている（例えば、特許文献２及び特許文献３参照）。【０００９】
また、第３の従来技術に係る光ピックアップ装置は、レーザ光を遮断する遮光手段を備えている（例えば、特許文献４参照）。図２０は、第３の従来技術に係る光ピックアップ装置の構成を示す図である。図２０において、遮光板８０は、第１の光学ユニット８１と第２の光学ユニット８２の中で発生する迷光が、それぞれ他方にノイズとして飛び込むことを防止し、レーザ光の相互干渉が起こらないようにしている。【００１０】
しかしながら、第１の従来技術のように、記録密度が相異なる複数の光ディスクに対して記録再生が可能な互換型光ピックアップ装置を実現するために、複数の光源が１つの光ピックアップ装置に搭載される。そして、複数の光源の１つとして青色半導体レーザを使用する場合、青色半導体レーザから出射する光ビームが通過する可能性のある素子全てに第２の従来技術のような青色耐光性の高い素子を使用しなければならなくなる。第１の従来技術の光ピックアップ装置の光学構成は、青色半導体レーザを光源に持つ光学系と、赤色及び赤外波長域の半導体レーザを光源に持つ光学系とが、少なくとも２つの反射面を持つ立ち上げミラー６４に対向して配置され、夫々の光束が立ち上げミラー６４に入射する構成となっている。【００１１】
図２１（Ａ）及び（Ｂ）は、従来の光ピックアップ装置の立ち上げミラーを側面から見た図である。このような構成の場合、例えば図２１（Ａ）に示すように、立ち上げミラー６４の反射面６４ａを一部透過した青色光ビーム（漏出光６７）は、立ち上げミラー６４の内面で再度反射するなどして、他の反射面６４ｂを透過して赤／赤外用の光学系に漏出する。また、例えば図２１（Ｂ）に示すように、立ち上げミラー６４の頂辺６４ｔ付近に青色光ビームが照射されると、その青色光ビームは散乱を起こし散乱光６８が、赤／赤外用の対物レンズ７５に照射される。【００１２】
このような現象により、赤色や赤外波長域の半導体レーザ用の光学部品として樹脂製の部品を使用すると、一般的には青色耐光性を持たない素子を使用しているため、素子の損傷や透過率低下、波面収差の劣化といった問題を引き起こし、光ピックアップ装置の記録再生性能を低下させてしまうという課題があった。また、光学素子の損傷や性能劣化を低減させるため、青色光ビームの出射光量を制限することで、赤／赤外用の光学部品を通過する青色光ビームの光量を低下させることも可能である。しかしながら、この場合、多層ディスクへの記録再生や高速での記録再生を行うための十分な青色光ビームの光量が確保できず、記録再生品質が低下するという課題があった。【００１３】
また、第３の従来技術は、レーザ光の相互干渉によって発生するノイズを考慮した構成であるが、遮光板８０は２つの立ち上げミラーの間にのみ設けられ、その高さも立ち上げミラーの高さまでで十分であるとしている。しかしながら、光ピックアップ装置内で発生する迷光はこの限りではなく、例えば立ち上げミラーの一辺で散乱させられた散乱光が、立ち上げミラーによって光軸を底面に略垂直に曲げられた後の光路中の部品に対しても、他の光学系（光学ユニット）からの迷光として侵入する可能性があるという課題があった。【００１４】
また、第３の従来技術の遮光板８０は、特定の波長に対して設けられた遮光板ではなく、赤色光や赤外光の波長以外に青紫色光のような短波長の光を扱う場合について考慮されていない。遮光板８０が青紫色光のような短波長の光を透過してしまう構成の場合は、いずれかの光学部品が青紫色光に露光され、波面収差の劣化や透過率の低下を起こしてしまうという課題があった。
【特許文献１】特開２００５−２９３６８６号公報
【特許文献２】特開２００５−１４１０１６号公報
【特許文献３】特開２００５−３０６８９６号公報
【特許文献４】特開２００２−２０８１７３号公報
【発明の開示】
【００１５】
本発明は、上記の問題を解決するためになされたもので、第２の光学系を構成する光学部品の損傷や性能劣化を防止することができ、記録再生性能の劣化を低減することができる光ピックアップ装置、光情報装置、コンピュータ、光ディスクプレーヤ、カーナビゲーションシステム、光ディスクレコーダ及び光ディスクサーバを提供することを目的とするものである。
【００１６】
本発明の一局面に係る光ピックアップ装置は、第１の波長を有する第１の光ビームを放射する第１の光源と、前記第１の光源から放射された前記第１の光ビームを第１の光ディスクに導く第１の光学系と、前記第１の波長とは異なる第２の波長を有する第２の光ビームを放射する第２の光源と、前記第２の光源から放射された前記第２の光ビームを、前記第１の光ディスクとは記録密度の異なる第２の光ディスクに導く第２の光学系と、前記第１の光学系から漏出する前記第１の波長を有する不要な光ビームが、前記第２の光学系を構成する光学部品に照射されるのを遮る位置に配置され、前記第１の波長を有する第１の光ビームを遮光する遮光部とを備える。
【００１７】
本発明によれば、第１の波長を有する第１の光ビームが第２の光学系を構成する光学部品に照射されないので、第２の光学系を構成する光学部品の損傷や性能劣化を防止することができ、光ピックアップ装置の記録再生性能の劣化を低減することができる。
【００１８】
本発明の目的、特徴及び利点は、以下の詳細な説明と添付図面とによって、より明白となる。
【図面の簡単な説明】
【００１９】
【図１】本発明の実施の形態における光ピックアップ装置の概念図である。
【図２】実施の形態１における光ピックアップ装置の具体的な構成の一例を示す図である。
【図３】実施の形態２における光ピックアップ装置の立ち上げミラーを側面から見た拡大図である。
【図４】実施の形態２の変形例における光ピックアップ装置の立ち上げミラーを側面から見た拡大図である。
【図５】実施の形態３における光ピックアップ装置の立ち上げミラーを側面から見た拡大図である。
【図６】実施の形態４における光ピックアップ装置の立ち上げミラーを側面から見た拡大図である。
【図７】実施の形態５における光ピックアップ装置の立ち上げミラーを示す拡大図である。
【図８】実施の形態５の第１の変形例における光ピックアップ装置の立ち上げミラーを上方から見た拡大図である。
【図９】実施の形態５の第２の変形例における光ピックアップ装置の立ち上げミラーを上方から見た拡大図である。
【図１０】実施の形態６における光ピックアップ装置の構成を示す図である。
【図１１】実施の形態６の第１〜第３の変形例における光ピックアップ装置の立ち上げミラーを側面から見た拡大図である。
【図１２】実施の形態６の第４及び第５の変形例における光ピックアップ装置の立ち上げミラーを側面から見た拡大図である。
【図１３】実施の形態７における光情報装置の一例である光ディスクドライブの全体構成を示す図である。
【図１４】実施の形態８におけるコンピュータの全体構成を示す概略斜視図である。
【図１５】実施の形態９における光ディスクレコーダの全体構成を示す概略斜視図である。
【図１６】実施の形態１０における光ディスクプレーヤの全体構成を示す概略斜視図である。
【図１７】実施の形態１１における光ディスクサーバの全体構成を示す概略斜視図である。
【図１８】実施の形態１２におけるカーナビゲーションシステムの全体構成を示す概略斜視図である。
【図１９】第１の従来技術に係る光ピックアップ装置の構成を示す図である。
【図２０】第３の従来技術に係る光ピックアップ装置の構成を示す図である。
【図２１】従来の光ピックアップ装置の立ち上げミラーを側面から見た図である。
【発明を実施するための最良の形態】
【００２０】
以下、添付図面を参照しながら、本発明の実施の形態について説明する。尚、以下の実施の形態は、本発明を具体化した一例であって、本発明の技術的範囲を限定する性格のものではない。【００２１】
図１は、本発明の実施の形態における光ピックアップ装置の概念図である。本発明の意図する光ピックアップ装置１００は、少なくとも波長λ１（例えば、４２０ｎｍ以下）の光を光ディスクに導く第１の光学系１０１と、少なくとも波長λ２の光を光ディスクに導く第２の光学系１０２と、波長λ１の光を遮光するフィルタ１０４とを備える。フィルタ１０４は、第１の光学系１０１内、第２の光学系１０２内、又はいずれの光学系内にも属さない位置に配置されている。波長λ１の光束が第１の光学系１０１を通過する際に光ディスクに対して情報を記録または再生するための主光路を外れた光、すなわち、いずれも波長λ１である漏出光、不要光又は散乱光が、フィルタ１０４によって、波長λ１の光束が通過する必要のない第２の光学系１０２内に入射されることを防ぐ。【００２２】
（実施の形態１）
図２（Ａ）は、実施の形態１における光ピックアップ装置の具体的な構成の一例を示す図である。【００２３】
図２（Ａ）において、光ピックアップ装置は、第１のレーザ光源１、ビーム整形素子２、ビームスプリッタ３、コリメートレンズ４、第１の立ち上げミラー５、第１の対物レンズ６、１／４波長板８、第１の光検出器１０、ＤＶＤ集積ユニット１１、ＣＤ集積ユニット１２、波長選択性ミラー１３、コリメートレンズ１４、第２の立ち上げミラー１５、第２の対物レンズ１６及びフィルタ２０を備える。【００２４】
なお、第１の光学系１７は、ビーム整形素子２、ビームスプリッタ３、コリメートレンズ４、第１の立ち上げミラー５、第１の対物レンズ６及び１／４波長板８で構成される。第２の光学系１８は、波長選択性ミラー１３、コリメートレンズ１４、第２の立ち上げミラー１５及び第２の対物レンズ１６で構成される。【００２５】
第１のレーザ光源１は、第１の波長λ１（３９０ｎｍ〜４２０ｎｍ：代表として４０５ｎｍとする）の第１のレーザ光を出射する。ビーム整形素子２は、第１のレーザ光の遠視野像の整形を行う。ビームスプリッタ３は、光路を分割する。コリメートレンズ４は、第１のレーザ光を発散光から平行光に変換する。第１の立ち上げミラー５は、光ディスク（例えば、Ｂｌｕ−ｒａｙディスク）に向けて第１のレーザ光の光軸を折り曲げる。第１の対物レンズ（光学レンズ）６は、第１のレーザ光を光ディスク上に集光する。１／４波長板８は、直線偏光を円偏光に変換する。第１の光検出器１０は、光ディスクで反射された光を受光し、光量に対応した電気信号に変換する。【００２６】
第１のレーザ光源１は、好ましくは半導体レーザ光源とすることにより、光ピックアップ装置及びこれを用いた光情報装置を小型化、軽量化及び低消費電力化することができる。【００２７】
光ディスクに記録再生を行う場合、第１のレーザ光源１から出射した第１の波長λ１の青色光ビームは、ビーム整形素子２によって整形され、ビームスプリッタ３で反射され、コリメートレンズ４によって略平行光に変換される。略平行光に変換された青色光ビームは、第１の立ち上げミラー５によって光軸が略垂直に折り曲げられ、１／４波長板８によって直線偏光から円偏光に変換される。円偏光に変換された青色光ビームは、屈折型の第１の対物レンズ６によって光ディスクの厚さ０．１ｍｍの基材を通して情報記録面に集光される。【００２８】
情報記録面で反射した青色光ビームは、元の光路を逆にたどって（復路）、１／４波長板８によって初期とは直角方向に異なる直線偏光に変換され、第１の立ち上げミラー５によって光軸が略垂直に折り曲げられ、コリメートレンズ４によって焦点距離が伸ばされる。焦点距離が伸ばされた青色光ビームは、ビームスプリッタ３を透過するとともに反射し、第１の光検出器１０に入射する。第１の光検出器１０の出力が演算されることによって、焦点制御やトラッキング制御に用いるサーボ信号及び情報信号が得られる。上記のように、ビームスプリッタ３は、第１の波長λ１の光ビームに関して、一方向の直線偏光を全反射し、それと直角方向の直線偏光を全透過する偏光分離膜を持った光路分岐素子である。【００２９】
また、図２（Ａ）において、ＤＶＤ集積ユニット１１は、第２のレーザ光源１１ａと第２の光検出器１１ｂとを備える。第２のレーザ光源１１ａは、第２の波長λ２（６４０〜６７０ｎｍ：代表として６５０ｎｍとする）の第２のレーザ光を出射する。第２の光検出器１１ｂは、光ディスク（ＤＶＤ）で反射された光を受光し、光量に対応した電気信号に変換する。【００３０】
ＣＤ集積ユニット１２は、第３のレーザ光源１２ａと第３の光検出器１２ｂとを備える。第３のレーザ光源１２ａは、第３の波長λ３（７７０〜８００ｎｍ：代表として７９０ｎｍとする）の第３のレーザ光を出射する。第３の光検出器１２ｂは、光ディスク（ＣＤ）で反射された光を受光し、光量に対応した電気信号に変換する。【００３１】
波長選択性ミラー１３は、第２の波長λ２の光ビームを反射させるとともに、第３の波長λ３の光ビームを透過させる。コリメートレンズ１４は、第２のレーザ光及び第３のレーザ光を発散光から平行光に変換する。第２の立ち上げミラー１５は、光ディスクに向けて第２のレーザ光及び第３のレーザ光の光軸を折り曲げる。【００３２】
第２の対物レンズ１６は、ＤＶＤとＣＤの両光ディスクに対応しており、第２のレーザ光及び第３のレーザ光を光ディスク上に集光する。第２の波長λ２の第２のレーザ光は、基材厚みｔ２が０．６ｍｍであり、第２の波長λ２の光ビームによって記録再生される光ディスクに照射される。また、第３の波長λ３の第３のレーザ光は、基材厚みｔ３が１．２ｍｍであり、第３の波長λ３の光ビームによって記録再生される光ディスクに照射される。【００３３】
光ディスク（ＤＶＤ）に記録再生を行う場合、第２のレーザ光源１１ａから出射した第２の波長λ２の赤色光ビームは、波長選択性ミラー１３で反射され、コリメートレンズ４によって略平行光に変換される。略平行光に変換された赤色光ビームは、第２の立ち上げミラー１５によって光軸が略垂直に折り曲げられ、第２の対物レンズ１６によってＤＶＤの厚さ０．６ｍｍの基材を通して情報記録面に集光される。【００３４】
情報記録面で反射した赤色光ビームは、元の光路を逆にたどって（復路）、第２の立ち上げミラー１５によって光軸が略垂直に折り曲げられ、コリメートレンズ１４によって焦点距離が伸ばされる。焦点距離が伸ばされた赤色光ビームは、波長選択性ミラー１３を反射し、第２の光検出器１１ｂに入射する。第２の光検出器１１ｂの出力が演算されることによって、焦点制御やトラッキング制御に用いるサーボ信号及び情報信号が得られる。【００３５】
また、光ディスク（ＣＤ）に記録再生を行う場合、第３のレーザ光源１２ａから出射した第３の波長λ３の赤外光ビームは、波長選択性ミラー１３を透過し、コリメートレンズ４によって略平行光に変換される。略平行光に変換された赤外光ビームは、第２の立ち上げミラー１５によって光軸が略垂直に折り曲げられ、第２の対物レンズ１６によってＣＤの厚さ１．２ｍｍの基材を通して情報記録面に集光される。【００３６】
情報記録面で反射した赤外光ビームは、元の光路を逆にたどって（復路）、第２の立ち上げミラー１５によって光軸が略垂直に折り曲げられ、コリメートレンズ１４によって焦点距離が伸ばされる。焦点距離が伸ばされた赤外光ビームは、波長選択性ミラー１３を透過し、第３の光検出器１２ｂに入射する。第３の光検出器１２ｂの出力が演算されることによって、焦点制御やトラッキング制御に用いるサーボ信号及び情報信号が得られる。【００３７】
なお、第１の立ち上げミラー５に第１のレーザ光源１側から入射する第１の光ビームの光軸と、第２の立ち上げミラー１５に第２のレーザ光源１１ａ又は第３のレーザ光源１２ａ側から入射する第２の光ビーム又は第３の光ビームの光軸とは略平行である。また、第１のレーザ光源１と第２のレーザ光源１１又は第３のレーザ光源１２とは互いに対向する位置に配置され、第１の立ち上げミラー５と第２の立ち上げミラー１５とは、光ディスクの半径方向に垂直な方向に並んで配置されている。さらに、第１の立ち上げミラー５と第２の立ち上げミラー１５とは、光学部品を支持する光学基台上に配置されている。【００３８】
図２（Ｂ）は、図２（Ａ）に示す立ち上げミラーを側面から見た拡大図である。フィルタ２０は、第１の立ち上げミラー５と第２の立ち上げミラー１５との間に配置され、青色光を吸収する。第１の立ち上げミラー５側から入射する青色光ビーム２１は、第１の立ち上げミラー５の反射面で、光路を折り曲げられる第１の成分２２と、折り曲げられずに第１の立ち上げミラー５内に漏出する第２の成分（漏出光）２３とに分解される。【００３９】
第１の成分２２は光ディスクに照射される重要成分であるが、第２の成分２３は光ディスクの信号には寄与しない不要成分である。本実施の形態において、フィルタ２０は、第２の成分（漏出光）２３を吸収し、第１の波長λ１の光の透過率が５％以下であることが望ましい。このような構成とすることで、漏出光２３は第２の波長λ２や第３の波長λ３用の光学部品が配置された光学系内にほとんど漏出せず、第２の波長λ２や第３の波長λ３用の光学部品が第１の波長λ１の光にほとんど露光されなくなるといった効果がある。【００４０】
フィルタ２０は、漏出光２３を反射する構成であってもよい。ただし、漏出光２３を反射した場合、その反射光は再度第１の波長λ１の光学系内に戻り、その光ビームが第１のレーザ光源１まで到達してしまう可能性がある。この場合、戻り光の影響で光ピックアップ装置の信号品質が若干ではあるが劣化する可能性があるため注意が必要である。ただし、この漏出光２３の反射光が第１のレーザ光源１の出射光量に対しごく微量である場合には、フィルタ２０は反射型であっても問題ない。この構成でも、前述の漏出光２３は第２の波長λ２や第３の波長λ３用の光学部品が配置された光学系内にほとんど漏出せず、第２の波長λ２や第３の波長λ３用の光学部品が第１の波長λ１の光にほとんど露光されなくなるといった効果を同様に得られる。【００４１】
以上の構成により、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。【００４２】
また、本実施の形態の場合、フィルタ２０は例えば一般的な誘電体薄膜のような、第１の波長λ１の透過率（または反射率）を選択的に設計した、波長選択型の薄膜で構成することもできる。そのため、実質上のフィルタ２０の厚みはμｍオーダー以下まで薄型化することが可能であり、第１の立ち上げミラー５と第２の立ち上げミラー１５との間にフィルタ２０を配置するとしても、その設置スペースを大きく取る必要はない。第１の立ち上げミラー５と第２の立ち上げミラー１５とを互いにフィルタ２０の厚み分まで近接化して配置することができる。また、フィルタ２０を第１の立ち上げミラー５と第２の立ち上げミラー１５との間以外に配置する場合であっても、薄膜型のフィルタは設置場所を大きく取らない。従って、このような構成とすることにより、光ピックアップ装置の小型化が可能になる。【００４３】
第２の光学系１８を構成する少なくとも１つ以上の光学部品は、樹脂材料で形成されている。例えば、コリメートレンズ１４、第２の立ち上げミラー１５及び第２の対物レンズ１６が樹脂材料で形成される。第１の波長λ１の光束の露光による、波面収差の劣化や透過率の低下といった、耐光性の問題を起こす部品としては、樹脂材料で形成された光学部品がもっとも影響を受けやすい。従って、第２の光学系に、少なくとも１つ以上の樹脂材料で形成された光学部品が使用されている場合に、本発明は最も効果を発揮する。【００４４】
また、本実施の形態１において、第１のレーザ光は、第１の波長λ１が３９０ｎｍ〜４２０ｎｍの青色レーザ光であるとしたが、一般に耐光性が問題となるのは波長が短いほど光のパワー密度が高くなることに起因している。そのため、第１の波長λ１よりもさらに波長の短い例えば紫外領域の光ビームであっても波面収差の劣化や透過率低下といった耐光性の問題が発生する。従って、光源の波長が第１の波長λ１より短い場合に対しても、第２の波長λ２や第３の波長λ３用の光学部品は耐光性を考慮する必要がある。この場合、フィルタ２０が第１の波長λ１より短い波長の光ビームを遮光する性能を有することで、本実施の形態１の全ての効果を同様に得ることもできる。【００４５】
さらに、本実施の形態では、フィルタ２０は、第２の立ち上げミラー１５に隣接する面に配置されているが、第１の立ち上げミラー５における第１の光ビームの折り曲げ面以外の面の少なくとも１つの面に配置されてもよい。この場合、フィルタ２０は、第１の波長λ１を有する第１の光ビームを吸収し、吸収されずに透過又は反射される成分が吸収前の５％以下であることが好ましい。さらにまた、フィルタ２０は、第１の波長λ１を有する第１の光ビームを反射させてもよく、その反射率が５％以下であってもよい。【００４６】
（実施の形態２）
図３（Ａ）〜（Ｃ）は、実施の形態２における光ピックアップ装置の立ち上げミラーを側面から見た拡大図である。図３（Ａ）〜（Ｃ）において図２（Ｂ）と同じ構成については同じ符号を用い説明を省略する。また、実施の形態２における光ピックアップ装置の構成は、図２（Ａ）に示す実施の形態１における光ピックアップ装置の構成と同じであり、その効果も同様である。【００４７】
図３（Ａ）において、第１の波長λ１の光を吸収するフィルタ２０は、第１の立ち上げミラー５の反射面に設けられている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３はほとんど発生しないため、第２の波長λ２や第３の波長λ３用の光学部品が青色光にほとんど露光されなくなる。また本構成において、フィルタ２０は、青色光ビーム２１を反射し、その透過率が５％以下であるフィルタであってもよく、上記と同様の効果が得られる。また本構成において、第１の立ち上げミラー５の反射面の透過率を５％以下にすることで、上記と同様の効果を得ることもできる。【００４８】
なお、フィルタ２０は、第１の立ち上げミラー５の反射面の全面に貼り付けられていることが好ましい。フィルタ２０を第１の立ち上げミラー５の反射面の全面に貼り付けることにより、第１の立ち上げミラー５の頂辺で散乱する散乱光が第２の光学系１８に入射するのを防止することができる。【００４９】
図３（Ｂ）において、第１の波長λ１の光を吸収するフィルタ２０は、第２の立ち上げミラー１５の反射面に設けられている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３は、フィルタ２０によりその光量のほとんど全てがカットされる。そのため、第２の立ち上げミラー１５の反射面以外は、第２の波長λ２や第３の波長λ３用の光学部品が青色光にほとんど露光されなくなる。また本構成において、フィルタ２０は、漏出光２３を反射し、その透過率が５％以下であるフィルタであってもよく、上記と同様の効果が得られる。また本構成において、第２の立ち上げミラー１５の反射面の、第１の波長λ１の光に対する透過率を５％以下にすることで、上記と同様の効果を得ることもできる。【００５０】
図３（Ｃ）において、第１の波長λ１の光を吸収するフィルタ２０は、第１の立ち上げミラー５や第２の立ち上げミラー１５の反射面ではなく、第１の立ち上げミラー５及び第２の立ち上げミラー１５の底面に設けられている。この構成の場合、フィルタ２０は、第１の波長λ１の光を吸収又は透過し、その反射率は５％以下であることが好ましい。このような構成とすることで、フィルタ２０が第１の立ち上げミラー５や第２の立ち上げミラー１５内で面内反射する漏出光２３を吸収し、第２の波長λ２や第３の波長λ３用の光学部品が青色光にほとんど露光されなくなる。【００５１】
また本構成において、フィルタ２０は、漏出光２３を反射し、その反射率が５％以下であるフィルタであってもよく、上記と同様の効果が得られる。また、本構成におけるフィルタ２０を、第１の立ち上げミラー５及び第２の立ち上げミラー１５の底面に加えて、第１の立ち上げミラー５及び第２の立ち上げミラー１５の側面にも設けてもよい。この場合、より漏出光２３の面内反射をより抑えることができ、第２の波長λ２や第３の波長λ３用の光学部品の青色光による露光をより抑えることができる。【００５２】
以上のいずれかの構成をとることにより、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。【００５３】
また、本実施の形態において、第１の立ち上げミラー５と第２の立ち上げミラー１５とは別部品で構成しているが、その２部品を接着して１つの部品としてもよい。また、１つの部品に第１の波長λ１の光を反射する反射面と第２の波長λ２及び第３の波長λ３の光を反射する反射面とを少なくとも有する立ち上げミラーであってもよく、その場合でも本実施の形態に示す効果を同様に得ることができる。【００５４】
また、本実施の形態において、第１の立ち上げミラー５と第２の立ち上げミラー１５とは、反射面が材料上に形成され空気にさらされたプリズムで形成されているが、反射面の信頼性を向上させるため、図４（Ａ）〜（Ｄ）に示すような、反射面が２つのプリズムで挟まれた形状であってもよく、その場合でも本実施の形態に示す効果を同様に得ることができる。【００５５】
図４（Ａ）〜（Ｄ）は、実施の形態２の変形例における光ピックアップ装置の立ち上げミラーを側面から見た拡大図である。図４（Ａ）〜（Ｄ）において図２（Ｂ）と同じ構成については同じ符号を用い説明を省略する。なお、実施の形態２の変形例における光ピックアップ装置の構成は、図２（Ａ）に示す実施の形態１における光ピックアップ装置の構成と同じであり、その効果も同様である。【００５６】
図４（Ａ）〜（Ｄ）において、第１の立ち上げミラー５及び第２の立ち上げミラー１５は、反射面が２つのプリズムにより挟まれている。【００５７】
図４（Ａ）において、第１の波長λ１の光を吸収するフィルタ２０は、第１の立ち上げミラー５と第２の立ち上げミラー１５との間に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。【００５８】
図４（Ｂ）において、第１の波長λ１の光を吸収するフィルタ２０は、第１の立ち上げミラー５の反射面に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。さらに、第１の立ち上げミラー５の反射面の透過率を５％以下にしてもよい。【００５９】
図４（Ｃ）において、第１の波長λ１の光を吸収するフィルタ２０は、第２の立ち上げミラー１５の反射面及び底面に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。この場合、第２の立ち上げミラー１５の反射面に設けられたフィルタ２０によって反射された漏出光２３を第２の立ち上げミラー１５の底面に設けられたフィルタ２０で吸収することができる。なお、第２の立ち上げミラー１５の底面に設けられたフィルタ２０に限っては、漏出光２３を透過する構成であってもよい。【００６０】
図４（Ｄ）において、第１の波長λ１の光を吸収するフィルタ２０は、第２の立ち上げミラー１５における第２のレーザ光又は第３のレーザ光が出射する出射面及び第２のレーザ光又は第３のレーザ光が入射する入射面に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。なお、フィルタ２０は、第１の波長λ１の光を吸収又は反射させ、第２の波長λ２及び第３の波長λ３の波長の光を透過させる。【００６１】
このほか、本実施の形態２では、フィルタ２０を用いることによって得られる、実施の形態１で述べた様々な効果も同様に得られる。【００６２】
（実施の形態３）
図５（Ａ）〜（Ｄ）は、実施の形態３における光ピックアップ装置の立ち上げミラーを側面から見た拡大図である。図５（Ａ）〜（Ｄ）において図２（Ｂ）と同じ構成については同じ符号を用い説明を省略する。また、実施の形態３における光ピックアップ装置の構成は、図２（Ａ）に示す実施の形態１における光ピックアップ装置の構成と同じであり、その効果も同様である。【００６３】
本実施の形態において、第１の立ち上げミラー５及び第２の立ち上げミラー１５はプリズム形状ではなく、それぞれ平板によって構成されている。平板型のミラーは、プリズム型のミラーに比べ、部品の製作が容易であるといった利点がある。ただし、この構成の場合、第１の立ち上げミラー５を透過する漏出光２３が、第１の立ち上げミラー５の反射面とは反対側の面から、反射前の光束と平行に放射される。そのため、実施の形態１や２と比較して、第２の波長λ２や第３の波長λ３用の光学部品が配置された光学部品が、漏出光２３に露光されやすくなってしまう。そこで、図５（Ａ）において、第１の波長λ１の光を吸収するフィルタ２０は、２枚のミラー（第１の立ち上げミラー５及び第２の立ち上げミラー１５）の間に配置されている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３は、フィルタ２０によりその光量のほとんど全てがカットされる。そのため、第２の立ち上げミラー１５の反射面以外は、第２の波長λ２や第３の波長λ３用の光学部品が青色光にほとんど露光されなくなる。また本構成において、フィルタ２０は、漏出光２３を反射し、その透過率が５％以下であるフィルタであってもよく、上記と同様の効果が得られる。【００６４】
図５（Ｂ）において、第１の波長λ１の光を吸収するフィルタ２０は、第１の立ち上げミラー５の反射面に対向する面設けられている。この構成の場合、フィルタ２０は、第１の波長λ１の光を吸収または反射し、その透過率が５％以下であることが好ましい。このような構成とすることで、第１の波長λ１用の立ち上げミラー５の反射面を透過する、不要な成分である漏出光２３はほとんど発生しないため、第２の波長λ２や第３の波長λ３用の光学部品が青色光にほとんど露光されなくなる。また、フィルタ２０は、第１の立ち上げミラー５において、青色光ビーム２１を反射する反射面側に配置されていても、反射面に対向する面に配置されていても、上記と同様の効果が得られる。また本構成において、フィルタ２０は青色光ビーム２１を反射し、その透過率が５％以下であるフィルタであってもよく、上記と同様の効果が得られる。また本構成において、第１の立ち上げミラー５の反射面の透過率を５％以下にすることで、上記と同様の効果を得ることもできる。【００６５】
図５（Ｃ）において、第１の波長λ１の光を吸収するフィルタ２０は、第２の立ち上げミラー１５の反射面に対向する面に設けられている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３は、フィルタ２０によりその光量のほとんど全てがカットされる。そのため、第２の波長λ２や第３の波長λ３用の光学部品が青色光にほとんど露光されなくなる。また本構成において、フィルタ２０は、漏出光２３を反射し、その透過率が５％以下であるフィルタであってもよく、上記と同様の効果が得られる。また、フィルタ２０は、第２の立ち上げミラー１５において、赤色光ビーム又は赤外光ビームを反射する反射面側に配置されていても、反射面に対向する面に配置されていても、上記と同様の効果が得られる。また本構成において、第２の立ち上げミラー１５の反射面の第１の波長λ１の光に対する透過率を５％以下にすることで、上記と同様の効果を得ることもできる。【００６６】
図５（Ｄ）において、第１の立ち上げミラー５と第２の立ち上げミラー１５とは、断面が直角三角形である三角柱形状のホルダ３０上に配置されている。ホルダ３０は、光学部品を支持する光学基台３０１上に形成されている。ホルダ３０は、亜鉛のような金属材料で形成されており、第１の波長λ１の光は金属材料を透過することはない。このような構成とすることで、第１の立ち上げミラー５を透過する漏出光２３は、ホルダ３０を透過することが無く、第２の波長λ２や第３の波長λ３用の光学部品が青色光に露光されなくなる。なお、ホルダ３０は、亜鉛のような金属材料としたが、第１の波長λ１の光を透過しない材料であれば、アルミニウムやＰＰＳ（ポリフェニレンサルファイド）のような樹脂材料であってもよく、材料の膨張係数や、コストメリットなど、目的に合わせて選定してよい。その場合でも、第２の波長λ２や第３の波長λ３用の光学部品が青色光に露光されなくなる効果は同等である。【００６７】
また、ホルダ３０は、第１の立ち上げミラー５の取り付け位置精度を高めるために、光学基台３０１と一体に形成されてもよく、その場合でも、上記と同様に第２の波長λ２や第３の波長λ３用の光学部品が青色光に露光されなくなる。また、遮光部材を金属材料のような一定の体積が必要な部材で構成する場合であっても、図５（Ｄ）のような構成であれば２つの立ち上げミラーを接触するまで近接して配置することが可能となり、光ピックアップ装置を小型化できる。【００６８】
以上のいずれかの構成をとることにより、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。【００６９】
このほか、本実施の形態３では、フィルタ２０を用いることによって得られる、実施の形態１で述べた様々な効果も同様に得られる。【００７０】
（実施の形態４）
図６（Ａ）〜（Ｃ）は、実施の形態４における光ピックアップ装置の立ち上げミラーを側面から見た拡大図である。図６（Ａ）〜（Ｃ）において図２（Ｂ）と同じ構成については同じ符号を用い説明を省略する。また、実施の形態４における光ピックアップ装置の構成は、図２（Ａ）に示す実施の形態１における光ピックアップ装置の構成と同じであり、その効果も同様である。【００７１】
図６（Ａ）〜（Ｃ）において、レンズホルダ３１は、光ディスクに対するフォーカス駆動やトラッキング駆動を行う対物レンズアクチュエータの一部であり、第１の対物レンズ６と第２の対物レンズ１６などを保持する。また、第１の立ち上げミラー５の頂辺付近に第１の波長λ１の青色光ビームが照射されると、その青色光ビームは散乱を起こし散乱光２５が発生する。【００７２】
図６（Ａ）において、光ピックアップ装置は、レンズホルダ３１内に壁２６を備える。壁２６は、第１の対物レンズ６と第２の対物レンズ１６との互いの光路を分離し、散乱光２５を遮る。この壁２６は、レンズホルダ３１内の第１のレーザ光の光路と、第２又は第３のレーザ光の光路との間に配置され、第１の波長λ１の光を吸収または反射する。また、壁２６は、レンズホルダ３１の出射口側の端部から入射口側の端部までの長さを有している。なお、壁２６は、第１の波長λ１の光の透過率が５％以下であることが好ましい。このような構成とすることで、第２の対物レンズ１６が散乱光２５にほとんど露光されなくなる。【００７３】
図６（Ｂ）において、光ピックアップ装置は、レンズホルダ３１内に波長選択フィルタ２７を備える。波長選択フィルタ２７は、第１の波長λ１の光を吸収または反射し、第２の波長λ２及び第３の波長λ３の光を透過する。波長選択フィルタ２７は、第２の波長λ２及び第３の波長λ３の光路中において、対物レンズ１６やアクチュエータ上に搭載された光学部品と、立ち上げミラー１５との間に配置されている。この波長選択フィルタ２７は、第１の波長λ１の光の透過率が５％以下であることが好ましい。このような構成とすることで、第２の対物レンズ１６が散乱光２５にほとんど露光されなくなる。【００７４】
さらに、図６（Ｃ）に示す様に、光ピックアップ装置は、壁２６と波長選択フィルタ２７を併用してもよい。これにより、本実施の形態４の効果をさらに高めることができる。このような構成をとることにより、アクチュエータ上に搭載された光学部品のうち、第２の対物レンズ１６だけでなく、第２の波長λ２や第３の波長λ３用の全ての光学部品は、青色耐光性を考慮した部品を使用する必要が無く、光ピックアップ装置の記録再生品質が長期的に確保され、ランニングコストやイニシャルコストを十分に抑えることができる。【００７５】
このほか、本実施の形態４では、フィルタ２０を用いることによって得られる、実施の形態１で述べた様々な効果も同様に得られる。【００７６】
（実施の形態５）
図７（Ａ）及び（Ｂ）は、実施の形態５における光ピックアップ装置の立ち上げミラーを示す拡大図である。図７（Ａ）は、光ピックアップ装置の立ち上げミラーを上方から見た図であり、図７（Ｂ）は、図７（Ａ）に示す立ち上げミラーを側方から見た図である。なお、図７（Ａ）及び（Ｂ）において、ラジアル方向Ｒは、光ディスクの半径方向を表し、タンジェンシャル方向Ｔは、光ディスクの半径方向に垂直な方向を表している（図８（Ａ）〜（Ｆ）及び図９（Ａ）〜（Ｃ）についても同様）。図７（Ａ）及び（Ｂ）において図２（Ｂ）と同じ構成については同じ符号を用い説明を省略する。また、実施の形態５における光ピックアップ装置の構成は、図２（Ａ）に示す実施の形態１における光ピックアップ装置の構成と同じであり、その効果も同様である。【００７７】
図７（Ａ）及び（Ｂ）において、第１の対物レンズ及び第２の対物レンズ（図示せず）は光ディスクの半径方向（ラジアル方向：Ｒ）に並べて配置されており、第１の立ち上げミラー５及び第２の立ち上げミラー１５もラジアル方向に並べて配置されている。このような構成とすると、２つの対物レンズが、シーク中心線（光ディスクの中心点を通りピックアップの移送方向に平行な線）上に配置されるため、第１の光学系１７及び第２の光学系１８のいずれにおいても、フォーカス制御用やトラッキング制御用のサーボ信号を安定して得ることができる。【００７８】
図７（Ａ）及び（Ｂ）において、不要光２４は、第１のレーザ光源１（図示せず）から出射した第１の波長λ１の青色光ビームのうち、光ディスクの情報記録面に集光される主成分である青色光ビーム２１ではない不要成分である。不要光２４は、第１の光学系１７を構成するいずれかのレンズの外側を通る光であったり、光学基台内外で発生する不要な内部反射迷光であったりする。【００７９】
図７（Ａ）及び（Ｂ）において、第１の波長λ１の光を遮断するフィルタ２０が、漏出光２３や不要光２４を遮る位置に配置されている。具体的に、フィルタ２０は、第１の立ち上げミラー５と第２の立ち上げミラー１５との間に設けられた第１のフィルタ２０ａと、第１のレーザ光の光軸方向に交わるとともに、第１のフィルタ２０ａの一端と垂直に接合される第２のフィルタ２０ｂと、第２のレーザ光の光軸方向に交わるとともに、第１のフィルタ２０ａの他端と垂直に接合される第３のフィルタ２０ｃとを備えて構成される。【００８０】
本構成では、フィルタ２０が漏出光２３や不要光２４を吸収し、その第１の波長λ１の光の透過率は５％以下であることが望ましい。このような構成とすることで、漏出光２３は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００８１】
また、第１のフィルタ２０ａ、第２のフィルタ２０ｂ及び第３のフィルタ２０ｃを光学基台上に垂直となるように形成することで、光学基台の剛性を向上させることができる。【００８２】
フィルタ２０は、漏出光２３や不要光２４を反射する構成であってもよい。ただし、漏出光２３や不要光２４を反射した場合、その反射光は再度第１の波長λ１の光学系内に戻り、その光ビームがレーザ光源１まで到達してしまう可能性がある。この場合、戻り光の影響で光ピックアップ装置の信号品質が若干ではあるが劣化する可能性があるため注意が必要である。ただし、この漏出光２３や不要光２４の反射光はレーザ光源１の出射光量に対しごく微量である場合には、フィルタ２０は反射型であっても問題ない。この構成でも、前述の漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００８３】
また、第１のフィルタ２０ａ、第２のフィルタ２０ｂ及び第３のフィルタ２０ｃは互いに垂直となるように配置されているが、本発明は特にこれに限定されない。第１のフィルタ２０ａ、第２のフィルタ２０ｂ及び第３のフィルタ２０ｃは、漏出光２３や不要光２４を遮る位置に配置される構成であれば必ずしも互いに垂直である必要はない。【００８４】
図８（Ａ）〜（Ｆ）は、実施の形態５の第１の変形例における光ピックアップ装置の立ち上げミラーを上方から見た拡大図である。図８（Ａ）〜（Ｆ）において図２（Ｂ）と同じ構成については同じ符号を用い説明を省略する。また、実施の形態５の第１の変形例における光ピックアップ装置の構成は、図２（Ａ）に示す実施の形態１における光ピックアップ装置の構成と同じであり、その効果も同様である。【００８５】
図８（Ａ）〜（Ｆ）において、第１の対物レンズ及び第２の対物レンズ（図示せず）は光ディスクの半径方向（ラジアル方向：Ｒ）に並べて配置されており、第１の立ち上げミラー５及び第２の立ち上げミラー１５もラジアル方向に並べて配置されている。図８（Ａ）〜（Ｆ）に示すように、漏出光２３や不要光２４を遮る形状及び位置であれば、フィルタ２０はどのような形状及び配置であってもよい。【００８６】
図８（Ａ）において、フィルタ２０は、第１の立ち上げミラー５と第２の立ち上げミラー１５との間に設けられた第１のフィルタ２０ａと、第１のレーザ光の光軸方向に交わるとともに、第１のフィルタ２０ａの一端と垂直に接合される第２のフィルタ２０ｂとを備えて構成される。本構成では、フィルタ２０が漏出光２３や不要光２４を吸収し、その第１の波長λ１の光の透過率は５％以下であることが望ましい。この場合、漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００８７】
なお、図８（Ａ）において、第１のフィルタ２０ａ及び第２のフィルタ２０ｂは互いに垂直となるように配置されているが、本発明は特にこれに限定されない。第１のフィルタ２０ａ及び第２のフィルタ２０ｂは、漏出光２３や不要光２４を遮る位置に配置される構成であれば必ずしも互いに垂直である必要はない。【００８８】
図８（Ｂ）において、フィルタ２０は、第１の立ち上げミラー５と第２の立ち上げミラー１５との間に設けられた第１のフィルタ２０ａと、第２のレーザ光の光軸方向に交わるとともに、第１のフィルタ２０ａの他端と垂直に接合される第３のフィルタ２０ｃとを備えて構成される。本構成では、フィルタ２０が漏出光２３や不要光２４を吸収し、その第１の波長λ１の光の透過率は５％以下であることが望ましい。この場合、不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００８９】
なお、図８（Ｂ）において、第１のフィルタ２０ａ及び第３のフィルタ２０ｃは互いに垂直となるように配置されているが、本発明は特にこれに限定されない。第１のフィルタ２０ａ及び第３のフィルタ２０ｃは、漏出光２３や不要光２４を遮る位置に配置される構成であれば必ずしも互いに垂直である必要はない。【００９０】
図８（Ｃ）において、フィルタ２０は、第１の立ち上げミラー５と第２の立ち上げミラー１５との間に設けられる。本構成では、フィルタ２０が漏出光２３や不要光２４を吸収し、その第１の波長λ１の光の透過率は５％以下であることが望ましい。この場合、不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００９１】
図８（Ｄ）において、フィルタ２０ｂは、第１のレーザ光の光軸方向に交わるとともに、第１の立ち上げミラー５の第１のレーザ光の入射面とは異なる面側に設けられ、フィルタ２０ｃは、第２のレーザ光の光軸方向に交わるとともに、第２の立ち上げミラー１５の第２のレーザ光の入射面とは異なる面側に設けられている。本構成では、フィルタ２０ｂ，２０ｃが漏出光２３や不要光２４を吸収し、その第１の波長λ１の光の透過率は５％以下であることが望ましい。この場合、漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００９２】
図８（Ｅ）において、フィルタ２０は、第２のレーザ光の光軸方向に交わるとともに、第２の立ち上げミラー１５の第２のレーザ光の入射面とは異なる面側に設けられている。本構成では、フィルタ２０が漏出光２３や不要光２４を吸収し、その第１の波長λ１の光の透過率は５％以下であることが望ましい。この場合、不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００９３】
図８（Ｆ）において、フィルタ２０は、第１のレーザ光の光軸方向に交わるとともに、第１の立ち上げミラー５の第１のレーザ光の入射面とは異なる面側に設けられている。本構成では、フィルタ２０が漏出光２３や不要光２４を吸収し、その第１の波長λ１の光の透過率は５％以下であることが望ましい。この場合、漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。【００９４】
なお、図８（Ｆ）において、第１の立ち上げミラー５の第２の立ち上げミラー１５に隣り合う面にフィルタ２０を貼り付けてもよい。この場合、第１の立ち上げミラー５からの漏出光が第２の立ち上げミラー１５に入射するのを防止することができる。【００９５】
図９（Ａ）〜（Ｃ）は、実施の形態５の第２の変形例における光ピックアップ装置の立ち上げミラーを上方から見た拡大図である。図９（Ａ）〜（Ｃ）において図２（Ｂ）と同じ構成については同じ符号を用い説明を省略する。また、実施の形態５の第２の変形例における光ピックアップ装置の構成は、図２（Ａ）に示す実施の形態１における光ピックアップ装置の構成と同じであり、その効果も同様である。【００９６】
図９（Ａ）〜（Ｃ）における２つの対物レンズ（図示せず）は、光ディスクの半径方向（ラジアル方向：Ｒ）に並べて配置されているが、第１の立ち上げミラー５に入射する第１の光学系及び第２の立ち上げミラー１５に入射する第２の光学系のいずれかの光軸が、光ディスクの半径方向に垂直な方向（タンジェンシャル方向：Ｔ）とは一致しない。このような構成とすることで、光ピックアップ装置のタンジェンシャル方向の外形寸法を小型化することができる。【００９７】
なお、実施の形態５の第２の変形例におけるフィルタ２０の配置は、図７（Ａ）及び（Ｂ）に示す実施の形態５におけるフィルタ２０の配置と同じである。【００９８】
図９（Ａ）において、コリメートレンズ４及び第１の立ち上げミラー５を含む第１の光学系１７の光軸は、タンジェンシャル方向に対して平行であり、コリメートレンズ１４及び第２の立ち上げミラー１５を含む第２の光学系１８の光軸は、タンジェンシャル方向に対して４５度傾いている。【００９９】
図９（Ｂ）において、コリメートレンズ４及び第１の立ち上げミラー５を含む第１の光学系１７の光軸は、タンジェンシャル方向に対して４５度傾いており、コリメートレンズ１４及び第２の立ち上げミラー１５を含む第２の光学系１８の光軸は、タンジェンシャル方向に対して平行である。【０１００】
図９（Ｃ）において、コリメートレンズ４及び第１の立ち上げミラー５を含む第１の光学系１７の光軸は、タンジェンシャル方向に対して４５度傾いており、コリメートレンズ１４及び第２の立ち上げミラー１５を含む第２の光学系１８の光軸は、タンジェンシャル方向に対して４５度傾いている。なお、第１のフィルタ２０ａを第１の光学系１７及び第２の光学系１８の光軸に対して平行になるように、すなわちタンジェンシャル方向に対して４５度傾いて配置し、第２のフィルタ２０ｂを第１のフィルタ２０ａに対して垂直になるように配置し、第３のフィルタ２０ｃを第１のフィルタ２０ａに対して垂直になるように配置してもよい。【０１０１】
これらの構成によれば、図９（Ａ）〜（Ｃ）に示すようにフィルタ２０を漏出光２３や不要光２４を遮る位置に配置させることにより、上記と同様に、第２の光学系を構成する光学部品が、第１の波長λ１の光に露光されなくなる。【０１０２】
なお、図９（Ａ）〜（Ｃ）において、第１のフィルタ２０ａ、第２のフィルタ２０ｂ及び第３のフィルタ２０ｃは互いに垂直となるように配置されているが、本発明は特にこれに限定されない。第１のフィルタ２０ａ、第２のフィルタ２０ｂ及び第３のフィルタ２０ｃは、漏出光２３や不要光２４を遮る位置に配置される構成であれば必ずしも互いに垂直である必要はない。【０１０３】
以上の構成により、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。【０１０４】
このほか、本実施の形態５では、フィルタ２０を用いることによって得られる、実施の形態１で述べた様々な効果も同様に得られる。【０１０５】
（実施の形態６）
図１０（Ａ）は、実施の形態６における光ピックアップ装置の構成を示す図である。【０１０６】
図１０（Ａ）において光ピックアップ装置は、レーザ光源４１、ビーム整形素子４２、２波長レーザ光源５１、ダイクロイックミラー４３、コリメートレンズ４４、第１の立ち上げミラー４５、第１の対物レンズ（光学レンズ）４６、第２の立ち上げミラー５５、第２の対物レンズ（光学レンズ）５６、ビームスプリッタ４７、検出レンズ４９、光検出器５０及びフィルタ２０を備える。【０１０７】
レーザ光源４１は、第１の波長λ１（３９０ｎｍ〜４２０ｎｍ：代表として４０５ｎｍとする）の第１のレーザ光を出射する。ビーム整形素子４２は、レーザ光の遠視野像の整形を行う。なお、図１０（Ａ）に示す光ピックアップ装置において、ビーム整形素子４２はなくてもよい。２波長レーザ光源５１は、第２の波長λ２（６４０〜６７０ｎｍ：代表として６５０ｎｍとする）の第２のレーザ光と、第３の波長λ３（７７０ｎｍ〜８００ｎｍ：代表として７９０ｎｍとする）の第３のレーザ光とのいずれかを選択的に出射する。【０１０８】
ダイクロイックミラー４３は、第１の波長λ１の第１のレーザ光を反射し、第２の波長λ２の第２のレーザ光と第３の波長λ３の第３のレーザ光とを透過する。コリメートレンズ４４は、第１のレーザ光、第２のレーザ光及び第３のレーザ光を発散光から平行光に変換する。【０１０９】
第１の立ち上げミラー４５は、第１の波長λ１の第１のレーザ光の光軸を第１の対物レンズ４６に向けて折り曲げる。第１の対物レンズ４６は、第１の波長λ１の第１のレーザ光を基材厚み０．１ｍｍの第１の光ディスク（図示せず）の情報記録面上に集光させる。第２の立ち上げミラー５５は、第２の波長λ２の第２のレーザ光と第３の波長λ３の第３のレーザ光の光軸を第２の対物レンズ５６に向けて折り曲げる。第２の対物レンズ５６は、第２の波長λ２の第２のレーザ光を基材厚み０．６ｍｍの第２の光ディスク（図示せず）の情報記録面上に集光させるとともに、第３の波長λ３の第３のレーザ光を基材厚み１．２ｍｍの第３の光ディスク（図示せず）の情報記録面上に集光させる。【０１１０】
本実施の形態において、第１の光ビーム、第２の光ビーム及び第３の光ビームは同一方向から照射され、第１の立ち上げミラー４５に入射する第１の光ビームの光軸と、第２の立ち上げミラー５５に入射する第２の光ビームの光軸とが一致する。【０１１１】
ビームスプリッタ４７は、ダイクロイックミラー４３によって反射された第１のレーザ光を透過させ、ダイクロイックミラー４３を透過した第２のレーザ光及び第３のレーザ光を透過させる。また、ビームスプリッタ４７は、各光ディスクによって反射された各レーザ光を光検出器５０に向けて反射させる。検出レンズ４９は、各光ディスクによって反射された各レーザ光を光検出器５０に集光させる。光検出器５０は、各光ディスクで反射された各レーザ光を受光し、光量に対応した電気信号に変換する。【０１１２】
レーザ光源４１及び２波長レーザ光源５１は、好ましくは半導体レーザ光源とすることにより、光ピックアップ装置及びこれを用いた光情報装置を小型化、軽量化及び低消費電力化することができる。【０１１３】
第１の光ディスクに記録再生を行う場合、レーザ光源４１から出射した第１の波長λ１の青色光ビームは、ビーム整形素子４２によって整形され、ダイクロイックミラー４３で反射され、ビームスプリッタ４７を透過する。ビームスプリッタ４７を透過した青色光ビームは、コリメートレンズ４４によって略平行光に変換され、第１の立ち上げミラー４５によって光軸が略垂直に折り曲げられ、１／４波長板（図示せず）によって直線偏光から円偏光に変換される。円偏光に変換された青色光ビームは、屈折型の第１の対物レンズ４６によって第１の光ディスクの厚さ０．１ｍｍの基材を通して情報記録面に集光される。【０１１４】
情報記録面で反射した青色光ビームは、元の光路を逆にたどって（復路）、１／４波長板によって初期とは直角方向に異なる直線偏光に変換され、第１の立ち上げミラー４５によって光軸が略垂直に折り曲げられ、コリメートレンズ４４により焦点距離が伸ばされる。焦点距離が伸ばされた青色光ビームは、ビームスプリッタ４７を反射し、光検出器５０に入射する。光検出器５０の出力が演算されることによって、焦点制御やトラッキング制御に用いるサーボ信号及び情報信号が得られる。【０１１５】
また、２波長レーザ光源５１から出射された第２の波長λ２の赤色光ビーム及び第３の波長λ３の赤外光ビームは、ダイクロイックミラー４３及びビームスプリッタ４７を透過し、コリメートレンズ４４によって略平行光に変換される。略平行光に変換された赤色光ビーム及び赤外光ビームは、第１の立ち上げミラー４５を透過し、第２の立ち上げミラー５５によって略垂直に光軸が折り曲げられる。その後、赤色光ビーム及び赤外光ビームは、第２の対物レンズ５６によってそれぞれ基材厚み０．６ｍｍまたは基材厚み１．２ｍｍの光ディスクに照射される。【０１１６】
情報記録面で反射した赤色光ビームは、元の光路を逆にたどって（復路）、第２の立ち上げミラー５５によって光軸が略垂直に折り曲げられ、第１の立ち上げミラー４５を透過し、コリメートレンズ４４により焦点距離が伸ばされる。焦点距離が伸ばされた赤色光ビーム及び赤外光ビームは、ビームスプリッタ４７を反射し、光検出器５０に入射する。光検出器５０の出力が演算されることによって、焦点制御やトラッキング制御に用いるサーボ信号及び情報信号が得られる。なお、ビームスプリッタ４７は、第１の波長λ１、第２の波長λ２及び第３の波長λ３の光ビームに関して、一方向の直線偏光を全反射し、それと直角方向の直線偏光を全透過する偏光分離膜を持った光路分岐素子である。【０１１７】
従って、図１０（Ａ）において、本実施の形態６の第１の光学系は、少なくともレーザ光源４１、ビーム整形素子４２、ダイクロイックミラー４３、ビームスプリッタ４７、コリメートレンズ４４、第１の立ち上げミラー４５、第１の対物レンズ４６、検出レンズ４９及び光検出器５０の光学部品で構成されており、第２の光学系は、少なくとも２波長レーザ光源５１、第２の立ち上げミラー５５及び第２の対物レンズ５６で構成されている。【０１１８】
図１０（Ｂ）は、図１０（Ａ）に示す立ち上げミラーを側面から見た拡大図である。フィルタ２０は、第１の立ち上げミラー４５と第２の立ち上げミラー５５との間に配置され、青色光を吸収する。第１の立ち上げミラー４５に入射する青色光ビーム２１は、第１の立ち上げミラー４５の反射面で、光路を折り曲げられる第１の成分２２と、折り曲げられずに第１の立ち上げミラー４５内に漏出する第２の成分２３とに分解される。【０１１９】
第１の成分２２は光ディスクに照射される重要成分であるが、第２の成分２３は光ディスクの信号には寄与しない不要成分である。本構成では、フィルタ２０が漏出光２３を吸収し、その第１の波長λ１の光の透過率は５％以下であることが望ましい。このような構成とすることで、漏出光２３は第２の波長λ２や第３の波長λ３専用の光学部品、例えば第２の立ち上げミラー５５や第２の対物レンズ５６などが配置された光学系内にほとんど漏出せず、第２の波長λ２や第３の波長λ３専用の光学部品が第１の波長λ１の光にほとんど露光されなくなる。【０１２０】
なお、フィルタ２０は、漏出光２３を反射する構成であってもよい。ただし、漏出光２３を反射した場合、その反射光は再度第１の波長λ１の光学系内に戻り、その光ビームがレーザ光源４１まで到達してしまう可能性がある。この場合、戻り光の影響で光ピックアップ装置の信号品質が若干ではあるが劣化する可能性があるため注意が必要である。ただし、この漏出光の反射光がレーザ光源４１の出射光量に対してごく微量である場合には、フィルタ２０は反射型であっても問題ない。この構成でも、漏出光２３は第２の波長λ２や第３の波長λ３専用の光学部品が配置された光学系内にほとんど漏出せず、第２の波長λ２や第３の波長λ３専用の光学部品が第１の波長λ１の光にほとんど露光されなくなる。【０１２１】
また、本実施の形態６において、２波長レーザ光源５１は、第２の波長λ２の第２のレーザ光と第３の波長λ３の第３のレーザ光とを出射するとしているが、例えば基材厚み１．２ｍｍの光ディスクに対応する必要がない光ピックアップ装置の場合、２波長レーザ光源５１に替えて、第２の波長λ２の第２のレーザ光のみを出射するレーザ光源を設けてもよい。この場合でも、フィルタ２０を本実施の形態６のように用いることによって、第２の立ち上げミラー５５や第２の対物レンズ５６などの第２の波長λ２専用の光学部品が、第１の波長λ１の光にほとんど露光されなくなる。【０１２２】
以上の構成により、第２の波長λ２や第３の波長λ３専用の光学部品は青色耐光性を考慮した部品を使用する必要が無く、光ピックアップ装置の記録再生品質が長期的に確保され、ランニングコストやイニシャルコストを十分に抑えることができる。【０１２３】
また、本実施の形態６における変形例を図１１及び図１２に示す。図１１（Ａ）〜（Ｃ）は、実施の形態６の第１〜第３の変形例における光ピックアップ装置の立ち上げミラーを側面から見た拡大図である。【０１２４】
図１１（Ａ）に示す光ピックアップ装置の場合、フィルタ２０は、第１の立ち上げミラー４５の反射面に対向する裏面に配置されている。このような構成の場合でも、漏出光２３はフィルタ２０によって遮断されるため、第２の立ち上げミラー５５や第２の対物レンズ５６が第１の波長λ１の光に露光されることはなくなる。【０１２５】
図１１（Ｂ）に示す光ピックアップ装置の場合、フィルタ２０は、第２の立ち上げミラー５５の反射面上に備えられている。この場合、フィルタ２０は、第１の波長λ１の光の反射率が５％以下であることが好ましい。このような構成とすることで、第２の立ち上げミラー５５を反射して第２の対物レンズ５６側に漏出する漏出光２３はほとんど無くなり、第２の対物レンズ５６が第１の波長λ１の光に露光されることがなくなる。この構成の場合、第２の立ち上げミラー５５は第２の光学系に属さない部品となる。【０１２６】
図１１（Ｃ）に示す光ピックアップ装置の場合、フィルタ２０は、第２の立ち上げミラー５５と第２の対物レンズ５６との間に配置されている。この場合、フィルタ２０は、第１の波長λ１の光の透過率が５％以下であることが好ましい。このような構成とすることで、漏出光２３の第２の立ち上げミラー５５による反射光がフィルタ２０で遮断され、第２の対物レンズ５６は第１の波長λ１の光に露光されなくなる。この構成の場合も、第２の立ち上げミラー５５は第２の光学系に属さない部品となる。【０１２７】
図１２（Ａ）及び（Ｂ）は、実施の形態６の第４及び第５の変形例における光ピックアップ装置の立ち上げミラーを側面から見た拡大図である。図１２（Ａ）及び（Ｂ）に示す光ピックアップ装置と、図１０（Ａ）及び（Ｂ）や図１１（Ａ）〜（Ｃ）に示す光ピックアップ装置とでは、第１の対物レンズ４６と第２の対物レンズ５６との配置が入れ替わっている。【０１２８】
図１２（Ａ）に示す光ピックアップ装置の場合、フィルタ２０は、第２の立ち上げミラー５５の反射面上に備えられている。この場合、フィルタ２０は、第１の波長λ１の光の反射率が５％以下であることが好ましい。このような構成とすることで、第２の立ち上げミラー５５を反射して第２の対物レンズ５６側に漏出する漏出光２３はほとんど無くなり、第２の対物レンズ５６が第１の波長λ１の光に露光されることがなくなる。【０１２９】
図１２（Ｂ）に示す光ピックアップ装置の場合、フィルタ２０は、第２の立ち上げミラー５５と第２の対物レンズ５６との間に配置されている。この場合、フィルタ２０は、第１の波長λ１の光の透過率が５％以下であることが好ましい。このような構成とすることで、漏出光２３の第２の立ち上げミラー５５による反射光がフィルタ２０で遮断され、第２の対物レンズ５６は第１の波長λ１の光に露光されなくなる。【０１３０】
なお、図１２（Ａ）及び（Ｂ）に示す構成の場合、第２の立ち上げミラー５５は第１の光学系に属する部品であり、第１の波長λ１に対する耐光性を考慮した構成とする必要がある。【０１３１】
このほか、本実施の形態６では、フィルタ２０を用いることによって得られる、実施の形態１で述べた様々な効果も同様に得られる。【０１３２】
（実施の形態７）
さらに、本発明の光ピックアップ装置を用いた光情報装置を図１３に示す。図１３は、実施の形態７における光情報装置の一例である光ディスクドライブの全体構成を示す図である。【０１３３】
光ディスクドライブ２００は、光ピックアップ装置２０１、モータ（回転系）２０５、トラバース（移送系）２０６及び制御回路２０７を備える。光ディスク２０２は、ターンテーブル２０３とクランパー２０４で挟んで固定され、モータ（回転系）２０５によって回転させられる。【０１３４】
実施の形態１から実施の形態６のいずれかに記載した光ピックアップ装置２０１はトラバース（移送系）２０６上に乗っている。トラバース２０６は、光ピックアップ装置２０１を光ディスク２０２の半径方向に移動させる。これにより、光ピックアップ装置２０１によって照射される光が光ディスク２０２の内周から外周まで移動できるようにしている。【０１３５】
制御回路２０７は、光ピックアップ装置２０１から受けた信号に基づいて、フォーカス制御、トラッキング制御、トラバース制御及びモータ２０５の回転制御等を行う。また、制御回路２０７は、再生信号から情報の再生や、記録信号の光ピックアップ装置２０１への送出を行う。【０１３６】
（実施の形態８）
実施の形態７に記した光ディスクドライブ（光情報装置）２００を具備したコンピュータを図１４に示す。図１４は、実施の形態８におけるコンピュータの全体構成を示す概略斜視図である。【０１３７】
図１４において、パーソナルコンピュータ（コンピュータ）２１０は、実施の形態７の光ディスクドライブ２００と、情報の入力を行うためのキーボード（入力部）２１１と、キーボード２１１から入力された情報及び光ディスクドライブ２００から再生された情報に基づいて演算を行う演算装置２１２と、情報の表示を行うためのモニタ（出力部）２１３とを備える。【０１３８】
上述の実施の形態７の光ディスクドライブ２００を外部記憶装置として具備したコンピュータ２１０は、異なる種類の光ディスクに情報を安定に記録あるいは再生でき、広い用途に使用できる。光ディスクドライブ２００は、その大容量性を生かして、コンピュータ２１０内のハードディスクのバックアップデータを記録することができる。また、光ディスクドライブ２００は、メディア（光ディスク）が安価で容易に携帯できること、あるいは他の光ディスクドライブでも情報が読み出せるという互換性があることを生かして、プログラムやデータを人と交換したり、自分用に持ち歩いたりすることができる。また、ＤＶＤやＣＤ等の既存のメディアの再生／記録にも対応できる。【０１３９】
（実施の形態９）
実施の形態７に記した光ディスクドライブ（光情報装置）２００を具備した光ディスクレコーダ（映像記録再生装置）を図１５に示す。図１５は、実施の形態９における光ディスクレコーダの全体構成を示す概略斜視図である。【０１４０】
図１５において、光ディスクレコーダ２２０は実施の形態７の光ディスクドライブ２００と、画像情報を光ディスクドライブ２００によって記録する情報に変換するエンコーダ２２１とを内蔵しており、記録している映像の表示を行うためのモニタ２２２と接続されて使用される。【０１４１】
上述の実施の形態７の光ディスクドライブ２００を具備した光ディスクレコーダ２２０は、異なる種類の光ディスクに映像を安定して記録あるいは再生でき、広い用途に使用できる。光ディスクレコーダ２２０は、メディア（光ディスク）に映像を記録し、好きな時にそれを再生することができる。光ディスクはテープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で容易に携帯できるであること、あるいは他の光ディスクレコーダでも情報が読み出せるという互換性があることを生かして、記録した映像を人と交換したり、自分用に持ち歩いたりすることができる。また、ＤＶＤやＣＤ等の既存のメディアの再生／記録にも対応する。【０１４２】
なお、ここでは、光ディスクレコーダ２２０が光ディスクドライブ２００だけを備える場合について述べたが、ハードディスクドライブを内蔵していても良いし、ビデオテープの録画再生機能を内蔵していても良い。その場合、映像の一時退避や、バックアップが容易にできる。【０１４３】
（実施の形態１０）
実施の形態７に記した光ディスクドライブ（光情報装置）２００を具備した光ディスクプレーヤ（映像再生装置）を図１６に示す。図１６は、実施の形態１０における光ディスクプレーヤの全体構成を示す概略斜視図である。【０１４４】
図１６において、液晶モニタ２３０を備えた光ディスクプレーヤ２３１は、実施の形態７の光ディスクドライブ２００と、光ディスクドライブ２００から得られる情報信号を画像に変換するデコーダ２３２とを内蔵しており、光ディスクに記録された映像を液晶モニタ２３０に表示する。上述の実施の形態７の光ディスクドライブ２００を具備した光ディスクプレーヤ２３１は、異なる種類の光ディスクの映像を安定に再生でき、広い用途に使用できる。【０１４５】
光ディスクプレーヤ２３１は、メディア（光ディスク）に記録された映像を、好きな時に再生することができる。光ディスクはテープのように再生後に巻き戻しの作業が必要なく、ある映像の任意の場所にアクセスして再生することができる。また、ＤＶＤやＣＤ等の既存のメディアの再生にも対応する。【０１４６】
（実施の形態１１）
実施の形態７に記した光ディスクドライブ（光情報装置）２００を具備した光ディスクサーバを図１７に示す。図１７は、実施の形態１１における光ディスクサーバの全体構成を示す概略斜視図である。【０１４７】
図１７において、光ディスクサーバ２４０は、実施の形態７の光ディスクドライブ２００と、情報の入力を行うためのキーボード２４１と、情報の表示を行うためのモニタ２４２と、光ディスクドライブ２００によって記録又は再生される情報の入出力を外部と行う入出力部２４３とを備える。入出力部２４３は、例えばインターネットなどのネットワーク２４４と接続されている。【０１４８】
上述の実施の形態７の光ディスクドライブ２００を外部記憶装置として具備した光ディスクサーバ２４０は、異なる種類の光ディスクに情報を安定に記録あるいは再生でき、広い用途に使用できる。光ディスクドライブ２００は、その大容量性を生かして、ネットワーク２４４からの要求に応じ、光ディスクに記録されている情報（例えば、画像、音声、映像、ＨＴＭＬ文書及びテキスト文書等）を送出する。また、光ディスクドライブ２００は、ネットワーク２４４から送られてくる情報をその要求された場所に記録する。また、ＤＶＤやＣＤ等の既存のメディアに記録された情報も再生が可能であるので、それらの情報を送出することも可能となる。【０１４９】
（実施の形態１２）
実施の形態７に記した光ディスクドライブ（光情報装置）２００を具備したカーナビゲーションシステムを図１８に示す。図１８は、実施の形態１２におけるカーナビゲーションシステムの全体構成を示す概略斜視図である。【０１５０】
図１８において、カーナビゲーションシステム２５０は、実施の形態７の光ディスクドライブ２００と、光ディスクドライブ２００から得られる情報信号を画像に変換するデコーダ２５１とを内蔵しており、地形や行き先情報の表示を行うための液晶モニタ２５２と接続されて使用される。【０１５１】
上述の実施の形態７の光ディスクドライブ２００を具備したカーナビゲーションシステム２５０は、異なる種類の光ディスクに映像を安定に記録あるいは再生でき、広い用途に使用できる。カーナビゲーションシステム２５０は、メディア（光ディスク）に記録された地図情報と、地上位置確定システム（ＧＰＳ）や、ジャイロスコープ、速度計及び走行距離計等の情報に基づいて、現在位置を割り出し、その位置を液晶モニタ２５２上に表示する。また、カーナビゲーションシステム２５０は、行き先が入力されると、地図情報や道路情報に基づいて、行き先までの最適な経路を割り出し、それを液晶モニタ２５２に表示する。【０１５２】
地図情報を記録するために大容量の光ディスクを用いることで、一枚の光ディスクで広い地域をカバーして細かい道路情報を提供することができる。また、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めた光ディスクと交換することで最新の情報を得ることができる。またＤＶＤやＣＤ等の既存のメディアの再生／記録にも対応するため、自動車の中で映画を見たり音楽を聴いたりすることも可能である。【０１５３】
なお、上述した具体的実施形態には以下の構成を有する発明が主に含まれている。【０１５４】
本発明の一局面に係る光ピックアップ装置は、第１の波長を有する第１の光ビームを放射する第１の光源と、前記第１の光源から放射された前記第１の光ビームを第１の光ディスクに導く第１の光学系と、前記第１の波長とは異なる第２の波長を有する第２の光ビームを放射する第２の光源と、前記第２の光源から放射された前記第２の光ビームを、前記第１の光ディスクとは記録密度の異なる第２の光ディスクに導く第２の光学系と、前記第１の光学系から漏出する前記第１の波長を有する不要な光ビームが、前記第２の光学系を構成する光学部品に照射されるのを遮る位置に配置され、前記第１の波長を有する第１の光ビームを遮光する遮光部とを備える。【０１５５】
この構成によれば、第１の光源によって、第１の波長を有する第１の光ビームが放射され、第１の光学系によって、第１の光源から放射された第１の光ビームが第１の光ディスクに導かれる。また、第２の光源によって、第１の波長とは異なる第２の波長を有する第２の光ビームが放射され、第２の光学系によって、第２の光源から放射された第２の光ビームが、第１の光ディスクとは記録密度の異なる第２の光ディスクに導かれる。そして、第１の光学系から漏出する第１の波長を有する不要な光ビームが、第２の光学系を構成する光学部品に照射されるのを遮る位置に配置された遮光部によって、第１の波長を有する第１の光ビームが遮光される。【０１５６】
したがって、第１の波長を有する第１の光ビームが第２の光学系を構成する光学部品に照射されないので、第２の光学系を構成する光学部品の損傷や性能劣化を防止することができ、光ピックアップ装置の記録再生性能の劣化を低減することができる。【０１５７】
また、第１の光源から出射する第１の光ビームの出射光量を制限する必要がなくなり、多層光ディスクへの記録再生や高速での記録再生を実現するために、大光量の第１の光ビームを出射する光ピックアップ装置を構成することができる。また、遮光部を構成する光学部品を薄膜素子で構成することで、光ピックアップ装置を小型化することができる。【０１５８】
また、上記の光ピックアップ装置において、前記第１の光学系は、前記第１の光源から放射された前記第１の光ビームを、前記第１の光ディスクの記録面に略垂直になるよう折り曲げる第１の立ち上げミラーを含み、前記第２の光学系は、前記第２の光源から放射された前記第２の光ビームを、前記第２の光ディスクの記録面に略垂直になるよう折り曲げる第２の立ち上げミラーを含み、前記第１の立ち上げミラーに前記第１の光源側から入射する第１の光ビームの光軸と、前記第２の立ち上げミラーに前記第２の光源側から入射する第２の光ビームの光軸とが、略平行であることが好ましい。【０１５９】
この構成によれば、第１の立ち上げミラーによって、第１の光源から放射された第１の光ビームが、第１の光ディスクの記録面に略垂直になるよう折り曲げられ、第２の立ち上げミラーによって、第２の光源から放射された第２の光ビームが、第２の光ディスクの記録面に略垂直になるよう折り曲げられる。そして、第１の立ち上げミラーに第１の光源側から入射する第１の光ビームの光軸と、第２の立ち上げミラーに第２の光源側から入射する第２の光ビームの光軸とが略平行となる。【０１６０】
したがって、第１の立ち上げミラーに第１の光源側から入射する第１の光ビームの光軸と、第２の立ち上げミラーに第２の光源側から入射する第２の光ビームの光軸とが略平行となるように、第１の光学系及び第２の光学系の光学部品を配置することができる。【０１６１】
また、上記の光ピックアップ装置において、前記第１の光源と前記第２の光源とは互いに対向する位置に配置され、前記第１の立ち上げミラーと前記第２の立ち上げミラーとは、前記第１の光ディスク及び前記第２の光ディスクの半径方向に垂直な方向に並んで配置されることが好ましい。この構成によれば、第１の立ち上げミラーから漏出した第１の波長を有する不要な光ビームが第２の立ち上げミラーに入射するのを防止することができる。【０１６２】
また、上記の光ピックアップ装置において、前記遮光部は、前記第１の立ち上げミラーと前記第２の立ち上げミラーとの間に配置され、前記第１の波長を有する第１の光ビームを遮光するフィルタを含むことが好ましい。【０１６３】
この構成によれば、第１の立ち上げミラーと第２の立ち上げミラーとの間に配置されたフィルタによって、第１の波長を有する第１の光ビームが遮光されるので、第１の立ち上げミラーを透過した不要な光ビームが第２の立ち上げミラーに入射するのを防止することができる。【０１６４】
また、上記の光ピックアップ装置において、前記遮光部は、前記第１の立ち上げミラーの前記第１の光ビームの折り曲げ面に配置され、前記第１の波長を有する第１の光ビームを遮光するフィルタを含むことが好ましい。【０１６５】
この構成によれば、第１の立ち上げミラーの第１の光ビームの折り曲げ面に配置されたフィルタによって、第１の波長を有する第１の光ビームが遮光されるので、第１の立ち上げミラーから第２の立ち上げミラーに向かって不要な光ビームが透過するのを防止することができる。【０１６６】
また、上記の光ピックアップ装置において、前記遮光部は、前記第２の立ち上げミラーの前記第２の光ビームの折り曲げ面に配置され、前記第１の波長を有する第１の光ビームを遮光するフィルタを含むことが好ましい。【０１６７】
この構成によれば、第２の立ち上げミラーの第２の光ビームの折り曲げ面に配置されたフィルタによって、第１の波長を有する第１の光ビームが遮光されるので、第１の立ち上げミラーを透過した不要な光ビームが第２の立ち上げミラーに入射するのを防止することができる。【０１６８】
また、上記の光ピックアップ装置において、前記フィルタは、前記第１の波長を有する第１の光ビームの透過率が５％以下であることが好ましい。【０１６９】
この構成によれば、第１の波長を有する第１の光ビームに対するフィルタの透過率が５％以下であるので、第１の立ち上げミラーから第２の立ち上げミラーに漏出する不要な光ビームの量を光学部品が損傷及び性能劣化しない程度に抑えることができる。【０１７０】
また、上記の光ピックアップ装置において、前記第１の立ち上げミラー及び前記第２の立ち上げミラーは、それぞれ平板で形成された光学部品であり、前記遮光部は、前記第１の立ち上げミラー及び前記第２の立ち上げミラーを保持するとともに、前記第１の波長を有する光ビームを透過しない材料で形成されたホルダを含むことが好ましい。【０１７１】
この構成によれば、第１の立ち上げミラー及び第２の立ち上げミラーは、それぞれ平板で形成された光学部品である。そして、第１の波長を有する光ビームを透過しない材料で形成されたホルダによって、第１の立ち上げミラー及び第２の立ち上げミラーが保持される。【０１７２】
したがって、第１の立ち上げミラー及び第２の立ち上げミラーを保持するホルダによって、第１の立ち上げミラーを透過した不要な光ビームが第２の立ち上げミラーに入射するのを防止することができる。【０１７３】
また、上記の光ピックアップ装置において、前記ホルダは、光学部品を支持する光学基台上に形成されていることが好ましい。この構成によれば、ホルダが、光学部品を支持する光学基台上に形成されているので、第１の立ち上げミラー及び第２の立ち上げミラーを光学基台に固定することができ、安定した記録再生を実現することができる。【０１７４】
また、上記の光ピックアップ装置において、前記遮光部は、前記第１の立ち上げミラーにおける前記第１の光ビームの折り曲げ面以外の面の少なくとも１つの面に配置され、前記第１の波長を有する第１の光ビームを吸収し、吸収されずに透過又は反射される成分が吸収前の５％以下であることが好ましい。【０１７５】
この構成によれば、第１の立ち上げミラーにおける第１の光ビームの折り曲げ面以外の面の少なくとも１つの面に配置された遮光部によって、第１の波長を有する第１の光ビームが吸収される。そして、このとき吸収されずに透過又は反射される成分が吸収前の５％以下である。したがって、第１の立ち上げミラーにおける第１の光ビームの折り曲げ面以外の面から出射する不要な光ビームが第２の立ち上げミラーに入射するのを防止することができる。【０１７６】
また、上記の光ピックアップ装置において、前記遮光部は、前記第１の立ち上げミラーにおける前記第１の光ビームの折り曲げ面以外の面の少なくとも１つの面に配置され、前記第１の波長を有する第１の光ビームを反射させ、その反射率が５％以下であることが好ましい。【０１７７】
この構成によれば、第１の立ち上げミラーにおける第１の光ビームの折り曲げ面以外の面の少なくとも１つの面に配置された遮光部によって、第１の波長を有する第１の光ビームが反射する。そして、第１の光ビームの折り曲げ面以外の面の少なくとも１つの面の反射率は５％以下である。したがって、第１の立ち上げミラーにおける第１の光ビームの折り曲げ面以外の面から出射する不要な光ビームが第２の立ち上げミラーに入射するのを防止することができる。【０１７８】
また、上記の光ピックアップ装置において、前記第１の光学系は、前記第１の光ビームを前記第１の光ディスクに合焦させる第１の対物レンズを含み、前記第２の光学系は、前記第２の光ビームを前記第２の光ディスクに合焦させる第２の対物レンズを含み、前記第１の対物レンズと前記第２の対物レンズとを同時に保持するレンズホルダをさらに備え、前記遮光部は、前記レンズホルダ内において、前記第１の光ビームが通過する光路と、前記第２の光ビームが通過する光路とを分離する壁を含み、前記壁は、前記第１の波長を有する第１の光ビームを遮光することが好ましい。【０１７９】
この構成によれば、第１の対物レンズによって、第１の光ビームが第１の光ディスクに合焦され、第２の対物レンズによって、第２の光ビームが第２の光ディスクに合焦される。そして、レンズホルダによって、第１の対物レンズと第２の対物レンズとが同時に保持される。壁によって、レンズホルダ内において、第１の光ビームが通過する光路と、第２の光ビームが通過する光路とが分離され、第１の波長を有する第１の光ビームが遮光される。【０１８０】
したがって、レンズホルダ内において、第２の対物レンズが通過する光路上の光学部品に第１の光ビームが漏出するのを防止することができる。【０１８１】
また、上記の光ピックアップ装置において、前記遮光部は、前記レンズホルダ内の前記第２の光ビームが通過する光路中における前記第２の対物レンズと前記第２の立ち上げミラーとの間に配置され、前記第１の波長を有する第１の光ビームを遮断し、前記第２の波長を有する第２の光ビームを透過させる波長選択フィルタをさらに含むことが好ましい。【０１８２】
この構成によれば、レンズホルダ内の第２の光ビームが通過する光路中における第２の対物レンズと第２の立ち上げミラーとの間に配置された波長選択フィルタによって、第１の波長を有する第１の光ビームが遮断され、第２の波長を有する第２の光ビームが透過される。【０１８３】
したがって、レンズホルダ内において、第２の対物レンズが通過する光路上の光学部品に第１の光ビームが漏出するのを確実に防止することができる。【０１８４】
また、上記の光ピックアップ装置において、前記第１の光学系は、前記第１の光源から放射された前記第１の光ビームを、前記第１の光ディスクの記録面に略垂直になるよう折り曲げる第１の立ち上げミラーを含み、前記第２の光学系は、前記第２の光源から放射された前記第２の光ビームを、前記第２の光ディスクの記録面に略垂直になるよう折り曲げる第２の立ち上げミラーを含み、前記第１の光源と前記第２の光源とは互いに対向する位置に配置され、前記第１の立ち上げミラーと前記第２の立ち上げミラーとは、前記第１の光ディスク及び前記第２の光ディスクの半径方向に並んで配置されることが好ましい。【０１８５】
この構成によれば、第１の立ち上げミラーによって、第１の光源から放射された第１の光ビームが、第１の光ディスクの記録面に略垂直になるよう折り曲げられ、第２の立ち上げミラーによって、第２の光源から放射された第２の光ビームが、第２の光ディスクの記録面に略垂直になるよう折り曲げられる。そして、第１の光源と第２の光源とは互いに対向する位置に配置されており、第１の立ち上げミラーと第２の立ち上げミラーとは、第１の光ディスク及び第２の光ディスクの半径方向に並んで配置される。【０１８６】
したがって、第１の立ち上げミラー及び第２の立ち上げミラーを第１の光ディスク及び第２の光ディスクの半径方向に垂直な方向に並べた場合に比べて、光ピックアップ装置を小型化することができる。【０１８７】
また、上記の光ピックアップ装置において、前記遮光部は、前記第１の光ビームの光軸方向に交わるとともに、前記第１の立ち上げミラーの第１の光ビームの入射面とは異なる面側に配置され、前記第１の波長を有する第１の光ビームを遮光するフィルタを含むことが好ましい。【０１８８】
この構成によれば、第１の光ビームの光軸方向に交わるとともに、第１の立ち上げミラーの第１の光ビームの入射面とは異なる面側に配置されたフィルタによって、第１の波長を有する第１の光ビームが遮光される。したがって、第１の立ち上げミラーの第１の光ビームの入射面とは異なる面側から漏出する不要な光ビームが第２の光学系に入射するのを防止することができる。【０１８９】
また、上記の光ピックアップ装置において、前記遮光部は、前記第１の立ち上げミラーと前記第２の立ち上げミラーとの間に配置され、前記第１の波長を有する第１の光ビームを遮光するフィルタを含むことが好ましい。【０１９０】
この構成によれば、第１の立ち上げミラーと第２の立ち上げミラーとの間に配置されたフィルタによって、第１の波長を有する第１の光ビームが遮光される。したがって、第１の光学系を構成する光学部品の外側を通る光ビームや光学基台内外で発生する不要な内部反射迷光が第２の光学系に入射するのを防止することができる。【０１９１】
また、上記の光ピックアップ装置において、前記第１の光ビームと前記第２の光ビームとは同一方向から照射され、前記第１の立ち上げミラーに入射する第１の光ビームの光軸と、前記第２の立ち上げミラーに入射する第２の光ビームの光軸とが一致することが好ましい。【０１９２】
この構成によれば、第１の光ビームと第２の光ビームとは同一方向から照射され、第１の立ち上げミラーに入射する第１の光ビームの光軸と、第２の立ち上げミラーに入射する第２の光ビームの光軸とが一致するので、第１の光源と第２の光源とを対向する位置に配置する場合に比べて、光ピックアップ装置を小型化することができる。【０１９３】
また、上記の光ピックアップ装置において、前記第１の立ち上げミラーは、前記第１の光源から放射された前記第１の光ビームを、前記第１の光ディスクの記録面に略垂直になるよう折り曲げるとともに、前記第２の光ビームを透過させ、前記第２の立ち上げミラーは、前記第１の立ち上げミラーを透過した前記第２の光ビームを、前記第２の光ディスクの記録面に略垂直になるよう折り曲げ、前記遮光部は、前記第１の立ち上げミラーと前記第２の立ち上げミラーとの間に配置され、前記第１の波長を有する第１の光ビームを遮光するフィルタを含むことが好ましい。【０１９４】
この構成によれば、第１の立ち上げミラーと第２の立ち上げミラーとの間に配置されたフィルタによって、第１の波長を有する第１の光ビームが遮光されるので、第２の光ビームと共に第１の立ち上げミラーを透過した不要な光ビームが第２の立ち上げミラーに入射するのを防止することができる。【０１９５】
また、上記の光ピックアップ装置において、前記第１の立ち上げミラーは、前記第１の光源から放射された前記第１の光ビームを、前記第１の光ディスクの記録面に略垂直になるよう折り曲げるとともに、前記第２の光ビームを透過させ、前記第２の立ち上げミラーは、前記第１の立ち上げミラーを透過した前記第２の光ビームを、前記第２の光ディスクの記録面に略垂直になるよう折り曲げ、前記第２の光学系は、前記第２の立ち上げミラーによって折り曲げられた前記第２の光ビームを前記第２の光ディスクに合焦させる第２の対物レンズを含み、前記遮光部は、前記第２の立ち上げミラーと前記第２の対物レンズとの間に配置され、前記第１の波長を有する第１の光ビームを遮光するフィルタを含むことが好ましい。【０１９６】
この構成によれば、第２の対物レンズによって、第２の立ち上げミラーによって折り曲げられた第２の光ビームが第２の光ディスクに合焦され、第２の立ち上げミラーと第２の対物レンズとの間に配置されたフィルタによって、第１の波長を有する第１の光ビームが遮光される。【０１９７】
したがって、第２の光ビームと共に第２の立ち上げミラーによって折り曲げられた不要な光ビームが第２の対物レンズに入射するのを防止することができる。【０１９８】
また、上記の光ピックアップ装置において、前記第２の光学系は、樹脂材料で形成された少なくとも１つ以上の光学部品を有することが好ましい。【０１９９】
樹脂材料で形成された光学部品は、短波長の光ビームが照射されることで損傷及び性能劣化しやすくなる。しかしながら、この構成によれば、第１の光学系から漏出した光ビームが第２の光学系に入射しないので、樹脂材料で形成された光学部品で第２の光学系を構成することができ、光ピックアップ装置の製造コストを低減することができる。【０２００】
また、上記の光ピックアップ装置において、前記第１の波長は、３９０ｎｍ〜４２０ｎｍであることが好ましい。この構成によれば、３９０ｎｍ〜４２０ｎｍの波長を有する青色レーザ光の不要な光ビームが、第２の光学系を構成する光学部品に入射するのを防止することができる。【０２０１】
本発明の他の局面に係る光情報装置は、上記の光ピックアップ装置と、光ディスクを回転するモータと、前記光ピックアップ装置から得られる信号を受け、前記信号に基づいて、フォーカス制御、トラッキング制御、情報再生制御及び前記モータの回転制御を行う制御部とを備える。【０２０２】
この構成によれば、光ピックアップ装置から得られる信号に基づいて、フォーカス制御、トラッキング制御、情報再生制御及びモータの回転制御が行われる。したがって、上記の光ピックアップ装置を光情報装置に適用することができる。【０２０３】
本発明の他の局面に係るコンピュータは、上記の光情報装置と、情報を入力するための入力部と、前記入力部から入力された情報及び前記光情報装置から再生された情報に基づいて演算を行う演算装置と、前記入力部から入力された情報、前記光情報装置から再生された情報、及び前記演算装置によって演算された結果を出力する出力部とを備える。【０２０４】
この構成によれば、入力部によって、情報が入力され、演算部によって、入力部から入力された情報及び光情報装置から再生された情報に基づいて演算が行われる。そして、出力部によって、入力部から入力された情報、光情報装置から再生された情報、及び演算装置によって演算された結果が出力される。したがって、上記の光ピックアップ装置を備える光情報装置をコンピュータに適用することができる。【０２０５】
本発明の他の局面に係る光ディスクプレーヤは、上記の光情報装置と、前記光情報装置から得られる情報信号を画像に変換するデコーダとを備える。【０２０６】
この構成によれば、デコーダによって、光情報装置から得られる情報信号が画像に変換されるので、上記の光ピックアップ装置を備える光情報装置を光ディスクプレーヤに適用することができる。【０２０７】
本発明の他の局面に係るカーナビゲーションシステムは、上記の光情報装置と、前記光情報装置から得られる情報信号を画像に変換するデコーダとを備える。【０２０８】
この構成によれば、デコーダによって、光情報装置から得られる情報信号が画像に変換されるので、上記の光ピックアップ装置を備える光情報装置をカーナビゲーションシステムに適用することができる。【０２０９】
本発明の他の局面に係る光ディスクレコーダは、上記の光情報装置と、画像情報を前記光情報装置によって記録する情報に変換するエンコーダとを備える。【０２１０】
この構成によれば、エンコーダによって、画像情報が光情報装置によって記録する情報に変換されるので、上記の光ピックアップ装置を備える光情報装置を光ディスクレコーダに適用することができる。【０２１１】
本発明の他の局面に係る光ディスクサーバは、上記の光情報装置と、前記光情報装置によって記録又は再生される情報の入出力を外部と行う入出力部とを備える。【０２１２】
この構成によれば、入出力部によって、光情報装置によって記録又は再生される情報の入出力が外部と行われるので、上記の光ピックアップ装置を備える光情報装置を光ディスクサーバに適用することができる。
【産業上の利用可能性】
【０２１３】
本発明に係る光ピックアップ装置、光情報装置、コンピュータ、光ディスクプレーヤ、カーナビゲーションシステム、光ディスクレコーダ及び光ディスクサーバは、第２の光学系を構成する光学部品の損傷や性能劣化を防止することができ、記録再生性能の劣化を低減することができ、光ディスクに情報を記録する及び／又は光ディスクから情報を再生する光ピックアップ装置、光情報装置、コンピュータ、光ディスクプレーヤ、カーナビゲーションシステム、光ディスクレコーダ及び光ディスクサーバとして有用である。また、光ディスクを利用するコンピュータからＡＶ機器まで、幅広い産業分野で利用することができ、その産業上の利用可能性は非常に広く且つ大きい。
【図１】
2008044601.tif 000003
【図２】
2008044601.tif 000004
【図３】
2008044601.tif 000005
【図４】
2008044601.tif 000006
【図５】
2008044601.tif 000007
【図６】
2008044601.tif 000008
【図７】
2008044601.tif 000009
【図８】
2008044601.tif 000010
【図９】
2008044601.tif 000011
【図１０】
2008044601.tif 000012
【図１１】
2008044601.tif 000013
【図１２】
2008044601.tif 000014
【図１３】
2008044601.tif 000015
【図１４】
2008044601.tif 000016
【図１５】
2008044601.tif 000017
【図１６】
2008044601.tif 000018
【図１７】
2008044601.tif 000019
【図１８】
2008044601.tif 000020
【図１９】
2008044601.tif 000021
【図２０】
2008044601.tif 000022
【図２１】
2008044601.tif 000023
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
第１の波長を有する第１の光ビームを放射する第１の光源と、
前記第１の光源から放射された前記第１の光ビームを第１の光ディスクに導く第１の光学系と、
前記第１の波長とは異なる第２の波長を有する第２の光ビームを放射する第２の光源と、
前記第２の光源から放射された前記第２の光ビームを、前記第１の光ディスクとは記録密度の異なる第２の光ディスクに導く第２の光学系と、
前記第１の光学系から漏出する前記第１の波長を有する不要な光ビームが、前記第２の光学系を構成する光学部品に照射されるのを遮る位置に配置され、前記第１の波長を有する第１の光ビームを遮光する遮光部とを備えることを特徴とする光ピックアップ装置。
【請求項２】
前記第１の光学系は、前記第１の光源から放射された前記第１の光ビームを、前記第１の光ディスクの記録面に略垂直になるよう折り曲げる第１の立ち上げミラーを含み、
前記第２の光学系は、前記第２の光源から放射された前記第２の光ビームを、前記第２の光ディスクの記録面に略垂直になるよう折り曲げる第２の立ち上げミラーを含み、
前記第１の立ち上げミラーに前記第１の光源側から入射する第１の光ビームの光軸と、前記第２の立ち上げミラーに前記第２の光源側から入射する第２の光ビームの光軸とが、略平行であることを特徴とする請求項１記載の光ピックアップ装置。
【請求項３】
前記第１の光源と前記第２の光源とは互いに対向する位置に配置され、
前記第１の立ち上げミラーと前記第２の立ち上げミラーとは、前記第１の光ディスク及び前記第２の光ディスクの半径方向に垂直な方向に並んで配置されることを特徴とする請求項２記載の光ピックアップ装置。
【請求項４】
前記遮光部は、前記第１の立ち上げミラーと前記第２の立ち上げミラーとの間に配置され、前記第１の波長を有する第１の光ビームを遮光するフィルタを含むことを特徴とする請求項３記載の光ピックアップ装置。
【請求項５】
前記遮光部は、前記第１の立ち上げミラーの前記第１の光ビームの折り曲げ面に配置され、前記第１の波長を有する第１の光ビームを遮光するフィルタを含むことを特徴とする請求項３記載の光ピックアップ装置。
【請求項６】
前記遮光部は、前記第２の立ち上げミラーの前記第２の光ビームの折り曲げ面に配置され、前記第１の波長を有する第１の光ビームを遮光するフィルタを含むことを特徴とする請求項３記載の光ピックアップ装置。
【請求項７】
前記フィルタは、前記第１の波長を有する第１の光ビームの透過率が５％以下であることを特徴とする請求項４〜６のいずれかに記載の光ピックアップ装置。
【請求項８】
前記第１の立ち上げミラー及び前記第２の立ち上げミラーは、それぞれ平板で形成された光学部品であり、
前記遮光部は、前記第１の立ち上げミラー及び前記第２の立ち上げミラーを保持するとともに、前記第１の波長を有する光ビームを透過しない材料で形成されたホルダを含むことを特徴とする請求項３記載の光ピックアップ装置。
【請求項９】
前記ホルダは、光学部品を支持する光学基台上に形成されていることを特徴とする請求項７記載の光ピックアップ装置。
【請求項１０】
前記遮光部は、前記第１の立ち上げミラーにおける前記第１の光ビームの折り曲げ面以外の面の少なくとも１つの面に配置され、前記第１の波長を有する第１の光ビームを吸収し、吸収されずに透過又は反射される成分が吸収前の５％以下であることを特徴とする請求項３記載の光ピックアップ装置。
【請求項１１】
前記遮光部は、前記第１の立ち上げミラーにおける前記第１の光ビームの折り曲げ面以外の面の少なくとも１つの面に配置され、前記第１の波長を有する第１の光ビームを反射させ、その反射率が５％以下であることを特徴とする請求項３記載の光ピックアップ装置。
【請求項１２】
前記第１の光学系は、前記第１の光ビームを前記第１の光ディスクに合焦させる第１の対物レンズを含み、
前記第２の光学系は、前記第２の光ビームを前記第２の光ディスクに合焦させる第２の対物レンズを含み、
前記第１の対物レンズと前記第２の対物レンズとを同時に保持するレンズホルダをさらに備え、
前記遮光部は、前記レンズホルダ内において、前記第１の光ビームが通過する光路と、前記第２の光ビームが通過する光路とを分離する壁を含み、
前記壁は、前記第１の波長を有する第１の光ビームを遮光することを特徴とする請求項１記載の光ピックアップ装置。
【請求項１３】
前記第２の光学系は、前記第２の光源から放射された前記第２の光ビームを、前記第２の光ディスクの記録面に略垂直になるよう折り曲げる第２の立ち上げミラーを含み、
前記遮光部は、前記レンズホルダ内の前記第２の光ビームが通過する光路中における前記第２の対物レンズと前記第２の立ち上げミラーとの間に配置され、前記第１の波長を有する第１の光ビームを遮断し、前記第２の波長を有する第２の光ビームを透過させる波長選択フィルタをさらに含むことを特徴とする請求項１２記載の光ピックアップ装置。
【請求項１４】
前記第１の光学系は、前記第１の光源から放射された前記第１の光ビームを、前記第１の光ディスクの記録面に略垂直になるよう折り曲げる第１の立ち上げミラーを含み、
前記第２の光学系は、前記第２の光源から放射された前記第２の光ビームを、前記第２の光ディスクの記録面に略垂直になるよう折り曲げる第２の立ち上げミラーを含み、
前記第１の光源と前記第２の光源とは互いに対向する位置に配置され、
前記第１の立ち上げミラーと前記第２の立ち上げミラーとは、前記第１の光ディスク及び前記第２の光ディスクの半径方向に並んで配置されることを特徴とする請求項１記載の光ピックアップ装置。
【請求項１５】
前記遮光部は、前記第１の光ビームの光軸方向に交わるとともに、前記第１の立ち上げミラーの第１の光ビームの入射面とは異なる面側に配置され、前記第１の波長を有する第１の光ビームを遮光するフィルタを含むことを特徴とする請求項１４記載の光ピックアップ装置。
【請求項１６】
前記遮光部は、前記第１の立ち上げミラーと前記第２の立ち上げミラーとの間に配置され、前記第１の波長を有する第１の光ビームを遮光するフィルタを含むことを特徴とする請求項１４記載の光ピックアップ装置。
【請求項１７】
前記第１の光ビームと前記第２の光ビームとは同一方向から照射され、
前記第１の立ち上げミラーに入射する第１の光ビームの光軸と、前記第２の立ち上げミラーに入射する第２の光ビームの光軸とが一致することを特徴とする請求項２記載の光ピックアップ装置。
【請求項１８】
前記第１の立ち上げミラーは、前記第１の光源から放射された前記第１の光ビームを、前記第１の光ディスクの記録面に略垂直になるよう折り曲げるとともに、前記第２の光ビームを透過させ、
前記第２の立ち上げミラーは、前記第１の立ち上げミラーを透過した前記第２の光ビームを、前記第２の光ディスクの記録面に略垂直になるよう折り曲げ、
前記遮光部は、前記第１の立ち上げミラーと前記第２の立ち上げミラーとの間に配置され、前記第１の波長を肴する第１の光ビームを遮光するフィルタを含むことを特徴とする請求項１７記載の光ピックアップ装置。
【請求項１９】
前記第１の立ち上げミラーは、前記第１の光源から放射された前記第１の光ビームを、前記第１の光ディスクの記録面に略垂直になるよう折り曲げるとともに、前記第２の光ビームを透過させ、
前記第２の立ち上げミラーは、前記第１の立ち上げミラーを透過した前記第２の光ビームを、前記第２の光ディスクの記録面に略垂直になるよう折り曲げ、
前記第２の光学系は、前記第２の立ち上げミラーによって折り曲げられた前記第２の光ビームを前記第２の光ディスクに合焦させる第２の対物レンズを含み、
前記遮光部は、前記第２の立ち上げミラーと前記第２の対物レンズとの間に配置され、前記第１の波長を有する第１の光ビームを遮光するフィルタを含むことを特徴とする請求項１７記載の光ピックアップ装置。
【請求項２０】
前記第２の光学系は、樹脂材料で形成された少なくとも１つ以上の光学部品を有することを特徴とする請求項１〜１９のいずれかに記載の光ピックアップ装置。
【請求項２１】
前記第１の波長は、３９０ｎｍ〜４２０ｎｍであることを特徴とする請求項１〜２０のいずれかに記載の光ピックアップ装置。
【請求項２２】
請求項１〜２１のいずれかに記載の光ピックアップ装置と、
光ディスクを回転するモータと、
前記光ピックアップ装置から得られる信号を受け、前記信号に基づいて、フォーカス制御、トラッキング制御、情報再生制御及び前記モータの回転制御を行う制御部とを備えることを特徴とする光情報装置。
【請求項２３】
請求項２２記載の光情報装置と、
情報を入力するための入力部と、
前記入力部から入力された情報及び前記光情報装置から再生された情報に基づいて演算を行う演算装置と、
前記入力部から入力された情報、前記光情報装置から再生された情報、及び前記演算装置によって演算された結果を出力する出力部とを備えることを特徴とするコンピュータ。
【請求項２４】
請求項２２記載の光情報装置と、
前記光情報装置から得られる情報信号を画像に変換するデコーダとを備えることを特徴とする光ディスクプレーヤ。
【請求項２５】
請求項２２記載の光情報装置と、
前記光情報装置から得られる情報信号を画像に変換するデコーダとを備えることを特徴とするカーナビゲーションシステム。
【請求項２６】
請求項２２記載の光情報装置と、
画像情報を前記光情報装置によって記録する情報に変換するエンコーダとを備えることを特徴とする光ディスクレコーダ。
【請求項２７】
請求項２２記載の光情報装置と、
前記光情報装置によって記録又は再生される情報の入出力を外部と行う入出力部とを備えることを特徴とする光ディスクサーバ。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
３９０ｎｍ〜４２０ｎｍの第１の波長を有する第１の光ビームを放射する第１の光源と、
前記第１の光源から放射された前記第１の光ビームを第１の光ディスクに導く第１の光学系と、
前記第１の波長とは異なる第２の波長を有する第２の光ビームを放射する第２の光源と、
前記第２の光源から放射された前記第２の光ビームを、前記第１の光ディスクとは記録密度の異なる第２の光ディスクに導く第２の光学系と、
前記第１の光学系から漏出する前記第１の波長を有する不要な光ビームが、前記第２の光学系を構成する光学部品に照射されるのを遮る位置に配置され、前記第１の波長を有する第１の光ビームを遮光する遮光部とを備えることを特徴とする光ピックアップ装置。
【請求項２】
前記第１の光学系は、前記第１の光源から放射された前記第１の光ビームを、前記第１の光ディスクの記録面に略垂直になるよう折り曲げる第１の立ち上げミラーを含み、
前記第２の光学系は、前記第２の光源から放射された前記第２の光ビームを、前記第２の光ディスクの記録面に略垂直になるよう折り曲げる第２の立ち上げミラーを含み、
前記第１の立ち上げミラーに前記第１の光源側から入射する第１の光ビームの光軸と、前記第２の立ち上げミラーに前記第２の光源側から入射する第２の光ビームの光軸とが、略平行であることを特徴とする請求項１記載の光ピックアップ装置。
【請求項３】
前記第１の光源と前記第２の光源とは互いに対向する位置に配置され、
前記第１の立ち上げミラーと前記第２の立ち上げミラーとは、前記第１の光ディスク及び前記第２の光ディスクの半径方向に垂直な方向に並んで配置されることを特徴とする請求項２記載の光ピックアップ装置。
【請求項４】
前記遮光部は、前記第１の立ち上げミラーと前記第２の立ち上げミラーとの間に配置され、前記第１の波長を有する第１の光ビームを遮光するフィルタを含むことを特徴とする請求項３記載の光ピックアップ装置。
【請求項５】
前記遮光部は、前記第１の立ち上げミラーの前記第１の光ビームの折り曲げ面に配置され、前記第１の波長を有する第１の光ビームを遮光するフィルタを含むことを特徴とする請求項３記載の光ピックアップ装置。
【請求項６】
前記遮光部は、前記第２の立ち上げミラーの前記第２の光ビームの折り曲げ面に配置され、前記第１の波長を有する第１の光ビームを遮光するフィルタを含むことを特徴とする請求項３記載の光ピックアップ装置。
【請求項７】
前記フィルタは、前記第１の波長を有する第１の光ビームの透過率が５％以下であることを特徴とする請求項４〜６のいずれかに記載の光ピックアップ装置。
【請求項８】
前記第１の立ち上げミラー及び前記第２の立ち上げミラーは、それぞれ平板で形成された光学部品であり、
前記遮光部は、前記第１の立ち上げミラー及び前記第２の立ち上げミラーを保持するとともに、前記第１の波長を有する光ビームを透過しない材料で形成されたホルダを含むことを特徴とする請求項３記載の光ピックアップ装置。
【請求項９】
前記ホルダは、光学部品を支持する光学基台上に形成されていることを特徴とする請求項７記載の光ピックアップ装置。
【請求項１０】
前記遮光部は、前記第１の立ち上げミラーにおける前記第１の光ビームの折り曲げ面以外の面の少なくとも１つの面に配置され、前記第１の波長を有する第１の光ビームを吸収し、吸収されずに透過又は反射される成分が吸収前の５％以下であることを特徴とする請求項３記載の光ピックアップ装置。
【請求項１１】
前記遮光部は、前記第１の立ち上げミラーにおける前記第１の光ビームの折り曲げ面以外の面の少なくとも１つの面に配置され、前記第１の波長を有する第１の光ビームを反射させ、その反射率が５％以下であることを特徴とする請求項３記載の光ピックアップ装置。
【請求項１２】
前記第１の光学系は、前記第１の光ビームを前記第１の光ディスクに合焦させる第１の対物レンズを含み、
前記第２の光学系は、前記第２の光ビームを前記第２の光ディスクに合焦させる第２の対物レンズを含み、
前記第１の対物レンズと前記第２の対物レンズとを同時に保持するレンズホルダをさらに備え、
前記遮光部は、前記レンズホルダ内において、前記第１の光ビームが通過する光路と、前記第２の光ビームが通過する光路とを分離する壁を含み、
前記壁は、前記第１の波長を有する第１の光ビームを遮光することを特徴とする請求項１記載の光ピックアップ装置。
【請求項１３】
前記第２の光学系は、前記第２の光源から放射された前記第２の光ビームを、前記第２の光ディスクの記録面に略垂直になるよう折り曲げる第２の立ち上げミラーを含み、
前記遮光部は、前記レンズホルダ内の前記第２の光ビームが通過する光路中における前記第２の対物レンズと前記第２の立ち上げミラーとの間に配置され、前記第１の波長を有する第１の光ビームを遮断し、前記第２の波長を有する第２の光ビームを透過させる波長選択フィルタをさらに含むことを特徴とする請求項１２記載の光ピックアップ装置。
【請求項１４】
前記第１の光学系は、前記第１の光源から放射された前記第１の光ビームを、前記第１の光ディスクの記録面に略垂直になるよう折り曲げる第１の立ち上げミラーを含み、
前記第２の光学系は、前記第２の光源から放射された前記第２の光ビームを、前記第２の光ディスクの記録面に略垂直になるよう折り曲げる第２の立ち上げミラーを含み、
前記第１の光源と前記第２の光源とは互いに対向する位置に配置され、
前記第１の立ち上げミラーと前記第２の立ち上げミラーとは、前記第１の光ディスク及び前記第２の光ディスクの半径方向に並んで配置されることを特徴とする請求項１記載の光ピックアップ装置。
【請求項１５】
前記遮光部は、前記第１の光ビームの光軸方向に交わるとともに、前記第１の立ち上げミラーの第１の光ビームの入射面とは異なる面側に配置され、前記第１の波長を有する第１の光ビームを遮光するフィルタを含むことを特徴とする請求項１４記載の光ピックアップ装置。
【請求項１６】
前記遮光部は、前記第１の立ち上げミラーと前記第２の立ち上げミラーとの間に配置され、前記第１の波長を有する第１の光ビームを遮光するフィルタを含むことを特徴とする請求項１４記載の光ピックアップ装置。
【請求項１７】
前記第１の光ビームと前記第２の光ビームとは同一方向から照射され、
前記第１の立ち上げミラーに入射する第１の光ビームの光軸と、前記第２の立ち上げミラーに入射する第２の光ビームの光軸とが一致することを特徴とする請求項２記載の光ピックアップ装置。
【請求項１８】
前記第１の立ち上げミラーは、前記第１の光源から放射された前記第１の光ビームを、前記第１の光ディスクの記録面に略垂直になるよう折り曲げるとともに、前記第２の光ビームを透過させ、
前記第２の立ち上げミラーは、前記第１の立ち上げミラーを透過した前記第２の光ビームを、前記第２の光ディスクの記録面に略垂直になるよう折り曲げ、
前記遮光部は、前記第１の立ち上げミラーと前記第２の立ち上げミラーとの間に配置され、前記第１の波長を有する第１の光ビームを遮光するフィルタを含むことを特徴とする請求項１７記載の光ピックアップ装置。
【請求項１９】
前記第１の立ち上げミラーは、前記第１の光源から放射された前記第１の光ビームを、前記第１の光ディスクの記録面に略垂直になるよう折り曲げるとともに、前記第２の光ビームを透過させ、
前記第２の立ち上げミラーは、前記第１の立ち上げミラーを透過した前記第２の光ビームを、前記第２の光ディスクの記録面に略垂直になるよう折り曲げ、
前記第２の光学系は、前記第２の立ち上げミラーによって折り曲げられた前記第２の光ビームを前記第２の光ディスクに合焦させる第２の対物レンズを含み、
前記遮光部は、前記第２の立ち上げミラーと前記第２の対物レンズとの間に配置され、前記第１の波長を有する第１の光ビームを遮光するフィルタを含むことを特徴とする請求項１７記載の光ピックアップ装置。
【請求項２０】
前記第２の光学系は、樹脂材料で形成された少なくとも１つ以上の光学部品を有することを特徴とする請求項１〜１９のいずれかに記載の光ピックアップ装置。
【請求項２１】
請求項１〜２０のいずれかに記載の光ピックアップ装置と、
光ディスクを回転するモータと、
前記光ピックアップ装置から得られる信号を受け、前記信号に基づいて、フォーカス制御、トラッキング制御、情報再生制御及び前記モータの回転制御を行う制御部とを備えることを特徴とする光情報装置。
【請求項２２】
請求項２１記載の光情報装置と、
情報を入力するための入力部と、
前記入力部から入力された情報及び前記光情報装置から再生された情報に基づいて演算を行う演算装置と、
前記入力部から入力された情報、前記光情報装置から再生された情報、及び前記演算装置によって演算された結果を出力する出力部とを備えることを特徴とするコンピュータ。
【請求項２３】
請求項２１記載の光情報装置と、
前記光情報装置から得られる情報信号を画像に変換するデコーダとを備えることを特徴とする光ディスクプレーヤ。
【請求項２４】
請求項２１記載の光情報装置と、
前記光情報装置から得られる情報信号を画像に変換するデコーダとを備えることを特徴とするカーナビゲーションシステム。
【請求項２５】
請求項２１記載の光情報装置と、
画像情報を前記光情報装置によって記録する情報に変換するエンコーダとを備えることを特徴とする光ディスクレコーダ。
【請求項２６】
請求項２１記載の光情報装置と、
前記光情報装置によって記録又は再生される情報の入出力を外部と行う入出力部とを備えることを特徴とする光ディスクサーバ。
【手続補正２】
【補正対象書類名】明細書
【補正対象項目名】全文
【補正方法】変更
【補正の内容】
【発明の詳細な説明】
【技術分野】
【０００１】
本発明は、光ディスクに情報を記録する及び／又は光ディスクから情報を再生する光ピックアップ装置、光情報装置、コンピュータ、光ディスクプレーヤ、カーナビゲーションシステム、光ディスクレコーダ及び光ディスクサーバに関するものである。
【背景技術】
【０００２】
ディジタルオーディオや画像、動画、コンピュータ等で作成された文書ファイルやデータファイルを記録、保存するための記録媒体は多種多様だが、その一つに光ディスクがある。中でもＤＶＤ（Ｄｉｇｉｔａｌ  Ｖｅｒｓａｔｉｌｅ  Ｄｉｓｋ）は従来のＣＤ（Ｃｏｍｐａｃｔ  Ｄｉｓｃ）と比較して高密度かつ大容量であり、録画機の分野においても、ＶＴＲ（Ｖｉｄｅｏ  Ｔａｐｅ  Ｒｅｃｏｒｄｅｒ）に替わる記録媒体として普及してきている。さらに近年、青色半導体レーザを用い、記録密度をより一層高めた次世代の光ディスクの開発が各所で進められており、早期の普及が待たれている。
【０００３】
光ディスクを大容量にするためには、光ディスクに情報を記録する際および光ディスクに記録された情報を再生する際に光ディスクに照射される光が形成する光スポットを小さくすることにより、情報の記録密度を高くする必要がある。光源のレーザ光を短波長にし、かつ、対物レンズの開口数（ＮＡ）を大きくすることによって、光スポットを小さくすることができる。ＤＶＤでは、波長が６６０ｎｍの光源と、開口数（ＮＡ）が０．６の対物レンズとが使用されている。例えば、波長が４０５ｎｍの青色レーザと、ＮＡが０．８５の対物レンズとを使用することによって、現在のＤＶＤの記録密度の５倍の記録密度が達成される。また、これらの光ディスクにおいて、データの記録・再生を行うためには光情報装置が必要である。
【０００４】
ところで、青色レーザによる短波長のレーザを用いて高密度の記録再生を実現する光情報装置において、既存の光ディスクとの互換機能を備えることにより、さらに装置としての有用性を高め、コストパフォーマンスを向上することが可能となる。この場合、対物レンズの開口数を０．８５と高めつつ、作動距離をＤＶＤやＣＤ用の対物レンズのように長くすることは困難である。そのため、高密度の記録再生が可能な互換型光情報装置では、ＣＤまたはＤＶＤを記録再生するのに使われる少なくとも一枚の対物レンズと、これより高開口数を有する高密度記録用の対物レンズとを別途に備えることが望ましい。
【０００５】
第１の従来技術に係る光ピックアップ装置は、記録密度が相異なる複数の光ディスクに対して記録再生が可能な互換型光情報装置を実現するために、複数の対物レンズを可動部に搭載している（例えば、特許文献１参照）。図１９は、第１の従来技術に係る光ピックアップ装置の構成を示す図である。
【０００６】
第１の光源６１から放射された第１の光ビームは、コリメートレンズ６２によって略平行光に変換され、ハーフミラー６３によって光軸が折り曲げられ、立ち上げミラー６４によって光軸が記録密度の高い第１の光ディスク（不図示）に対して直角の方向に折り曲げられる。第１の対物レンズ６５は第１の光ビームを第１の光ディスクの記録面上に収束させる。同様に、第２の光源７１から放射された第２の光ビームは、コリメートレンズ７２によって略平行光に変換され、ビームスプリッタ７３によって光軸が折り曲げられ、立ち上げミラー６４によって光軸が第１の光ディスクより記録密度の低い第２の光ディスク（不図示）に対して直角の方向に折り曲げられる。第２の対物レンズ７５は第２の光ビームを第２の光ディスクの記録面上に収束させる。
【０００７】
このように、第１の従来技術に係る光ピックアップ装置は、第１の光源６１から出射される第１の光ビームを第１の光ディスクの情報記録面上に集光させる第１の対物レンズ６５と、第２の光源７１から出射される第２の光ビームを第２の光ディスクの情報記録面上に集光させる第２の対物レンズ７５との少なくとも２つの対物レンズを備えると共に、第１の光ビームを反射して第１の対物レンズ６５に入射させる反射面と、第２の光ビームを反射して第２の対物レンズ７５に入射させる反射面との少なくとも２つの反射面を有する立ち上げミラーを備える。これにより、記録密度が相異なる複数の光ディスクに対して記録再生が可能な互換型光ピックアップ装置を実現している。
【０００８】
また、第２の従来技術に係る青色半導体レーザを用いた光ピックアップ装置において、樹脂製の光学部品や、透光性材料を紫外線硬化型の接着剤などで接合した光学素子が用いられる。この場合、青色レーザ光の照射により、光学部品の透過率が劣化したり、材料の組成に影響を及ぼし光学素子が損傷したりするなどの課題があり、材料の青色耐光性を向上させるために、様々な検討がなされている（例えば、特許文献２及び特許文献３参照）。
【０００９】
また、第３の従来技術に係る光ピックアップ装置は、レーザ光を遮断する遮光手段を備えている（例えば、特許文献４参照）。図２０は、第３の従来技術に係る光ピックアップ装置の構成を示す図である。図２０において、遮光板８０は、第１の光学ユニット８１と第２の光学ユニット８２の中で発生する迷光が、それぞれ他方にノイズとして飛び込むことを防止し、レーザ光の相互干渉が起こらないようにしている。
【特許文献１】特開２００５−２９３６８６号公報
【特許文献２】特開２００５−１４１０１６号公報
【特許文献３】特開２００５−３０６８９６号公報
【特許文献４】特開２００２−２０８１７３号公報
【発明の開示】
【発明が解決しようとする課題】
【００１０】
しかしながら、第１の従来技術のように、記録密度が相異なる複数の光ディスクに対して記録再生が可能な互換型光ピックアップ装置を実現するために、複数の光源が１つの光ピックアップ装置に搭載される。そして、複数の光源の１つとして青色半導体レーザを使用する場合、青色半導体レーザから出射する光ビームが通過する可能性のある素子全てに第２の従来技術のような青色耐光性の高い素子を使用しなければならなくなる。第１の従来技術の光ピックアップ装置の光学構成は、青色半導体レーザを光源に持つ光学系と、赤色及び赤外波長域の半導体レーザを光源に持つ光学系とが、少なくとも２つの反射面を持つ立ち上げミラー６４に対向して配置され、夫々の光束が立ち上げミラー６４に入射する構成となっている。
【００１１】
図２１（Ａ）及び（Ｂ）は、従来の光ピックアップ装置の立ち上げミラーを側面から見た図である。このような構成の場合、例えば図２１（Ａ）に示すように、立ち上げミラー６４の反射面６４ａを一部透過した青色光ビーム（漏出光６７）は、立ち上げミラー６４の内面で再度反射するなどして、他の反射面６４ｂを透過して赤／赤外用の光学系に漏出する。また、例えば図２１（Ｂ）に示すように、立ち上げミラー６４の頂辺６４ｔ付近に青色光ビームが照射されると、その青色光ビームは散乱を起こし散乱光６８が、赤／赤外用の対物レンズ７５に照射される。
【００１２】
このような現象により、赤色や赤外波長域の半導体レーザ用の光学部品として樹脂製の部品を使用すると、一般的には青色耐光性を持たない素子を使用しているため、素子の損傷や透過率低下、波面収差の劣化といった問題を引き起こし、光ピックアップ装置の記録再生性能を低下させてしまうという課題があった。また、光学素子の損傷や性能劣化を低減させるため、青色光ビームの出射光量を制限することで、赤／赤外用の光学部品を通過する青色光ビームの光量を低下させることも可能である。しかしながら、この場合、多層ディスクへの記録再生や高速での記録再生を行うための十分な青色光ビームの光量が確保できず、記録再生品質が低下するという課題があった。
【００１３】
また、第３の従来技術は、レーザ光の相互干渉によって発生するノイズを考慮した構成であるが、遮光板８０は２つの立ち上げミラーの間にのみ設けられ、その高さも立ち上げミラーの高さまでで十分であるとしている。しかしながら、光ピックアップ装置内で発生する迷光はこの限りではなく、例えば立ち上げミラーの一辺で散乱させられた散乱光が、立ち上げミラーによって光軸を底面に略垂直に曲げられた後の光路中の部品に対しても、他の光学系（光学ユニット）からの迷光として侵入する可能性があるという課題があった。
【００１４】
また、第３の従来技術の遮光板８０は、特定の波長に対して設けられた遮光板ではなく、赤色光や赤外光の波長以外に青紫色光のような短波長の光を扱う場合について考慮されていない。遮光板８０が青紫色光のような短波長の光を透過してしまう構成の場合は、いずれかの光学部品が青紫色光に露光され、波面収差の劣化や透過率の低下を起こしてしまうという課題があった。
【００１５】
本発明は、上記の問題を解決するためになされたもので、第２の光学系を構成する光学部品の損傷や性能劣化を防止することができ、記録再生性能の劣化を低減することができる光ピックアップ装置、光情報装置、コンピュータ、光ディスクプレーヤ、カーナビゲーションシステム、光ディスクレコーダ及び光ディスクサーバを提供することを目的とするものである。
【課題を解決するための手段】
【００１６】
本発明の一局面に係る光ピックアップ装置は、第１の波長を有する第１の光ビームを放射する第１の光源と、前記第１の光源から放射された前記第１の光ビームを第１の光ディスクに導く第１の光学系と、前記第１の波長とは異なる第２の波長を有する第２の光ビームを放射する第２の光源と、前記第２の光源から放射された前記第２の光ビームを、前記第１の光ディスクとは記録密度の異なる第２の光ディスクに導く第２の光学系と、前記第１の光学系から漏出する前記第１の波長を有する不要な光ビームが、前記第２の光学系を構成する光学部品に照射されるのを遮る位置に配置され、前記第１の波長を有する第１の光ビームを遮光する遮光部とを備える。
【発明の効果】
【００１７】
本発明によれば、第１の波長を有する第１の光ビームが第２の光学系を構成する光学部品に照射されないので、第２の光学系を構成する光学部品の損傷や性能劣化を防止することができ、光ピックアップ装置の記録再生性能の劣化を低減することができる。
【００１８】
本発明の目的、特徴及び利点は、以下の詳細な説明と添付図面とによって、より明白となる。
【発明を実施するための最良の形態】
【００１９】
以下、添付図面を参照しながら、本発明の実施の形態について説明する。尚、以下の実施の形態は、本発明を具体化した一例であって、本発明の技術的範囲を限定する性格のものではない。
【００２０】
図１は、本発明の実施の形態における光ピックアップ装置の概念図である。本発明の意図する光ピックアップ装置１００は、少なくとも波長λ１（例えば、４２０ｎｍ以下）の光を光ディスクに導く第１の光学系１０１と、少なくとも波長λ２の光を光ディスクに導く第２の光学系１０２と、波長λ１の光を遮光するフィルタ１０４とを備える。フィルタ１０４は、第１の光学系１０１内、第２の光学系１０２内、又はいずれの光学系内にも属さない位置に配置されている。波長λ１の光束が第１の光学系１０１を通過する際に光ディスクに対して情報を記録または再生するための主光路を外れた光、すなわち、いずれも波長λ１である漏出光、不要光又は散乱光が、フィルタ１０４によって、波長λ１の光束が通過する必要のない第２の光学系１０２内に入射されることを防ぐ。
【００２１】
（実施の形態１）
図２（Ａ）は、実施の形態１における光ピックアップ装置の具体的な構成の一例を示す図である。
【００２２】
図２（Ａ）において、光ピックアップ装置は、第１のレーザ光源１、ビーム整形素子２、ビームスプリッタ３、コリメートレンズ４、第１の立ち上げミラー５、第１の対物レンズ６、１／４波長板８、第１の光検出器１０、ＤＶＤ集積ユニット１１、ＣＤ集積ユニット１２、波長選択性ミラー１３、コリメートレンズ１４、第２の立ち上げミラー１５、第２の対物レンズ１６及びフィルタ２０を備える。
【００２３】
なお、第１の光学系１７は、ビーム整形素子２、ビームスプリッタ３、コリメートレンズ４、第１の立ち上げミラー５、第１の対物レンズ６及び１／４波長板８で構成される。第２の光学系１８は、波長選択性ミラー１３、コリメートレンズ１４、第２の立ち上げミラー１５及び第２の対物レンズ１６で構成される。
【００２４】
第１のレーザ光源１は、第１の波長λ１（３９０ｎｍ〜４２０ｎｍ：代表として４０５ｎｍとする）の第１のレーザ光を出射する。ビーム整形素子２は、第１のレーザ光の遠視野像の整形を行う。ビームスプリッタ３は、光路を分割する。コリメートレンズ４は、第１のレーザ光を発散光から平行光に変換する。第１の立ち上げミラー５は、光ディスク（例えば、Ｂｌｕ−ｒａｙディスク）に向けて第１のレーザ光の光軸を折り曲げる。第１の対物レンズ（光学レンズ）６は、第１のレーザ光を光ディスク上に集光する。１／４波長板８は、直線偏光を円偏光に変換する。第１の光検出器１０は、光ディスクで反射された光を受光し、光量に対応した電気信号に変換する。
【００２５】
第１のレーザ光源１は、好ましくは半導体レーザ光源とすることにより、光ピックアップ装置及びこれを用いた光情報装置を小型化、軽量化及び低消費電力化することができる。
【００２６】
光ディスクに記録再生を行う場合、第１のレーザ光源１から出射した第１の波長λ１の青色光ビームは、ビーム整形素子２によって整形され、ビームスプリッタ３で反射され、コリメートレンズ４によって略平行光に変換される。略平行光に変換された青色光ビームは、第１の立ち上げミラー５によって光軸が略垂直に折り曲げられ、１／４波長板８によって直線偏光から円偏光に変換される。円偏光に変換された青色光ビームは、屈折型の第１の対物レンズ６によって光ディスクの厚さ０．１ｍｍの基材を通して情報記録面に集光される。
【００２７】
情報記録面で反射した青色光ビームは、元の光路を逆にたどって（復路）、１／４波長板８によって初期とは直角方向に異なる直線偏光に変換され、第１の立ち上げミラー５によって光軸が略垂直に折り曲げられ、コリメートレンズ４によって焦点距離が伸ばされる。焦点距離が伸ばされた青色光ビームは、ビームスプリッタ３を透過するとともに反射し、第１の光検出器１０に入射する。第１の光検出器１０の出力が演算されることによって、焦点制御やトラッキング制御に用いるサーボ信号及び情報信号が得られる。上記のように、ビームスプリッタ３は、第１の波長λ１の光ビームに関して、一方向の直線偏光を全反射し、それと直角方向の直線偏光を全透過する偏光分離膜を持った光路分岐素子である。
【００２８】
また、図２（Ａ）において、ＤＶＤ集積ユニット１１は、第２のレーザ光源１１ａと第２の光検出器１１ｂとを備える。第２のレーザ光源１１ａは、第２の波長λ２（６４０〜６７０ｎｍ：代表として６５０ｎｍとする）の第２のレーザ光を出射する。第２の光検出器１１ｂは、光ディスク（ＤＶＤ）で反射された光を受光し、光量に対応した電気信号に変換する。
【００２９】
ＣＤ集積ユニット１２は、第３のレーザ光源１２ａと第３の光検出器１２ｂとを備える。第３のレーザ光源１２ａは、第３の波長λ３（７７０〜８００ｎｍ：代表として７９０ｎｍとする）の第３のレーザ光を出射する。第３の光検出器１２ｂは、光ディスク（ＣＤ）で反射された光を受光し、光量に対応した電気信号に変換する。
【００３０】
波長選択性ミラー１３は、第２の波長λ２の光ビームを反射させるとともに、第３の波長λ３の光ビームを透過させる。コリメートレンズ１４は、第２のレーザ光及び第３のレーザ光を発散光から平行光に変換する。第２の立ち上げミラー１５は、光ディスクに向けて第２のレーザ光及び第３のレーザ光の光軸を折り曲げる。
【００３１】
第２の対物レンズ１６は、ＤＶＤとＣＤの両光ディスクに対応しており、第２のレーザ光及び第３のレーザ光を光ディスク上に集光する。第２の波長λ２の第２のレーザ光は、基材厚みｔ２が０．６ｍｍであり、第２の波長λ２の光ビームによって記録再生される光ディスクに照射される。また、第３の波長λ３の第３のレーザ光は、基材厚みｔ３が１．２ｍｍであり、第３の波長λ３の光ビームによって記録再生される光ディスクに照射される。
【００３２】
光ディスク（ＤＶＤ）に記録再生を行う場合、第２のレーザ光源１１ａから出射した第２の波長λ２の赤色光ビームは、波長選択性ミラー１３で反射され、コリメートレンズ４によって略平行光に変換される。略平行光に変換された赤色光ビームは、第２の立ち上げミラー１５によって光軸が略垂直に折り曲げられ、第２の対物レンズ１６によってＤＶＤの厚さ０．６ｍｍの基材を通して情報記録面に集光される。
【００３３】
情報記録面で反射した赤色光ビームは、元の光路を逆にたどって（復路）、第２の立ち上げミラー１５によって光軸が略垂直に折り曲げられ、コリメートレンズ１４によって焦点距離が伸ばされる。焦点距離が伸ばされた赤色光ビームは、波長選択性ミラー１３を反射し、第２の光検出器１１ｂに入射する。第２の光検出器１１ｂの出力が演算されることによって、焦点制御やトラッキング制御に用いるサーボ信号及び情報信号が得られる。
【００３４】
また、光ディスク（ＣＤ）に記録再生を行う場合、第３のレーザ光源１２ａから出射した第３の波長λ３の赤外光ビームは、波長選択性ミラー１３を透過し、コリメートレンズ４によって略平行光に変換される。略平行光に変換された赤外光ビームは、第２の立ち上げミラー１５によって光軸が略垂直に折り曲げられ、第２の対物レンズ１６によってＣＤの厚さ１．２ｍｍの基材を通して情報記録面に集光される。
【００３５】
情報記録面で反射した赤外光ビームは、元の光路を逆にたどって（復路）、第２の立ち上げミラー１５によって光軸が略垂直に折り曲げられ、コリメートレンズ１４によって焦点距離が伸ばされる。焦点距離が伸ばされた赤外光ビームは、波長選択性ミラー１３を透過し、第３の光検出器１２ｂに入射する。第３の光検出器１２ｂの出力が演算されることによって、焦点制御やトラッキング制御に用いるサーボ信号及び情報信号が得られる。
【００３６】
なお、第１の立ち上げミラー５に第１のレーザ光源１側から入射する第１の光ビームの光軸と、第２の立ち上げミラー１５に第２のレーザ光源１１ａ又は第３のレーザ光源１２ａ側から入射する第２の光ビーム又は第３の光ビームの光軸とは略平行である。また、第１のレーザ光源１と第２のレーザ光源１１又は第３のレーザ光源１２とは互いに対向する位置に配置され、第１の立ち上げミラー５と第２の立ち上げミラー１５とは、光ディスクの半径方向に垂直な方向に並んで配置されている。さらに、第１の立ち上げミラー５と第２の立ち上げミラー１５とは、光学部品を支持する光学基台上に配置されている。
【００３７】
図２（Ｂ）は、図２（Ａ）に示す立ち上げミラーを側面から見た拡大図である。フィルタ２０は、第１の立ち上げミラー５と第２の立ち上げミラー１５との間に配置され、青色光を吸収する。第１の立ち上げミラー５側から入射する青色光ビーム２１は、第１の立ち上げミラー５の反射面で、光路を折り曲げられる第１の成分２２と、折り曲げられずに第１の立ち上げミラー５内に漏出する第２の成分（漏出光）２３とに分解される。
【００３８】
第１の成分２２は光ディスクに照射される重要成分であるが、第２の成分２３は光ディスクの信号には寄与しない不要成分である。本実施の形態において、フィルタ２０は、第２の成分（漏出光）２３を吸収し、第１の波長λ１の光の透過率が５％以下であることが望ましい。このような構成とすることで、漏出光２３は第２の波長λ２や第３の波長λ３用の光学部品が配置された光学系内にほとんど漏出せず、第２の波長λ２や第３の波長λ３用の光学部品が第１の波長λ１の光にほとんど露光されなくなるといった効果がある。
【００３９】
フィルタ２０は、漏出光２３を反射する構成であってもよい。ただし、漏出光２３を反射した場合、その反射光は再度第１の波長λ１の光学系内に戻り、その光ビームが第１のレーザ光源１まで到達してしまう可能性がある。この場合、戻り光の影響で光ピックアップ装置の信号品質が若干ではあるが劣化する可能性があるため注意が必要である。ただし、この漏出光２３の反射光が第１のレーザ光源１の出射光量に対しごく微量である場合には、フィルタ２０は反射型であっても問題ない。この構成でも、前述の漏出光２３は第２の波長λ２や第３の波長λ３用の光学部品が配置された光学系内にほとんど漏出せず、第２の波長λ２や第３の波長λ３用の光学部品が第１の波長λ１の光にほとんど露光されなくなるといった効果を同様に得られる。
【００４０】
以上の構成により、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。
【００４１】
また、本実施の形態の場合、フィルタ２０は例えば一般的な誘電体薄膜のような、第１の波長λ１の透過率（または反射率）を選択的に設計した、波長選択型の薄膜で構成することもできる。そのため、実質上のフィルタ２０の厚みはμｍオーダー以下まで薄型化することが可能であり、第１の立ち上げミラー５と第２の立ち上げミラー１５との間にフィルタ２０を配置するとしても、その設置スペースを大きく取る必要はない。第１の立ち上げミラー５と第２の立ち上げミラー１５とを互いにフィルタ２０の厚み分まで近接化して配置することができる。また、フィルタ２０を第１の立ち上げミラー５と第２の立ち上げミラー１５との間以外に配置する場合であっても、薄膜型のフィルタは設置場所を大きく取らない。従って、このような構成とすることにより、光ピックアップ装置の小型化が可能になる。
【００４２】
第２の光学系１８を構成する少なくとも１つ以上の光学部品は、樹脂材料で形成されている。例えば、コリメートレンズ１４、第２の立ち上げミラー１５及び第２の対物レンズ１６が樹脂材料で形成される。第１の波長λ１の光束の露光による、波面収差の劣化や透過率の低下といった、耐光性の問題を起こす部品としては、樹脂材料で形成された光学部品がもっとも影響を受けやすい。従って、第２の光学系に、少なくとも１つ以上の樹脂材料で形成された光学部品が使用されている場合に、本発明は最も効果を発揮する。
【００４３】
また、本実施の形態１において、第１のレーザ光は、第１の波長λ１が３９０ｎｍ〜４２０ｎｍの青色レーザ光であるとしたが、一般に耐光性が問題となるのは波長が短いほど光のパワー密度が高くなることに起因している。そのため、第１の波長λ１よりもさらに波長の短い例えば紫外領域の光ビームであっても波面収差の劣化や透過率低下といった耐光性の問題が発生する。従って、光源の波長が第１の波長λ１より短い場合に対しても、第２の波長λ２や第３の波長λ３用の光学部品は耐光性を考慮する必要がある。この場合、フィルタ２０が第１の波長λ１より短い波長の光ビームを遮光する性能を有することで、本実施の形態１の全ての効果を同様に得ることもできる。
【００４４】
さらに、本実施の形態では、フィルタ２０は、第２の立ち上げミラー１５に隣接する面に配置されているが、第１の立ち上げミラー５における第１の光ビームの折り曲げ面以外の面の少なくとも１つの面に配置されてもよい。この場合、フィルタ２０は、第１の波長λ１を有する第１の光ビームを吸収し、吸収されずに透過又は反射される成分が吸収前の５％以下であることが好ましい。さらにまた、フィルタ２０は、第１の波長λ１を有する第１の光ビームを反射させてもよく、その反射率が５％以下であってもよい。
【００４５】
（実施の形態２）
図３（Ａ）〜（Ｃ）は、実施の形態２における光ピックアップ装置の立ち上げミラーを側面から見た拡大図である。図３（Ａ）〜（Ｃ）において図２（Ｂ）と同じ構成については同じ符号を用い説明を省略する。また、実施の形態２における光ピックアップ装置の構成は、図２（Ａ）に示す実施の形態１における光ピックアップ装置の構成と同じであり、その効果も同様である。
【００４６】
図３（Ａ）において、第１の波長λ１の光を吸収するフィルタ２０は、第１の立ち上げミラー５の反射面に設けられている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３はほとんど発生しないため、第２の波長λ２や第３の波長λ３用の光学部品が青色光にほとんど露光されなくなる。また本構成において、フィルタ２０は、青色光ビーム２１を反射し、その透過率が５％以下であるフィルタであってもよく、上記と同様の効果が得られる。また本構成において、第１の立ち上げミラー５の反射面の透過率を５％以下にすることで、上記と同様の効果を得ることもできる。
【００４７】
なお、フィルタ２０は、第１の立ち上げミラー５の反射面の全面に貼り付けられていることが好ましい。フィルタ２０を第１の立ち上げミラー５の反射面の全面に貼り付けることにより、第１の立ち上げミラー５の頂辺で散乱する散乱光が第２の光学系１８に入射するのを防止することができる。
【００４８】
図３（Ｂ）において、第１の波長λ１の光を吸収するフィルタ２０は、第２の立ち上げミラー１５の反射面に設けられている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３は、フィルタ２０によりその光量のほとんど全てがカットされる。そのため、第２の立ち上げミラー１５の反射面以外は、第２の波長λ２や第３の波長λ３用の光学部品が青色光にほとんど露光されなくなる。また本構成において、フィルタ２０は、漏出光２３を反射し、その透過率が５％以下であるフィルタであってもよく、上記と同様の効果が得られる。また本構成において、第２の立ち上げミラー１５の反射面の、第１の波長λ１の光に対する透過率を５％以下にすることで、上記と同様の効果を得ることもできる。
【００４９】
図３（Ｃ）において、第１の波長λ１の光を吸収するフィルタ２０は、第１の立ち上げミラー５や第２の立ち上げミラー１５の反射面ではなく、第１の立ち上げミラー５及び第２の立ち上げミラー１５の底面に設けられている。この構成の場合、フィルタ２０は、第１の波長λ１の光を吸収又は透過し、その反射率は５％以下であることが好ましい。このような構成とすることで、フィルタ２０が第１の立ち上げミラー５や第２の立ち上げミラー１５内で面内反射する漏出光２３を吸収し、第２の波長λ２や第３の波長λ３用の光学部品が青色光にほとんど露光されなくなる。
【００５０】
また本構成において、フィルタ２０は、漏出光２３を反射し、その反射率が５％以下であるフィルタであってもよく、上記と同様の効果が得られる。また、本構成におけるフィルタ２０を、第１の立ち上げミラー５及び第２の立ち上げミラー１５の底面に加えて、第１の立ち上げミラー５及び第２の立ち上げミラー１５の側面にも設けてもよい。この場合、より漏出光２３の面内反射をより抑えることができ、第２の波長λ２や第３の波長λ３用の光学部品の青色光による露光をより抑えることができる。
【００５１】
以上のいずれかの構成をとることにより、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。
【００５２】
また、本実施の形態において、第１の立ち上げミラー５と第２の立ち上げミラー１５とは別部品で構成しているが、その２部品を接着して１つの部品としてもよい。また、１つの部品に第１の波長λ１の光を反射する反射面と第２の波長λ２及び第３の波長λ３の光を反射する反射面とを少なくとも有する立ち上げミラーであってもよく、その場合でも本実施の形態に示す効果を同様に得ることができる。
【００５３】
また、本実施の形態において、第１の立ち上げミラー５と第２の立ち上げミラー１５とは、反射面が材料上に形成され空気にさらされたプリズムで形成されているが、反射面の信頼性を向上させるため、図４（Ａ）〜（Ｄ）に示すような、反射面が２つのプリズムで挟まれた形状であってもよく、その場合でも本実施の形態に示す効果を同様に得ることができる。
【００５４】
図４（Ａ）〜（Ｄ）は、実施の形態２の変形例における光ピックアップ装置の立ち上げミラーを側面から見た拡大図である。図４（Ａ）〜（Ｄ）において図２（Ｂ）と同じ構成については同じ符号を用い説明を省略する。なお、実施の形態２の変形例における光ピックアップ装置の構成は、図２（Ａ）に示す実施の形態１における光ピックアップ装置の構成と同じであり、その効果も同様である。
【００５５】
図４（Ａ）〜（Ｄ）において、第１の立ち上げミラー５及び第２の立ち上げミラー１５は、反射面が２つのプリズムにより挟まれている。
【００５６】
図４（Ａ）において、第１の波長λ１の光を吸収するフィルタ２０は、第１の立ち上げミラー５と第２の立ち上げミラー１５との間に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。
【００５７】
図４（Ｂ）において、第１の波長λ１の光を吸収するフィルタ２０は、第１の立ち上げミラー５の反射面に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。さらに、第１の立ち上げミラー５の反射面の透過率を５％以下にしてもよい。
【００５８】
図４（Ｃ）において、第１の波長λ１の光を吸収するフィルタ２０は、第２の立ち上げミラー１５の反射面及び底面に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。この場合、第２の立ち上げミラー１５の反射面に設けられたフィルタ２０によって反射された漏出光２３を第２の立ち上げミラー１５の底面に設けられたフィルタ２０で吸収することができる。なお、第２の立ち上げミラー１５の底面に設けられたフィルタ２０に限っては、漏出光２３を透過する構成であってもよい。
【００５９】
図４（Ｄ）において、第１の波長λ１の光を吸収するフィルタ２０は、第２の立ち上げミラー１５における第２のレーザ光又は第３のレーザ光が出射する出射面及び第２のレーザ光又は第３のレーザ光が入射する入射面に設けられている。この構成の場合、フィルタ２０は、第１の波長λ１の光を吸収または反射し、その透過率が５％以下であることが好ましい。また本構成において、フィルタ２０は、青色光ビーム２１を反射し、その透過率が５％以下であるフィルタであってもよい。なお、フィルタ２０は、第１の波長λ１の光を吸収又は反射させ、第２の波長λ２及び第３の波長λ３の波長の光を透過させる。
【００６０】
このほか、本実施の形態２では、フィルタ２０を用いることによって得られる、実施の形態１で述べた様々な効果も同様に得られる。
【００６１】
（実施の形態３）
図５（Ａ）〜（Ｄ）は、実施の形態３における光ピックアップ装置の立ち上げミラーを側面から見た拡大図である。図５（Ａ）〜（Ｄ）において図２（Ｂ）と同じ構成については同じ符号を用い説明を省略する。また、実施の形態３における光ピックアップ装置の構成は、図２（Ａ）に示す実施の形態１における光ピックアップ装置の構成と同じであり、その効果も同様である。
【００６２】
本実施の形態において、第１の立ち上げミラー５及び第２の立ち上げミラー１５はプリズム形状ではなく、それぞれ平板によって構成されている。平板型のミラーは、プリズム型のミラーに比べ、部品の製作が容易であるといった利点がある。ただし、この構成の場合、第１の立ち上げミラー５を透過する漏出光２３が、第１の立ち上げミラー５の反射面とは反対側の面から、反射前の光束と平行に放射される。そのため、実施の形態１や２と比較して、第２の波長λ２や第３の波長λ３用の光学部品が配置された光学部品が、漏出光２３に露光されやすくなってしまう。そこで、図５（Ａ）において、第１の波長λ１の光を吸収するフィルタ２０は、２枚のミラー（第１の立ち上げミラー５及び第２の立ち上げミラー１５）の間に配置されている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３は、フィルタ２０によりその光量のほとんど全てがカットされる。そのため、第２の立ち上げミラー１５の反射面以外は、第２の波長λ２や第３の波長λ３用の光学部品が青色光にほとんど露光されなくなる。また本構成において、フィルタ２０は、漏出光２３を反射し、その透過率が５％以下であるフィルタであってもよく、上記と同様の効果が得られる。
【００６３】
図５（Ｂ）において、第１の波長λ１の光を吸収するフィルタ２０は、第１の立ち上げミラー５の反射面に対向する面に設けられている。この構成の場合、フィルタ２０は、第１の波長λ１の光を吸収または反射し、その透過率が５％以下であることが好ましい。このような構成とすることで、第１の波長λ１用の立ち上げミラー５の反射面を透過する、不要な成分である漏出光２３はほとんど発生しないため、第２の波長λ２や第３の波長λ３用の光学部品が青色光にほとんど露光されなくなる。また、フィルタ２０は、第１の立ち上げミラー５において、青色光ビーム２１を反射する反射面側に配置されていても、反射面に対向する面に配置されていても、上記と同様の効果が得られる。また本構成において、フィルタ２０は青色光ビーム２１を反射し、その透過率が５％以下であるフィルタであってもよく、上記と同様の効果が得られる。また本構成において、第１の立ち上げミラー５の反射面の透過率を５％以下にすることで、上記と同様の効果を得ることもできる。
【００６４】
図５（Ｃ）において、第１の波長λ１の光を吸収するフィルタ２０は、第２の立ち上げミラー１５の反射面に対向する面に設けられている。この構成の場合、フィルタ２０は、第１の波長λ１の光を吸収または反射し、その透過率が５％以下であることが好ましい。このような構成とすることで、第１の立ち上げミラー５の反射面を透過する、不要な成分である漏出光２３は、フィルタ２０によりその光量のほとんど全てがカットされる。そのため、第２の波長λ２や第３の波長λ３用の光学部品が青色光にほとんど露光されなくなる。また本構成において、フィルタ２０は、漏出光２３を反射し、その透過率が５％以下であるフィルタであってもよく、上記と同様の効果が得られる。また、フィルタ２０は、第２の立ち上げミラー１５において、赤色光ビーム又は赤外光ビームを反射する反射面側に配置されていても、反射面に対向する面に配置されていても、上記と同様の効果が得られる。また本構成において、第２の立ち上げミラー１５の反射面の第１の波長λ１の光に対する透過率を５％以下にすることで、上記と同様の効果を得ることもできる。
【００６５】
図５（Ｄ）において、第１の立ち上げミラー５と第２の立ち上げミラー１５とは、断面が直角三角形である三角柱形状のホルダ３０上に配置されている。ホルダ３０は、光学部品を支持する光学基台３０１上に形成されている。ホルダ３０は、亜鉛のような金属材料で形成されており、第１の波長λ１の光は金属材料を透過することはない。このような構成とすることで、第１の立ち上げミラー５を透過する漏出光２３は、ホルダ３０を透過することが無く、第２の波長λ２や第３の波長λ３用の光学部品が青色光に露光されなくなる。なお、ホルダ３０は、亜鉛のような金属材料としたが、第１の波長λ１の光を透過しない材料であれば、アルミニウムやＰＰＳ（ポリフェニレンサルファイド）のような樹脂材料であってもよく、材料の膨張係数や、コストメリットなど、目的に合わせて選定してよい。その場合でも、第２の波長λ２や第３の波長λ３用の光学部品が青色光に露光されなくなる効果は同等である。
【００６６】
また、ホルダ３０は、第１の立ち上げミラー５の取り付け位置精度を高めるために、光学基台３０１と一体に形成されてもよく、その場合でも、上記と同様に第２の波長λ２や第３の波長λ３用の光学部品が青色光に露光されなくなる。また、遮光部材を金属材料のような一定の体積が必要な部材で構成する場合であっても、図５（Ｄ）のような構成であれば２つの立ち上げミラーを接触するまで近接して配置することが可能となり、光ピックアップ装置を小型化できる。
【００６７】
以上のいずれかの構成をとることにより、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。
【００６８】
このほか、本実施の形態３では、フィルタ２０を用いることによって得られる、実施の形態１で述べた様々な効果も同様に得られる。
【００６９】
（実施の形態４）
図６（Ａ）〜（Ｃ）は、実施の形態４における光ピックアップ装置の立ち上げミラーを側面から見た拡大図である。図６（Ａ）〜（Ｃ）において図２（Ｂ）と同じ構成については同じ符号を用い説明を省略する。また、実施の形態４における光ピックアップ装置の構成は、図２（Ａ）に示す実施の形態１における光ピックアップ装置の構成と同じであり、その効果も同様である。
【００７０】
図６（Ａ）〜（Ｃ）において、レンズホルダ３１は、光ディスクに対するフォーカス駆動やトラッキング駆動を行う対物レンズアクチュエータの一部であり、第１の対物レンズ６と第２の対物レンズ１６などを保持する。また、第１の立ち上げミラー５の頂辺付近に第１の波長λ１の青色光ビームが照射されると、その青色光ビームは散乱を起こし散乱光２５が発生する。
【００７１】
図６（Ａ）において、光ピックアップ装置は、レンズホルダ３１内に壁２６を備える。壁２６は、第１の対物レンズ６と第２の対物レンズ１６との互いの光路を分離し、散乱光２５を遮る。この壁２６は、レンズホルダ３１内の第１のレーザ光の光路と、第２又は第３のレーザ光の光路との間に配置され、第１の波長λ１の光を吸収または反射する。また、壁２６は、レンズホルダ３１の出射口側の端部から入射口側の端部までの長さを有している。なお、壁２６は、第１の波長λ１の光の透過率が５％以下であることが好ましい。このような構成とすることで、第２の対物レンズ１６が散乱光２５にほとんど露光されなくなる。
【００７２】
図６（Ｂ）において、光ピックアップ装置は、レンズホルダ３１内に波長選択フィルタ２７を備える。波長選択フィルタ２７は、第１の波長λ１の光を吸収または反射し、第２の波長λ２及び第３の波長λ３の光を透過する。波長選択フィルタ２７は、第２の波長λ２及び第３の波長λ３の光路中において、対物レンズ１６やアクチュエータ上に搭載された光学部品と、立ち上げミラー１５との間に配置されている。この波長選択フィルタ２７は、第１の波長λ１の光の透過率が５％以下であることが好ましい。このような構成とすることで、第２の対物レンズ１６が散乱光２５にほとんど露光されなくなる。
【００７３】
さらに、図６（Ｃ）に示す様に、光ピックアップ装置は、壁２６と波長選択フィルタ２７を併用してもよい。これにより、本実施の形態４の効果をさらに高めることができる。このような構成をとることにより、アクチュエータ上に搭載された光学部品のうち、第２の対物レンズ１６だけでなく、第２の波長λ２や第３の波長λ３用の全ての光学部品は、青色耐光性を考慮した部品を使用する必要が無く、光ピックアップ装置の記録再生品質が長期的に確保され、ランニングコストやイニシャルコストを十分に抑えることができる。
【００７４】
このほか、本実施の形態４では、フィルタ２０を用いることによって得られる、実施の形態１で述べた様々な効果も同様に得られる。
【００７５】
（実施の形態５）
図７（Ａ）及び（Ｂ）は、実施の形態５における光ピックアップ装置の立ち上げミラーを示す拡大図である。図７（Ａ）は、光ピックアップ装置の立ち上げミラーを上方から見た図であり、図７（Ｂ）は、図７（Ａ）に示す立ち上げミラーを側方から見た図である。なお、図７（Ａ）及び（Ｂ）において、ラジアル方向Ｒは、光ディスクの半径方向を表し、タンジェンシャル方向Ｔは、光ディスクの半径方向に垂直な方向を表している（図８（Ａ）〜（Ｆ）及び図９（Ａ）〜（Ｃ）についても同様）。図７（Ａ）及び（Ｂ）において図２（Ｂ）と同じ構成については同じ符号を用い説明を省略する。また、実施の形態５における光ピックアップ装置の構成は、図２（Ａ）に示す実施の形態１における光ピックアップ装置の構成と同じであり、その効果も同様である。
【００７６】
図７（Ａ）及び（Ｂ）において、第１の対物レンズ及び第２の対物レンズ（図示せず）は光ディスクの半径方向（ラジアル方向：Ｒ）に並べて配置されており、第１の立ち上げミラー５及び第２の立ち上げミラー１５もラジアル方向に並べて配置されている。このような構成とすると、２つの対物レンズが、シーク中心線（光ディスクの中心点を通りピックアップの移送方向に平行な線）上に配置されるため、第１の光学系１７及び第２の光学系１８のいずれにおいても、フォーカス制御用やトラッキング制御用のサーボ信号を安定して得ることができる。
【００７７】
図７（Ａ）及び（Ｂ）において、不要光２４は、第１のレーザ光源１（図示せず）から出射した第１の波長λ１の青色光ビームのうち、光ディスクの情報記録面に集光される主成分である青色光ビーム２１ではない不要成分である。不要光２４は、第１の光学系１７を構成するいずれかのレンズの外側を通る光であったり、光学基台内外で発生する不要な内部反射迷光であったりする。
【００７８】
図７（Ａ）及び（Ｂ）において、第１の波長λ１の光を遮断するフィルタ２０が、漏出光２３や不要光２４を遮る位置に配置されている。具体的に、フィルタ２０は、第１の立ち上げミラー５と第２の立ち上げミラー１５との間に設けられた第１のフィルタ２０ａと、第１のレーザ光の光軸方向に交わるとともに、第１のフィルタ２０ａの一端と垂直に接合される第２のフィルタ２０ｂと、第２のレーザ光の光軸方向に交わるとともに、第１のフィルタ２０ａの他端と垂直に接合される第３のフィルタ２０ｃとを備えて構成される。
【００７９】
本構成では、フィルタ２０が漏出光２３や不要光２４を吸収し、その第１の波長λ１の光の透過率は５％以下であることが望ましい。このような構成とすることで、漏出光２３は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００８０】
また、第１のフィルタ２０ａ、第２のフィルタ２０ｂ及び第３のフィルタ２０ｃを光学基台上に垂直となるように形成することで、光学基台の剛性を向上させることができる。
【００８１】
フィルタ２０は、漏出光２３や不要光２４を反射する構成であってもよい。ただし、漏出光２３や不要光２４を反射した場合、その反射光は再度第１の波長λ１の光学系内に戻り、その光ビームがレーザ光源１まで到達してしまう可能性がある。この場合、戻り光の影響で光ピックアップ装置の信号品質が若干ではあるが劣化する可能性があるため注意が必要である。ただし、この漏出光２３や不要光２４の反射光はレーザ光源１の出射光量に対しごく微量である場合には、フィルタ２０は反射型であっても問題ない。この構成でも、前述の漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００８２】
また、第１のフィルタ２０ａ、第２のフィルタ２０ｂ及び第３のフィルタ２０ｃは互いに垂直となるように配置されているが、本発明は特にこれに限定されない。第１のフィルタ２０ａ、第２のフィルタ２０ｂ及び第３のフィルタ２０ｃは、漏出光２３や不要光２４を遮る位置に配置される構成であれば必ずしも互いに垂直である必要はない。
【００８３】
図８（Ａ）〜（Ｆ）は、実施の形態５の第１の変形例における光ピックアップ装置の立ち上げミラーを上方から見た拡大図である。図８（Ａ）〜（Ｆ）において図２（Ｂ）と同じ構成については同じ符号を用い説明を省略する。また、実施の形態５の第１の変形例における光ピックアップ装置の構成は、図２（Ａ）に示す実施の形態１における光ピックアップ装置の構成と同じであり、その効果も同様である。
【００８４】
図８（Ａ）〜（Ｆ）において、第１の対物レンズ及び第２の対物レンズ（図示せず）は光ディスクの半径方向（ラジアル方向：Ｒ）に並べて配置されており、第１の立ち上げミラー５及び第２の立ち上げミラー１５もラジアル方向に並べて配置されている。図８（Ａ）〜（Ｆ）に示すように、漏出光２３や不要光２４を遮る形状及び位置であれば、フィルタ２０はどのような形状及び配置であってもよい。
【００８５】
図８（Ａ）において、フィルタ２０は、第１の立ち上げミラー５と第２の立ち上げミラー１５との間に設けられた第１のフィルタ２０ａと、第１のレーザ光の光軸方向に交わるとともに、第１のフィルタ２０ａの一端と垂直に接合される第２のフィルタ２０ｂとを備えて構成される。本構成では、フィルタ２０が漏出光２３や不要光２４を吸収し、その第１の波長λ１の光の透過率は５％以下であることが望ましい。この場合、漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００８６】
なお、図８（Ａ）において、第１のフィルタ２０ａ及び第２のフィルタ２０ｂは互いに垂直となるように配置されているが、本発明は特にこれに限定されない。第１のフィルタ２０ａ及び第２のフィルタ２０ｂは、漏出光２３や不要光２４を遮る位置に配置される構成であれば必ずしも互いに垂直である必要はない。
【００８７】
図８（Ｂ）において、フィルタ２０は、第１の立ち上げミラー５と第２の立ち上げミラー１５との間に設けられた第１のフィルタ２０ａと、第２のレーザ光の光軸方向に交わるとともに、第１のフィルタ２０ａの他端と垂直に接合される第３のフィルタ２０ｃとを備えて構成される。本構成では、フィルタ２０が漏出光２３や不要光２４を吸収し、その第１の波長λ１の光の透過率は５％以下であることが望ましい。この場合、不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００８８】
なお、図８（Ｂ）において、第１のフィルタ２０ａ及び第３のフィルタ２０ｃは互いに垂直となるように配置されているが、本発明は特にこれに限定されない。第１のフィルタ２０ａ及び第３のフィルタ２０ｃは、漏出光２３や不要光２４を遮る位置に配置される構成であれば必ずしも互いに垂直である必要はない。
【００８９】
図８（Ｃ）において、フィルタ２０は、第１の立ち上げミラー５と第２の立ち上げミラー１５との間に設けられる。本構成では、フィルタ２０が漏出光２３や不要光２４を吸収し、その第１の波長λ１の光の透過率は５％以下であることが望ましい。この場合、不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００９０】
図８（Ｄ）において、フィルタ２０ｂは、第１のレーザ光の光軸方向に交わるとともに、第１の立ち上げミラー５の第１のレーザ光の入射面とは異なる面側に設けられ、フィルタ２０ｃは、第２のレーザ光の光軸方向に交わるとともに、第２の立ち上げミラー１５の第２のレーザ光の入射面とは異なる面側に設けられている。本構成では、フィルタ２０ｂ，２０ｃが漏出光２３や不要光２４を吸収し、その第１の波長λ１の光の透過率は５％以下であることが望ましい。この場合、漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００９１】
図８（Ｅ）において、フィルタ２０は、第２のレーザ光の光軸方向に交わるとともに、第２の立ち上げミラー１５の第２のレーザ光の入射面とは異なる面側に設けられている。本構成では、フィルタ２０が漏出光２３や不要光２４を吸収し、その第１の波長λ１の光の透過率は５％以下であることが望ましい。この場合、不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００９２】
図８（Ｆ）において、フィルタ２０は、第１のレーザ光の光軸方向に交わるとともに、第１の立ち上げミラー５の第１のレーザ光の入射面とは異なる面側に設けられている。本構成では、フィルタ２０が漏出光２３や不要光２４を吸収し、その第１の波長λ１の光の透過率は５％以下であることが望ましい。この場合、漏出光２３や不要光２４は第２の波長λ２や第３の波長λ３用の光学部品が配置された光学系内にほとんど漏出せず、第２の波長λ２や第３の波長λ３用の光学部品が第１の波長λ１の光にほとんど露光されなくなる。
【００９３】
なお、図８（Ｆ）において、第１の立ち上げミラー５の第２の立ち上げミラー１５に隣り合う面にフィルタ２０を貼り付けてもよい。この場合、第１の立ち上げミラー５からの漏出光が第２の立ち上げミラー１５に入射するのを防止することができる。
【００９４】
図９（Ａ）〜（Ｃ）は、実施の形態５の第２の変形例における光ピックアップ装置の立ち上げミラーを上方から見た拡大図である。図９（Ａ）〜（Ｃ）において図２（Ｂ）と同じ構成については同じ符号を用い説明を省略する。また、実施の形態５の第２の変形例における光ピックアップ装置の構成は、図２（Ａ）に示す実施の形態１における光ピックアップ装置の構成と同じであり、その効果も同様である。
【００９５】
図９（Ａ）〜（Ｃ）における２つの対物レンズ（図示せず）は、光ディスクの半径方向（ラジアル方向：Ｒ）に並べて配置されているが、第１の立ち上げミラー５に入射する第１の光学系及び第２の立ち上げミラー１５に入射する第２の光学系のいずれかの光軸が、光ディスクの半径方向に垂直な方向（タンジェンシャル方向：Ｔ）とは一致しない。このような構成とすることで、光ピックアップ装置のタンジェンシャル方向の外形寸法を小型化することができる。
【００９６】
なお、実施の形態５の第２の変形例におけるフィルタ２０の配置は、図７（Ａ）及び（Ｂ）に示す実施の形態５におけるフィルタ２０の配置と同じである。
【００９７】
図９（Ａ）において、コリメートレンズ４及び第１の立ち上げミラー５を含む第１の光学系１７の光軸は、タンジェンシャル方向に対して平行であり、コリメートレンズ１４及び第２の立ち上げミラー１５を含む第２の光学系１８の光軸は、タンジェンシャル方向に対して４５度傾いている。
【００９８】
図９（Ｂ）において、コリメートレンズ４及び第１の立ち上げミラー５を含む第１の光学系１７の光軸は、タンジェンシャル方向に対して４５度傾いており、コリメートレンズ１４及び第２の立ち上げミラー１５を含む第２の光学系１８の光軸は、タンジェンシャル方向に対して平行である。
【００９９】
図９（Ｃ）において、コリメートレンズ４及び第１の立ち上げミラー５を含む第１の光学系１７の光軸は、タンジェンシャル方向に対して４５度傾いており、コリメートレンズ１４及び第２の立ち上げミラー１５を含む第２の光学系１８の光軸は、タンジェンシャル方向に対して４５度傾いている。なお、第１のフィルタ２０ａを第１の光学系１７及び第２の光学系１８の光軸に対して平行になるように、すなわちタンジェンシャル方向に対して４５度傾いて配置し、第２のフィルタ２０ｂを第１のフィルタ２０ａに対して垂直になるように配置し、第３のフィルタ２０ｃを第１のフィルタ２０ａに対して垂直になるように配置してもよい。
【０１００】
これらの構成によれば、図９（Ａ）〜（Ｃ）に示すようにフィルタ２０を漏出光２３や不要光２４を遮る位置に配置させることにより、上記と同様に、第２の光学系を構成する光学部品が、第１の波長λ１の光に露光されなくなる。
【０１０１】
なお、図９（Ａ）〜（Ｃ）において、第１のフィルタ２０ａ、第２のフィルタ２０ｂ及び第３のフィルタ２０ｃは互いに垂直となるように配置されているが、本発明は特にこれに限定されない。第１のフィルタ２０ａ、第２のフィルタ２０ｂ及び第３のフィルタ２０ｃは、漏出光２３や不要光２４を遮る位置に配置される構成であれば必ずしも互いに垂直である必要はない。
【０１０２】
以上の構成により、第２の波長λ２や第３の波長λ３用の光学部品は青色耐光性を考慮した部品を使用する必要が無く、光ピックアップ装置の記録再生品質が長期的に確保され、ランニングコストやイニシャルコストを十分に抑えることができる。
【０１０３】
このほか、本実施の形態５では、フィルタ２０を用いることによって得られる、実施の形態１で述べた様々な効果も同様に得られる。
【０１０４】
（実施の形態６）
図１０（Ａ）は、実施の形態６における光ピックアップ装置の構成を示す図である。
【０１０５】
図１０（Ａ）において光ピックアップ装置は、レーザ光源４１、ビーム整形素子４２、２波長レーザ光源５１、ダイクロイックミラー４３、コリメートレンズ４４、第１の立ち上げミラー４５、第１の対物レンズ（光学レンズ）４６、第２の立ち上げミラー５５、第２の対物レンズ（光学レンズ）５６、ビームスプリッタ４７、検出レンズ４９、光検出器５０及びフィルタ２０を備える。
【０１０６】
レーザ光源４１は、第１の波長λ１（３９０ｎｍ〜４２０ｎｍ：代表として４０５ｎｍとする）の第１のレーザ光を出射する。ビーム整形素子４２は、レーザ光の遠視野像の整形を行う。なお、図１０（Ａ）に示す光ピックアップ装置において、ビーム整形素子４２はなくてもよい。２波長レーザ光源５１は、第２の波長λ２（６４０〜６７０ｎｍ：代表として６５０ｎｍとする）の第２のレーザ光と、第３の波長λ３（７７０ｎｍ〜８００ｎｍ：代表として７９０ｎｍとする）の第３のレーザ光とのいずれかを選択的に出射する。
【０１０７】
ダイクロイックミラー４３は、第１の波長λ１の第１のレーザ光を反射し、第２の波長λ２の第２のレーザ光と第３の波長λ３の第３のレーザ光とを透過する。コリメートレンズ４４は、第１のレーザ光、第２のレーザ光及び第３のレーザ光を発散光から平行光に変換する。
【０１０８】
第１の立ち上げミラー４５は、第１の波長λ１の第１のレーザ光の光軸を第１の対物レンズ４６に向けて折り曲げる。第１の対物レンズ４６は、第１の波長λ１の第１のレーザ光を基材厚み０．１ｍｍの第１の光ディスク（図示せず）の情報記録面上に集光させる。第２の立ち上げミラー５５は、第２の波長λ２の第２のレーザ光と第３の波長λ３の第３のレーザ光の光軸を第２の対物レンズ５６に向けて折り曲げる。第２の対物レンズ５６は、第２の波長λ２の第２のレーザ光を基材厚み０．６ｍｍの第２の光ディスク（図示せず）の情報記録面上に集光させるとともに、第３の波長λ３の第３のレーザ光を基材厚み１．２ｍｍの第３の光ディスク（図示せず）の情報記録面上に集光させる。
【０１０９】
本実施の形態において、第１の光ビーム、第２の光ビーム及び第３の光ビームは同一方向から照射され、第１の立ち上げミラー４５に入射する第１の光ビームの光軸と、第２の立ち上げミラー５５に入射する第２の光ビームの光軸とが一致する。
【０１１０】
ビームスプリッタ４７は、ダイクロイックミラー４３によって反射された第１のレーザ光を透過させ、ダイクロイックミラー４３を透過した第２のレーザ光及び第３のレーザ光を透過させる。また、ビームスプリッタ４７は、各光ディスクによって反射された各レーザ光を光検出器５０に向けて反射させる。検出レンズ４９は、各光ディスクによって反射された各レーザ光を光検出器５０に集光させる。光検出器５０は、各光ディスクで反射された各レーザ光を受光し、光量に対応した電気信号に変換する。
【０１１１】
レーザ光源４１及び２波長レーザ光源５１は、好ましくは半導体レーザ光源とすることにより、光ピックアップ装置及びこれを用いた光情報装置を小型化、軽量化及び低消費電力化することができる。
【０１１２】
第１の光ディスクに記録再生を行う場合、レーザ光源４１から出射した第１の波長λ１の青色光ビームは、ビーム整形素子４２によって整形され、ダイクロイックミラー４３で反射され、ビームスプリッタ４７を透過する。ビームスプリッタ４７を透過した青色光ビームは、コリメートレンズ４４によって略平行光に変換され、第１の立ち上げミラー４５によって光軸が略垂直に折り曲げられ、１／４波長板（図示せず）によって直線偏光から円偏光に変換される。円偏光に変換された青色光ビームは、屈折型の第１の対物レンズ４６によって第１の光ディスクの厚さ０．１ｍｍの基材を通して情報記録面に集光される。
【０１１３】
情報記録面で反射した青色光ビームは、元の光路を逆にたどって（復路）、１／４波長板によって初期とは直角方向に異なる直線偏光に変換され、第１の立ち上げミラー４５によって光軸が略垂直に折り曲げられ、コリメートレンズ４４により焦点距離が伸ばされる。焦点距離が伸ばされた青色光ビームは、ビームスプリッタ４７を反射し、光検出器５０に入射する。光検出器５０の出力が演算されることによって、焦点制御やトラッキング制御に用いるサーボ信号及び情報信号が得られる。
【０１１４】
また、２波長レーザ光源５１から出射された第２の波長λ２の赤色光ビーム及び第３の波長λ３の赤外光ビームは、ダイクロイックミラー４３及びビームスプリッタ４７を透過し、コリメートレンズ４４によって略平行光に変換される。略平行光に変換された赤色光ビーム及び赤外光ビームは、第１の立ち上げミラー４５を透過し、第２の立ち上げミラー５５によって略垂直に光軸が折り曲げられる。その後、赤色光ビーム及び赤外光ビームは、第２の対物レンズ５６によってそれぞれ基材厚み０．６ｍｍまたは基材厚み１．２ｍｍの光ディスクに照射される。
【０１１５】
情報記録面で反射した赤色光ビームは、元の光路を逆にたどって（復路）、第２の立ち上げミラー５５によって光軸が略垂直に折り曲げられ、第１の立ち上げミラー４５を透過し、コリメートレンズ４４により焦点距離が伸ばされる。焦点距離が伸ばされた赤色光ビーム及び赤外光ビームは、ビームスプリッタ４７を反射し、光検出器５０に入射する。光検出器５０の出力が演算されることによって、焦点制御やトラッキング制御に用いるサーボ信号及び情報信号が得られる。なお、ビームスプリッタ４７は、第１の波長λ１、第２の波長λ２及び第３の波長λ３の光ビームに関して、一方向の直線偏光を全反射し、それと直角方向の直線偏光を全透過する偏光分離膜を持った光路分岐素子である。
【０１１６】
従って、図１０（Ａ）において、本実施の形態６の第１の光学系は、少なくともレーザ光源４１、ビーム整形素子４２、ダイクロイックミラー４３、ビームスプリッタ４７、コリメートレンズ４４、第１の立ち上げミラー４５、第１の対物レンズ４６、検出レンズ４９及び光検出器５０の光学部品で構成されており、第２の光学系は、少なくとも２波長レーザ光源５１、第２の立ち上げミラー５５及び第２の対物レンズ５６で構成されている。
【０１１７】
図１０（Ｂ）は、図１０（Ａ）に示す立ち上げミラーを側面から見た拡大図である。フィルタ２０は、第１の立ち上げミラー４５と第２の立ち上げミラー５５との間に配置され、青色光を吸収する。第１の立ち上げミラー４５に入射する青色光ビーム２１は、第１の立ち上げミラー４５の反射面で、光路を折り曲げられる第１の成分２２と、折り曲げられずに第１の立ち上げミラー４５内に漏出する第２の成分２３とに分解される。
【０１１８】
第１の成分２２は光ディスクに照射される重要成分であるが、第２の成分２３は光ディスクの信号には寄与しない不要成分である。本構成では、フィルタ２０が漏出光２３を吸収し、その第１の波長λ１の光の透過率は５％以下であることが望ましい。このような構成とすることで、漏出光２３は第２の波長λ２や第３の波長λ３専用の光学部品、例えば第２の立ち上げミラー５５や第２の対物レンズ５６などが配置された光学系内にほとんど漏出せず、第２の波長λ２や第３の波長λ３専用の光学部品が第１の波長λ１の光にほとんど露光されなくなる。
【０１１９】
なお、フィルタ２０は、漏出光２３を反射する構成であってもよい。ただし、漏出光２３を反射した場合、その反射光は再度第１の波長λ１の光学系内に戻り、その光ビームがレーザ光源４１まで到達してしまう可能性がある。この場合、戻り光の影響で光ピックアップ装置の信号品質が若干ではあるが劣化する可能性があるため注意が必要である。ただし、この漏出光の反射光がレーザ光源４１の出射光量に対してごく微量である場合には、フィルタ２０は反射型であっても問題ない。この構成でも、漏出光２３は第２の波長λ２や第３の波長λ３専用の光学部品が配置された光学系内にほとんど漏出せず、第２の波長λ２や第３の波長λ３専用の光学部品が第１の波長λ１の光にほとんど露光されなくなる。
【０１２０】
また、本実施の形態６において、２波長レーザ光源５１は、第２の波長λ２の第２のレーザ光と第３の波長λ３の第３のレーザ光とを出射するとしているが、例えば基材厚み１．２ｍｍの光ディスクに対応する必要がない光ピックアップ装置の場合、２波長レーザ光源５１に替えて、第２の波長λ２の第２のレーザ光のみを出射するレーザ光源を設けてもよい。この場合でも、フィルタ２０を本実施の形態６のように用いることによって、第２の立ち上げミラー５５や第２の対物レンズ５６などの第２の波長λ２専用の光学部品が、第１の波長λ１の光にほとんど露光されなくなる。
【０１２１】
以上の構成により、第２の波長λ２や第３の波長λ３専用の光学部品は青色耐光性を考慮した部品を使用する必要が無く、光ピックアップ装置の記録再生品質が長期的に確保され、ランニングコストやイニシャルコストを十分に抑えることができる。
【０１２２】
また、本実施の形態６における変形例を図１１及び図１２に示す。図１１（Ａ）〜（Ｃ）は、実施の形態６の第１〜第３の変形例における光ピックアップ装置の立ち上げミラーを側面から見た拡大図である。
【０１２３】
図１１（Ａ）に示す光ピックアップ装置の場合、フィルタ２０は、第１の立ち上げミラー４５の反射面に対向する裏面に配置されている。このような構成の場合でも、漏出光２３はフィルタ２０によって遮断されるため、第２の立ち上げミラー５５や第２の対物レンズ５６が第１の波長λ１の光に露光されることはなくなる。
【０１２４】
図１１（Ｂ）に示す光ピックアップ装置の場合、フィルタ２０は、第２の立ち上げミラー５５の反射面上に備えられている。この場合、フィルタ２０は、第１の波長λ１の光の反射率が５％以下であることが好ましい。このような構成とすることで、第２の立ち上げミラー５５を反射して第２の対物レンズ５６側に漏出する漏出光２３はほとんど無くなり、第２の対物レンズ５６が第１の波長λ１の光に露光されることがなくなる。この構成の場合、第２の立ち上げミラー５５は第２の光学系に属さない部品となる。
【０１２５】
図１１（Ｃ）に示す光ピックアップ装置の場合、フィルタ２０は、第２の立ち上げミラー５５と第２の対物レンズ５６との間に配置されている。この場合、フィルタ２０は、第１の波長λ１の光の透過率が５％以下であることが好ましい。このような構成とすることで、漏出光２３の第２の立ち上げミラー５５による反射光がフィルタ２０で遮断され、第２の対物レンズ５６は第１の波長λ１の光に露光されなくなる。この構成の場合も、第２の立ち上げミラー５５は第２の光学系に属さない部品となる。
【０１２６】
図１２（Ａ）及び（Ｂ）は、実施の形態６の第４及び第５の変形例における光ピックアップ装置の立ち上げミラーを側面から見た拡大図である。図１２（Ａ）及び（Ｂ）に示す光ピックアップ装置と、図１０（Ａ）及び（Ｂ）や図１１（Ａ）〜（Ｃ）に示す光ピックアップ装置とでは、第１の対物レンズ４６と第２の対物レンズ５６との配置が入れ替わっている。
【０１２７】
図１２（Ａ）に示す光ピックアップ装置の場合、フィルタ２０は、第２の立ち上げミラー５５の反射面上に備えられている。この場合、フィルタ２０は、第１の波長λ１の光の反射率が５％以下であることが好ましい。このような構成とすることで、第２の立ち上げミラー５５を反射して第２の対物レンズ５６側に漏出する漏出光２３はほとんど無くなり、第２の対物レンズ５６が第１の波長λ１の光に露光されることがなくなる。
【０１２８】
図１２（Ｂ）に示す光ピックアップ装置の場合、フィルタ２０は、第２の立ち上げミラー５５と第２の対物レンズ５６との間に配置されている。この場合、フィルタ２０は、第１の波長λ１の光の透過率が５％以下であることが好ましい。このような構成とすることで、漏出光２３の第２の立ち上げミラー５５による反射光がフィルタ２０で遮断され、第２の対物レンズ５６は第１の波長λ１の光に露光されなくなる。
【０１２９】
なお、図１２（Ａ）及び（Ｂ）に示す構成の場合、第２の立ち上げミラー５５は第１の光学系に属する部品であり、第１の波長λ１に対する耐光性を考慮した構成とする必要がある。
【０１３０】
このほか、本実施の形態６では、フィルタ２０を用いることによって得られる、実施の形態１で述べた様々な効果も同様に得られる。
【０１３１】
（実施の形態７）
さらに、本発明の光ピックアップ装置を用いた光情報装置を図１３に示す。図１３は、実施の形態７における光情報装置の一例である光ディスクドライブの全体構成を示す図である。
【０１３２】
光ディスクドライブ２００は、光ピックアップ装置２０１、モータ（回転系）２０５、トラバース（移送系）２０６及び制御回路２０７を備える。光ディスク２０２は、ターンテーブル２０３とクランパー２０４で挟んで固定され、モータ（回転系）２０５によって回転させられる。
【０１３３】
実施の形態１から実施の形態６のいずれかに記載した光ピックアップ装置２０１はトラバース（移送系）２０６上に乗っている。トラバース２０６は、光ピックアップ装置２０１を光ディスク２０２の半径方向に移動させる。これにより、光ピックアップ装置２０１によって照射される光が光ディスク２０２の内周から外周まで移動できるようにしている。
【０１３４】
制御回路２０７は、光ピックアップ装置２０１から受けた信号に基づいて、フォーカス制御、トラッキング制御、トラバース制御及びモータ２０５の回転制御等を行う。また、制御回路２０７は、再生信号から情報の再生や、記録信号の光ピックアップ装置２０１への送出を行う。
【０１３５】
（実施の形態８）
実施の形態７に記した光ディスクドライブ（光情報装置）２００を具備したコンピュータを図１４に示す。図１４は、実施の形態８におけるコンピュータの全体構成を示す概略斜視図である。
【０１３６】
図１４において、パーソナルコンピュータ（コンピュータ）２１０は、実施の形態７の光ディスクドライブ２００と、情報の入力を行うためのキーボード（入力部）２１１と、キーボード２１１から入力された情報及び光ディスクドライブ２００から再生された情報に基づいて演算を行う演算装置２１２と、情報の表示を行うためのモニタ（出力部）２１３とを備える。
【０１３７】
上述の実施の形態７の光ディスクドライブ２００を外部記憶装置として具備したコンピュータ２１０は、異なる種類の光ディスクに情報を安定に記録あるいは再生でき、広い用途に使用できる。光ディスクドライブ２００は、その大容量性を生かして、コンピュータ２１０内のハードディスクのバックアップデータを記録することができる。また、光ディスクドライブ２００は、メディア（光ディスク）が安価で容易に携帯できること、あるいは他の光ディスクドライブでも情報が読み出せるという互換性があることを生かして、プログラムやデータを人と交換したり、自分用に持ち歩いたりすることができる。また、ＤＶＤやＣＤ等の既存のメディアの再生／記録にも対応できる。
【０１３８】
（実施の形態９）
実施の形態７に記した光ディスクドライブ（光情報装置）２００を具備した光ディスクレコーダ（映像記録再生装置）を図１５に示す。図１５は、実施の形態９における光ディスクレコーダの全体構成を示す概略斜視図である。
【０１３９】
図１５において、光ディスクレコーダ２２０は実施の形態７の光ディスクドライブ２００と、画像情報を光ディスクドライブ２００によって記録する情報に変換するエンコーダ２２１とを内蔵しており、記録している映像の表示を行うためのモニタ２２２と接続されて使用される。
【０１４０】
上述の実施の形態７の光ディスクドライブ２００を具備した光ディスクレコーダ２２０は、異なる種類の光ディスクに映像を安定して記録あるいは再生でき、広い用途に使用できる。光ディスクレコーダ２２０は、メディア（光ディスク）に映像を記録し、好きな時にそれを再生することができる。光ディスクはテープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で容易に携帯できるであること、あるいは他の光ディスクレコーダでも情報が読み出せるという互換性があることを生かして、記録した映像を人と交換したり、自分用に持ち歩いたりすることができる。また、ＤＶＤやＣＤ等の既存のメディアの再生／記録にも対応する。
【０１４１】
なお、ここでは、光ディスクレコーダ２２０が光ディスクドライブ２００だけを備える場合について述べたが、ハードディスクドライブを内蔵していても良いし、ビデオテープの録画再生機能を内蔵していても良い。その場合、映像の一時退避や、バックアップが容易にできる。
【０１４２】
（実施の形態１０）
実施の形態７に記した光ディスクドライブ（光情報装置）２００を具備した光ディスクプレーヤ（映像再生装置）を図１６に示す。図１６は、実施の形態１０における光ディスクプレーヤの全体構成を示す概略斜視図である。
【０１４３】
図１６において、液晶モニタ２３０を備えた光ディスクプレーヤ２３１は、実施の形態７の光ディスクドライブ２００と、光ディスクドライブ２００から得られる情報信号を画像に変換するデコーダ２３２とを内蔵しており、光ディスクに記録された映像を液晶モニタ２３０に表示する。上述の実施の形態７の光ディスクドライブ２００を具備した光ディスクプレーヤ２３１は、異なる種類の光ディスクの映像を安定に再生でき、広い用途に使用できる。
【０１４４】
光ディスクプレーヤ２３１は、メディア（光ディスク）に記録された映像を、好きな時に再生することができる。光ディスクはテープのように再生後に巻き戻しの作業が必要なく、ある映像の任意の場所にアクセスして再生することができる。また、ＤＶＤやＣＤ等の既存のメディアの再生にも対応する。
【０１４５】
（実施の形態１１）
実施の形態７に記した光ディスクドライブ（光情報装置）２００を具備した光ディスクサーバを図１７に示す。図１７は、実施の形態１１における光ディスクサーバの全体構成を示す概略斜視図である。
【０１４６】
図１７において、光ディスクサーバ２４０は、実施の形態７の光ディスクドライブ２００と、情報の入力を行うためのキーボード２４１と、情報の表示を行うためのモニタ２４２と、光ディスクドライブ２００によって記録又は再生される情報の入出力を外部と行う入出力部２４３とを備える。入出力部２４３は、例えばインターネットなどのネットワーク２４４と接続されている。
【０１４７】
上述の実施の形態７の光ディスクドライブ２００を外部記憶装置として具備した光ディスクサーバ２４０は、異なる種類の光ディスクに情報を安定に記録あるいは再生でき、広い用途に使用できる。光ディスクドライブ２００は、その大容量性を生かして、ネットワーク２４４からの要求に応じ、光ディスクに記録されている情報（例えば、画像、音声、映像、ＨＴＭＬ文書及びテキスト文書等）を送出する。また、光ディスクドライブ２００は、ネットワーク２４４から送られてくる情報をその要求された場所に記録する。また、ＤＶＤやＣＤ等の既存のメディアに記録された情報も再生が可能であるので、それらの情報を送出することも可能となる。
【０１４８】
（実施の形態１２）
実施の形態７に記した光ディスクドライブ（光情報装置）２００を具備したカーナビゲーションシステムを図１８に示す。図１８は、実施の形態１２におけるカーナビゲーションシステムの全体構成を示す概略斜視図である。
【０１４９】
図１８において、カーナビゲーションシステム２５０は、実施の形態７の光ディスクドライブ２００と、光ディスクドライブ２００から得られる情報信号を画像に変換するデコーダ２５１とを内蔵しており、地形や行き先情報の表示を行うための液晶モニタ２５２と接続されて使用される。
【０１５０】
上述の実施の形態７の光ディスクドライブ２００を具備したカーナビゲーションシステム２５０は、異なる種類の光ディスクに映像を安定に記録あるいは再生でき、広い用途に使用できる。カーナビゲーションシステム２５０は、メディア（光ディスク）に記録された地図情報と、地上位置確定システム（ＧＰＳ）や、ジャイロスコープ、速度計及び走行距離計等の情報に基づいて、現在位置を割り出し、その位置を液晶モニタ２５２上に表示する。また、カーナビゲーションシステム２５０は、行き先が入力されると、地図情報や道路情報に基づいて、行き先までの最適な経路を割り出し、それを液晶モニタ２５２に表示する。
【０１５１】
地図情報を記録するために大容量の光ディスクを用いることで、一枚の光ディスクで広い地域をカバーして細かい道路情報を提供することができる。また、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めた光ディスクと交換することで最新の情報を得ることができる。またＤＶＤやＣＤ等の既存のメディアの再生／記録にも対応するため、自動車の中で映画を見たり音楽を聴いたりすることも可能である。
【０１５２】
なお、上述した具体的実施形態には以下の構成を有する発明が主に含まれている。
【０１５３】
本発明の一局面に係る光ピックアップ装置は、第１の波長を有する第１の光ビームを放射する第１の光源と、前記第１の光源から放射された前記第１の光ビームを第１の光ディスクに導く第１の光学系と、前記第１の波長とは異なる第２の波長を有する第２の光ビームを放射する第２の光源と、前記第２の光源から放射された前記第２の光ビームを、前記第１の光ディスクとは記録密度の異なる第２の光ディスクに導く第２の光学系と、前記第１の光学系から漏出する前記第１の波長を有する不要な光ビームが、前記第２の光学系を構成する光学部品に照射されるのを遮る位置に配置され、前記第１の波長を有する第１の光ビームを遮光する遮光部とを備える。
【０１５４】
この構成によれば、第１の光源によって、第１の波長を有する第１の光ビームが放射され、第１の光学系によって、第１の光源から放射された第１の光ビームが第１の光ディスクに導かれる。また、第２の光源によって、第１の波長とは異なる第２の波長を有する第２の光ビームが放射され、第２の光学系によって、第２の光源から放射された第２の光ビームが、第１の光ディスクとは記録密度の異なる第２の光ディスクに導かれる。そして、第１の光学系から漏出する第１の波長を有する不要な光ビームが、第２の光学系を構成する光学部品に照射されるのを遮る位置に配置された遮光部によって、第１の波長を有する第１の光ビームが遮光される。
【０１５５】
したがって、第１の波長を有する第１の光ビームが第２の光学系を構成する光学部品に照射されないので、第２の光学系を構成する光学部品の損傷や性能劣化を防止することができ、光ピックアップ装置の記録再生性能の劣化を低減することができる。
【０１５６】
また、第１の光源から出射する第１の光ビームの出射光量を制限する必要がなくなり、多層光ディスクへの記録再生や高速での記録再生を実現するために、大光量の第１の光ビームを出射する光ピックアップ装置を構成することができる。また、遮光部を構成する光学部品を薄膜素子で構成することで、光ピックアップ装置を小型化することができる。
【０１５７】
また、上記の光ピックアップ装置において、前記第１の光学系は、前記第１の光源から放射された前記第１の光ビームを、前記第１の光ディスクの記録面に略垂直になるよう折り曲げる第１の立ち上げミラーを含み、前記第２の光学系は、前記第２の光源から放射された前記第２の光ビームを、前記第２の光ディスクの記録面に略垂直になるよう折り曲げる第２の立ち上げミラーを含み、前記第１の立ち上げミラーに前記第１の光源側から入射する第１の光ビームの光軸と、前記第２の立ち上げミラーに前記第２の光源側から入射する第２の光ビームの光軸とが、略平行であることが好ましい。
【０１５８】
この構成によれば、第１の立ち上げミラーによって、第１の光源から放射された第１の光ビームが、第１の光ディスクの記録面に略垂直になるよう折り曲げられ、第２の立ち上げミラーによって、第２の光源から放射された第２の光ビームが、第２の光ディスクの記録面に略垂直になるよう折り曲げられる。そして、第１の立ち上げミラーに第１の光源側から入射する第１の光ビームの光軸と、第２の立ち上げミラーに第２の光源側から入射する第２の光ビームの光軸とが略平行となる。
【０１５９】
したがって、第１の立ち上げミラーに第１の光源側から入射する第１の光ビームの光軸と、第２の立ち上げミラーに第２の光源側から入射する第２の光ビームの光軸とが略平行となるように、第１の光学系及び第２の光学系の光学部品を配置することができる。
【０１６０】
また、上記の光ピックアップ装置において、前記第１の光源と前記第２の光源とは互いに対向する位置に配置され、前記第１の立ち上げミラーと前記第２の立ち上げミラーとは、前記第１の光ディスク及び前記第２の光ディスクの半径方向に垂直な方向に並んで配置されることが好ましい。この構成によれば、第１の立ち上げミラーから漏出した第１の波長を有する不要な光ビームが第２の立ち上げミラーに入射するのを防止することができる。
【０１６１】
また、上記の光ピックアップ装置において、前記遮光部は、前記第１の立ち上げミラーと前記第２の立ち上げミラーとの間に配置され、前記第１の波長を有する第１の光ビームを遮光するフィルタを含むことが好ましい。
【０１６２】
この構成によれば、第１の立ち上げミラーと第２の立ち上げミラーとの間に配置されたフィルタによって、第１の波長を有する第１の光ビームが遮光されるので、第１の立ち上げミラーを透過した不要な光ビームが第２の立ち上げミラーに入射するのを防止することができる。
【０１６３】
また、上記の光ピックアップ装置において、前記遮光部は、前記第１の立ち上げミラーの前記第１の光ビームの折り曲げ面に配置され、前記第１の波長を有する第１の光ビームを遮光するフィルタを含むことが好ましい。
【０１６４】
この構成によれば、第１の立ち上げミラーの第１の光ビームの折り曲げ面に配置されたフィルタによって、第１の波長を有する第１の光ビームが遮光されるので、第１の立ち上げミラーから第２の立ち上げミラーに向かって不要な光ビームが透過するのを防止することができる。
【０１６５】
また、上記の光ピックアップ装置において、前記遮光部は、前記第２の立ち上げミラーの前記第２の光ビームの折り曲げ面に配置され、前記第１の波長を有する第１の光ビームを遮光するフィルタを含むことが好ましい。
【０１６６】
この構成によれば、第２の立ち上げミラーの第２の光ビームの折り曲げ面に配置されたフィルタによって、第１の波長を有する第１の光ビームが遮光されるので、第１の立ち上げミラーを透過した不要な光ビームが第２の立ち上げミラーに入射するのを防止することができる。
【０１６７】
また、上記の光ピックアップ装置において、前記フィルタは、前記第１の波長を有する第１の光ビームの透過率が５％以下であることが好ましい。
【０１６８】
この構成によれば、第１の波長を有する第１の光ビームに対するフィルタの透過率が５％以下であるので、第１の立ち上げミラーから第２の立ち上げミラーに漏出する不要な光ビームの量を光学部品が損傷及び性能劣化しない程度に抑えることができる。
【０１６９】
また、上記の光ピックアップ装置において、前記第１の立ち上げミラー及び前記第２の立ち上げミラーは、それぞれ平板で形成された光学部品であり、前記遮光部は、前記第１の立ち上げミラー及び前記第２の立ち上げミラーを保持するとともに、前記第１の波長を有する光ビームを透過しない材料で形成されたホルダを含むことが好ましい。
【０１７０】
この構成によれば、第１の立ち上げミラー及び第２の立ち上げミラーは、それぞれ平板で形成された光学部品である。そして、第１の波長を有する光ビームを透過しない材料で形成されたホルダによって、第１の立ち上げミラー及び第２の立ち上げミラーが保持される。
【０１７１】
したがって、第１の立ち上げミラー及び第２の立ち上げミラーを保持するホルダによって、第１の立ち上げミラーを透過した不要な光ビームが第２の立ち上げミラーに入射するのを防止することができる。
【０１７２】
また、上記の光ピックアップ装置において、前記ホルダは、光学部品を支持する光学基台上に形成されていることが好ましい。この構成によれば、ホルダが、光学部品を支持する光学基台上に形成されているので、第１の立ち上げミラー及び第２の立ち上げミラーを光学基台に固定することができ、安定した記録再生を実現することができる。
【０１７３】
また、上記の光ピックアップ装置において、前記遮光部は、前記第１の立ち上げミラーにおける前記第１の光ビームの折り曲げ面以外の面の少なくとも１つの面に配置され、前記第１の波長を有する第１の光ビームを吸収し、吸収されずに透過又は反射される成分が吸収前の５％以下であることが好ましい。
【０１７４】
この構成によれば、第１の立ち上げミラーにおける第１の光ビームの折り曲げ面以外の面の少なくとも１つの面に配置された遮光部によって、第１の波長を有する第１の光ビームが吸収される。そして、このとき吸収されずに透過又は反射される成分が吸収前の５％以下である。したがって、第１の立ち上げミラーにおける第１の光ビームの折り曲げ面以外の面から出射する不要な光ビームが第２の立ち上げミラーに入射するのを防止することができる。
【０１７５】
また、上記の光ピックアップ装置において、前記遮光部は、前記第１の立ち上げミラーにおける前記第１の光ビームの折り曲げ面以外の面の少なくとも１つの面に配置され、前記第１の波長を有する第１の光ビームを反射させ、その反射率が５％以下であることが好ましい。
【０１７６】
この構成によれば、第１の立ち上げミラーにおける第１の光ビームの折り曲げ面以外の面の少なくとも１つの面に配置された遮光部によって、第１の波長を有する第１の光ビームが反射する。そして、第１の光ビームの折り曲げ面以外の面の少なくとも１つの面の反射率は５％以下である。したがって、第１の立ち上げミラーにおける第１の光ビームの折り曲げ面以外の面から出射する不要な光ビームが第２の立ち上げミラーに入射するのを防止することができる。
【０１７７】
また、上記の光ピックアップ装置において、前記第１の光学系は、前記第１の光ビームを前記第１の光ディスクに合焦させる第１の対物レンズを含み、前記第２の光学系は、前記第２の光ビームを前記第２の光ディスクに合焦させる第２の対物レンズを含み、前記第１の対物レンズと前記第２の対物レンズとを同時に保持するレンズホルダをさらに備え、前記遮光部は、前記レンズホルダ内において、前記第１の光ビームが通過する光路と、前記第２の光ビームが通過する光路とを分離する壁を含み、前記壁は、前記第１の波長を有する第１の光ビームを遮光することが好ましい。
【０１７８】
この構成によれば、第１の対物レンズによって、第１の光ビームが第１の光ディスクに合焦され、第２の対物レンズによって、第２の光ビームが第２の光ディスクに合焦される。そして、レンズホルダによって、第１の対物レンズと第２の対物レンズとが同時に保持される。壁によって、レンズホルダ内において、第１の光ビームが通過する光路と、第２の光ビームが通過する光路とが分離され、第１の波長を有する第１の光ビームが遮光される。
【０１７９】
したがって、レンズホルダ内において、第２の対物レンズが通過する光路上の光学部品に第１の光ビームが漏出するのを防止することができる。
【０１８０】
また、上記の光ピックアップ装置において、前記遮光部は、前記レンズホルダ内の前記第２の光ビームが通過する光路中における前記第２の対物レンズと前記第２の立ち上げミラーとの間に配置され、前記第１の波長を有する第１の光ビームを遮断し、前記第２の波長を有する第２の光ビームを透過させる波長選択フィルタをさらに含むことが好ましい。
【０１８１】
この構成によれば、レンズホルダ内の第２の光ビームが通過する光路中における第２の対物レンズと第２の立ち上げミラーとの間に配置された波長選択フィルタによって、第１の波長を有する第１の光ビームが遮断され、第２の波長を有する第２の光ビームが透過される。
【０１８２】
したがって、レンズホルダ内において、第２の対物レンズが通過する光路上の光学部品に第１の光ビームが漏出するのを確実に防止することができる。
【０１８３】
また、上記の光ピックアップ装置において、前記第１の光学系は、前記第１の光源から放射された前記第１の光ビームを、前記第１の光ディスクの記録面に略垂直になるよう折り曲げる第１の立ち上げミラーを含み、前記第２の光学系は、前記第２の光源から放射された前記第２の光ビームを、前記第２の光ディスクの記録面に略垂直になるよう折り曲げる第２の立ち上げミラーを含み、前記第１の光源と前記第２の光源とは互いに対向する位置に配置され、前記第１の立ち上げミラーと前記第２の立ち上げミラーとは、前記第１の光ディスク及び前記第２の光ディスクの半径方向に並んで配置されることが好ましい。
【０１８４】
この構成によれば、第１の立ち上げミラーによって、第１の光源から放射された第１の光ビームが、第１の光ディスクの記録面に略垂直になるよう折り曲げられ、第２の立ち上げミラーによって、第２の光源から放射された第２の光ビームが、第２の光ディスクの記録面に略垂直になるよう折り曲げられる。そして、第１の光源と第２の光源とは互いに対向する位置に配置されており、第１の立ち上げミラーと第２の立ち上げミラーとは、第１の光ディスク及び第２の光ディスクの半径方向に並んで配置される。
【０１８５】
したがって、第１の立ち上げミラー及び第２の立ち上げミラーを第１の光ディスク及び第２の光ディスクの半径方向に垂直な方向に並べた場合に比べて、光ピックアップ装置を小型化することができる。
【０１８６】
また、上記の光ピックアップ装置において、前記遮光部は、前記第１の光ビームの光軸方向に交わるとともに、前記第１の立ち上げミラーの第１の光ビームの入射面とは異なる面側に配置され、前記第１の波長を有する第１の光ビームを遮光するフィルタを含むことが好ましい。
【０１８７】
この構成によれば、第１の光ビームの光軸方向に交わるとともに、第１の立ち上げミラーの第１の光ビームの入射面とは異なる面側に配置されたフィルタによって、第１の波長を有する第１の光ビームが遮光される。したがって、第１の立ち上げミラーの第１の光ビームの入射面とは異なる面側から漏出する不要な光ビームが第２の光学系に入射するのを防止することができる。
【０１８８】
また、上記の光ピックアップ装置において、前記遮光部は、前記第１の立ち上げミラーと前記第２の立ち上げミラーとの間に配置され、前記第１の波長を有する第１の光ビームを遮光するフィルタを含むことが好ましい。
【０１８９】
この構成によれば、第１の立ち上げミラーと第２の立ち上げミラーとの間に配置されたフィルタによって、第１の波長を有する第１の光ビームが遮光される。したがって、第１の光学系を構成する光学部品の外側を通る光ビームや光学基台内外で発生する不要な内部反射迷光が第２の光学系に入射するのを防止することができる。
【０１９０】
また、上記の光ピックアップ装置において、前記第１の光ビームと前記第２の光ビームとは同一方向から照射され、前記第１の立ち上げミラーに入射する第１の光ビームの光軸と、前記第２の立ち上げミラーに入射する第２の光ビームの光軸とが一致することが好ましい。
【０１９１】
この構成によれば、第１の光ビームと第２の光ビームとは同一方向から照射され、第１の立ち上げミラーに入射する第１の光ビームの光軸と、第２の立ち上げミラーに入射する第２の光ビームの光軸とが一致するので、第１の光源と第２の光源とを対向する位置に配置する場合に比べて、光ピックアップ装置を小型化することができる。
【０１９２】
また、上記の光ピックアップ装置において、前記第１の立ち上げミラーは、前記第１の光源から放射された前記第１の光ビームを、前記第１の光ディスクの記録面に略垂直になるよう折り曲げるとともに、前記第２の光ビームを透過させ、前記第２の立ち上げミラーは、前記第１の立ち上げミラーを透過した前記第２の光ビームを、前記第２の光ディスクの記録面に略垂直になるよう折り曲げ、前記遮光部は、前記第１の立ち上げミラーと前記第２の立ち上げミラーとの間に配置され、前記第１の波長を有する第１の光ビームを遮光するフィルタを含むことが好ましい。
【０１９３】
この構成によれば、第１の立ち上げミラーと第２の立ち上げミラーとの間に配置されたフィルタによって、第１の波長を有する第１の光ビームが遮光されるので、第２の光ビームと共に第１の立ち上げミラーを透過した不要な光ビームが第２の立ち上げミラーに入射するのを防止することができる。
【０１９４】
また、上記の光ピックアップ装置において、前記第１の立ち上げミラーは、前記第１の光源から放射された前記第１の光ビームを、前記第１の光ディスクの記録面に略垂直になるよう折り曲げるとともに、前記第２の光ビームを透過させ、前記第２の立ち上げミラーは、前記第１の立ち上げミラーを透過した前記第２の光ビームを、前記第２の光ディスクの記録面に略垂直になるよう折り曲げ、前記第２の光学系は、前記第２の立ち上げミラーによって折り曲げられた前記第２の光ビームを前記第２の光ディスクに合焦させる第２の対物レンズを含み、前記遮光部は、前記第２の立ち上げミラーと前記第２の対物レンズとの間に配置され、前記第１の波長を有する第１の光ビームを遮光するフィルタを含むことが好ましい。
【０１９５】
この構成によれば、第２の対物レンズによって、第２の立ち上げミラーによって折り曲げられた第２の光ビームが第２の光ディスクに合焦され、第２の立ち上げミラーと第２の対物レンズとの間に配置されたフィルタによって、第１の波長を有する第１の光ビームが遮光される。
【０１９６】
したがって、第２の光ビームと共に第２の立ち上げミラーによって折り曲げられた不要な光ビームが第２の対物レンズに入射するのを防止することができる。
【０１９７】
また、上記の光ピックアップ装置において、前記第２の光学系は、樹脂材料で形成された少なくとも１つ以上の光学部品を有することが好ましい。
【０１９８】
樹脂材料で形成された光学部品は、短波長の光ビームが照射されることで損傷及び性能劣化しやすくなる。しかしながら、この構成によれば、第１の光学系から漏出した光ビームが第２の光学系に入射しないので、樹脂材料で形成された光学部品で第２の光学系を構成することができ、光ピックアップ装置の製造コストを低減することができる。
【０１９９】
また、上記の光ピックアップ装置において、前記第１の波長は、３９０ｎｍ〜４２０ｎｍであることが好ましい。この構成によれば、３９０ｎｍ〜４２０ｎｍの波長を有する青色レーザ光の不要な光ビームが、第２の光学系を構成する光学部品に入射するのを防止することができる。
【０２００】
本発明の他の局面に係る光情報装置は、上記の光ピックアップ装置と、光ディスクを回転するモータと、前記光ピックアップ装置から得られる信号を受け、前記信号に基づいて、フォーカス制御、トラッキング制御、情報再生制御及び前記モータの回転制御を行う制御部とを備える。
【０２０１】
この構成によれば、光ピックアップ装置から得られる信号に基づいて、フォーカス制御、トラッキング制御、情報再生制御及びモータの回転制御が行われる。したがって、上記の光ピックアップ装置を光情報装置に適用することができる。
【０２０２】
本発明の他の局面に係るコンピュータは、上記の光情報装置と、情報を入力するための入力部と、前記入力部から入力された情報及び前記光情報装置から再生された情報に基づいて演算を行う演算装置と、前記入力部から入力された情報、前記光情報装置から再生された情報、及び前記演算装置によって演算された結果を出力する出力部とを備える。
【０２０３】
この構成によれば、入力部によって、情報が入力され、演算部によって、入力部から入力された情報及び光情報装置から再生された情報に基づいて演算が行われる。そして、出力部によって、入力部から入力された情報、光情報装置から再生された情報、及び演算装置によって演算された結果が出力される。したがって、上記の光ピックアップ装置を備える光情報装置をコンピュータに適用することができる。
【０２０４】
本発明の他の局面に係る光ディスクプレーヤは、上記の光情報装置と、前記光情報装置から得られる情報信号を画像に変換するデコーダとを備える。
【０２０５】
この構成によれば、デコーダによって、光情報装置から得られる情報信号が画像に変換されるので、上記の光ピックアップ装置を備える光情報装置を光ディスクプレーヤに適用することができる。
【０２０６】
本発明の他の局面に係るカーナビゲーションシステムは、上記の光情報装置と、前記光情報装置から得られる情報信号を画像に変換するデコーダとを備える。
【０２０７】
この構成によれば、デコーダによって、光情報装置から得られる情報信号が画像に変換されるので、上記の光ピックアップ装置を備える光情報装置をカーナビゲーションシステムに適用することができる。
【０２０８】
本発明の他の局面に係る光ディスクレコーダは、上記の光情報装置と、画像情報を前記光情報装置によって記録する情報に変換するエンコーダとを備える。
【０２０９】
この構成によれば、エンコーダによって、画像情報が光情報装置によって記録する情報に変換されるので、上記の光ピックアップ装置を備える光情報装置を光ディスクレコーダに適用することができる。
【０２１０】
本発明の他の局面に係る光ディスクサーバは、上記の光情報装置と、前記光情報装置によって記録又は再生される情報の入出力を外部と行う入出力部とを備える。
【０２１１】
この構成によれば、入出力部によって、光情報装置によって記録又は再生される情報の入出力が外部と行われるので、上記の光ピックアップ装置を備える光情報装置を光ディスクサーバに適用することができる。
【産業上の利用可能性】
【０２１２】
本発明に係る光ピックアップ装置、光情報装置、コンピュータ、光ディスクプレーヤ、カーナビゲーションシステム、光ディスクレコーダ及び光ディスクサーバは、第２の光学系を構成する光学部品の損傷や性能劣化を防止することができ、記録再生性能の劣化を低減することができ、光ディスクに情報を記録する及び／又は光ディスクから情報を再生する光ピックアップ装置、光情報装置、コンピュータ、光ディスクプレーヤ、カーナビゲーションシステム、光ディスクレコーダ及び光ディスクサーバとして有用である。また、光ディスクを利用するコンピュータからＡＶ機器まで、幅広い産業分野で利用することができ、その産業上の利用可能性は非常に広く且つ大きい。
【図面の簡単な説明】
【０２１３】
【図１】本発明の実施の形態における光ピックアップ装置の概念図である。
【図２】実施の形態１における光ピックアップ装置の具体的な構成の一例を示す図である。
【図３】実施の形態２における光ピックアップ装置の立ち上げミラーを側面から見た拡大図である。
【図４】実施の形態２の変形例における光ピックアップ装置の立ち上げミラーを側面から見た拡大図である。
【図５】実施の形態３における光ピックアップ装置の立ち上げミラーを側面から見た拡大図である。
【図６】実施の形態４における光ピックアップ装置の立ち上げミラーを側面から見た拡大図である。
【図７】実施の形態５における光ピックアップ装置の立ち上げミラーを示す拡大図である。
【図８】実施の形態５の第１の変形例における光ピックアップ装置の立ち上げミラーを上方から見た拡大図である。
【図９】実施の形態５の第２の変形例における光ピックアップ装置の立ち上げミラーを上方から見た拡大図である。
【図１０】実施の形態６における光ピックアップ装置の構成を示す図である。
【図１１】実施の形態６の第１〜第３の変形例における光ピックアップ装置の立ち上げミラーを側面から見た拡大図である。
【図１２】実施の形態６の第４及び第５の変形例における光ピックアップ装置の立ち上げミラーを側面から見た拡大図である。
【図１３】実施の形態７における光情報装置の一例である光ディスクドライブの全体構成を示す図である。
【図１４】実施の形態８におけるコンピュータの全体構成を示す概略斜視図である。
【図１５】実施の形態９における光ディスクレコーダの全体構成を示す概略斜視図である。
【図１６】実施の形態１０における光ディスクプレーヤの全体構成を示す概略斜視図である。
【図１７】実施の形態１１における光ディスクサーバの全体構成を示す概略斜視図である。
【図１８】実施の形態１２におけるカーナビゲーションシステムの全体構成を示す概略斜視図である。
【図１９】第１の従来技術に係る光ピックアップ装置の構成を示す図である。
【図２０】第３の従来技術に係る光ピックアップ装置の構成を示す図である。
【図２１】従来の光ピックアップ装置の立ち上げミラーを側面から見た図である。
【手続補正３】
【補正対象書類名】図面
【補正対象項目名】全図
【補正方法】変更
【補正の内容】
【図１】
2008044601.tif 000024
【図２】
2008044601.tif 000025
【図３】
2008044601.tif 000026
【図４】
2008044601.tif 000027
【図５】
2008044601.tif 000028
【図６】
2008044601.tif 000029
【図７】
2008044601.tif 000030
【図８】
2008044601.tif 000031
【図９】
2008044601.tif 000032
【図１０】
2008044601.tif 000033
【図１１】
2008044601.tif 000034
【図１２】
2008044601.tif 000035
【図１３】
2008044601.tif 000036
【図１４】
2008044601.tif 000037
【図１５】
2008044601.tif 000038
【図１６】
2008044601.tif 000039
【図１７】
2008044601.tif 000040
【図１８】
2008044601.tif 000041
【図１９】
2008044601.tif 000042
【図２０】
2008044601.tif 000043
【図２１】
2008044601.tif 000044
【国際調査報告】
2008044601.tif 000045
2008044601.tif 000046
2008044601.tif 000047
2008044601.tif 000048